(57)【要約】  携帯無線通信装置１００は、アンテナ素子１０１，１０２と、携帯電話信号処理回路１５１と、ＤＴＶの低域周波数信号及び高域周波数信号を受信するＤＴＶチューナ１５２と、携帯電話信号処理回路１５１のためのインピーダンス整合回路１１１，１１３と、ＤＴＶの低域周波数信号及び高域周波数信号をそれぞれ受信するときのＤＴＶチューナ１５２のためのインピーダンス整合回路１１２，１１４とを含む。スイッチ１４１は、ＤＴＶの低域周波数信号及び高域周波数信号の一方を選択してＤＴＶチューナ１５２に出力するように切り換え、チューナコントローラ１６０は、携帯電話信号処理回路１５１の送信時にアンテナ素子１０２を用いてＤＴＶの高域周波数信号を選択するようにスイッチ１４１を制御する。
2008032710.tif 000002
【特許請求の範囲】
【請求項１】
第１の通信システムにおいて用いる第１の周波数帯域の第１の無線信号を送信しかつ上記第１の周波数帯域の第２の無線信号を受信するための第１のアンテナ素子と、
上記第２の無線信号を受信するための第２のアンテナ素子と、
上記第１の無線信号を発生し、第１のフィルタ手段及び第１の整合手段を介して上記第１のアンテナ素子から送信する送信手段と、
上記第１のアンテナ素子によって受信された第２の無線信号を上記第１の整合手段及び上記第１のフィルタ手段を介して受信する第１の受信処理と、上記第２のアンテナ素子によって受信された第２の無線信号を第２の整合手段及び第２のフィルタ手段を介して受信する第２の受信処理との少なくとも一方の受信処理を行う第１の受信手段と、
第２の通信システムにおいて用いられかつ上記第１の周波数帯域と近接した第２の周波数帯域の第３の無線信号と、上記第２の通信システムにおいて用いられかつ上記第１の周波数帯域と遠隔し上記第２の周波数帯域と異なる第３の周波数帯域の第４の無線信号とを受信する第２の受信手段とを備えた無線通信装置であって、
上記第１の整合手段は、上記第１の周波数帯域において、上記第１のアンテナ素子のインピーダンスを上記第１の周波数帯域の無線信号を通過させる第１のフィルタ手段のインピーダンスに整合させ、
上記第２の整合手段は、上記第１の周波数帯域において、上記第２のアンテナ素子のインピーダンスを上記第１の周波数帯域の無線信号を通過させる第２のフィルタ手段のインピーダンスに整合させ、
上記無線通信装置は、
上記第３の周波数帯域において、上記第１のアンテナ素子のインピーダンスを上記第３の周波数帯域の無線信号を通過させる第３のフィルタ手段のインピーダンスに整合させる第３の整合手段と、
上記第２の周波数帯域において、上記第２のアンテナ素子のインピーダンスを上記第２の周波数帯域の無線信号を通過させる第４のフィルタ手段のインピーダンスに整合させる第４の整合手段と、
上記送信手段が上記第１の無線信号を送信しているときに、上記第１のスイッチ手段が上記第３の無線信号を受信する第２の受信手段を、上記第４のフィルタ手段及び上記第４の整合手段を介して、上記第１の無線信号を送信していない第２のアンテナ素子に接続するように第１のスイッチ手段を制御する制御手段とを備えたことを特徴とする無線通信装置。
【請求項２】
上記制御手段は、上記送信手段が上記第１の無線信号を送信していないときに、上記第１のスイッチ手段が上記第２の受信手段を上記第３のフィルタ手段及び上記第３の整合手段を介して上記第１のアンテナ素子に接続し、もしくは上記第２の受信手段を上記第４のフィルタ手段及び上記第４の整合手段を介して上記第２のアンテナ素子に接続するように上記第１のスイッチ手段を制御することを特徴とする請求項１記載の無線通信装置。
【請求項３】
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１のスイッチ手段が上記第２の受信手段を上記第３のフィルタ手段及び上記第３の整合手段を介して上記第１のアンテナ素子に接続しているときに、上記第２の受信手段によって受信される第３の無線信号又は第４の無線信号の信号レベルが所定のしきい値よりも小さくなったときに、上記第２の受信手段を上記第４のフィルタ手段及び上記第４の整合手段を介して上記第２のアンテナ素子に接続するように上記第１のスイッチ手段を制御することを特徴とする請求項２記載の無線通信装置。
【請求項４】
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１のスイッチ手段が上記第２の受信手段を上記第４のフィルタ手段及び上記第４の整合手段を介して上記第２のアンテナ素子に接続しているときに、上記第２の受信手段によって受信される第３の無線信号又は第４の無線信号の信号レベルが所定のしきい値よりも小さくなったときに、上記第２の受信手段を上記第３のフィルタ手段及び上記第３の整合手段を介して上記第１のアンテナ素子に接続するように上記第１のスイッチ手段を制御することを特徴とする請求項２記載の無線通信装置。
【請求項５】
上記送信手段と上記第１のフィルタ手段との間及び上記送信手段と上記第２のフィルタ手段との間に挿入され、上記送信手段からの第１の無線信号を上記第１のフィルタ手段及び上記第１の整合手段を介して上記第１のアンテナ素子に出力する第１の場合と、上記送信手段からの第１の無線信号を上記第２のフィルタ手段及び第２の整合手段を介して上記第２のアンテナ素子に出力する第２の場合とを選択的に切り換える第２のスイッチ手段をさらに備え、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１の場合において、上記第１のスイッチ手段が上記第３の無線信号を受信する第２の受信手段を上記第４のフィルタ手段及び上記第４の整合手段を介して上記第２のアンテナ素子に接続するように上記第１のスイッチ手段を制御する一方、上記第２の場合において、上記第１のスイッチ手段が上記第３の無線信号を受信する第２の受信手段を上記第３のフィルタ手段及び上記第３の整合手段を介して上記第１のアンテナ素子に接続するように上記第１のスイッチ手段を制御することを特徴とする請求項１乃至４のうちのいずれか１つに記載の無線通信装置。
【請求項６】
上記送信手段と上記第１のフィルタ手段との間及び上記送信手段と上記第２のフィルタ手段との間に挿入され、上記送信手段からの第１の無線信号を上記第１のフィルタ手段及び上記第１の整合手段を介して上記第１のアンテナ素子に出力する第１の場合と、上記送信手段からの第１の無線信号を上記第２のフィルタ手段及び第２の整合手段を介して上記第２のアンテナ素子に出力する第２の場合とを選択的に切り換える第２のスイッチ手段をさらに備え、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記第２の受信手段は、上記第２の周波数帯域の第３の無線信号を受信する第１の受信部と、上記第３の周波数帯域の第４の無線信号を受信する第２の受信部とを備え、
上記制御手段は、上記第１の場合において、上記第１のスイッチ手段が上記第１の受信部を上記第４のフィルタ手段及び上記第４の整合手段を介して上記第２のアンテナ素子に接続するように上記第１のスイッチ手段を制御する一方、上記第２の場合において、上記第１のスイッチ手段が上記第１の受信部を上記第３のフィルタ手段及び上記第３の整合手段を介して上記第１のアンテナ素子に接続するように上記第１のスイッチ手段を制御することを特徴とする請求項１又は２記載の無線通信装置。
【請求項７】
第１の通信システムにおいて用いる第１の周波数帯域の第１の無線信号を送信しかつ上記第１の周波数帯域の第２の無線信号を受信し、第２の通信システムにおいて用いられかつ上記第１の周波数帯域と近接した第２の周波数帯域の第３の無線信号と、上記第２の通信システムにおいて用いられかつ上記第１の周波数帯域と遠隔し上記第２の周波数帯域と異なる第３の周波数帯域の第４の無線信号とを受信するための第１及び第２のアンテナ素子と、
上記第１のアンテナ素子と上記第２のアンテナ素子のうちのいずれか１つを接続する第１のスイッチ手段と、
第２のスイッチ手段と、
上記第１の無線信号を発生し、上記第２のスイッチ手段の第１の場合において、上記第２のスイッチ手段、第１のフィルタ手段及び第１の整合手段を介して上記第１のアンテナ素子から送信する一方、上記第２のスイッチ手段の第２の場合において、上記第２のスイッチ手段、第２のフィルタ手段及び第２の整合手段を介して上記第２のアンテナ素子から送信する送信手段と、
上記第１のアンテナ素子によって受信された第２の無線信号を上記第１の整合手段及び上記第１のフィルタ手段を介して受信する第１の受信処理と、上記第２のアンテナ素子によって受信された第２の無線信号を上記第２の整合手段及び上記第２のフィルタ手段を介して受信する第２の受信処理との少なくとも一方の受信処理を行う第１の受信手段と、
上記第２の周波数帯域の第３の無線信号と、上記第３の周波数帯域の第４の無線信号とを受信する第２の受信手段とを備えた無線通信装置であって、
上記第１の整合手段は、上記第１の周波数帯域において、上記第１のアンテナ素子のインピーダンスを上記第１の周波数帯域の無線信号を通過させる第１のフィルタ手段のインピーダンスに整合させ、
上記第２の整合手段は、上記第１の周波数帯域において、上記第２のアンテナ素子のインピーダンスを上記第１の周波数帯域の無線信号を通過させる第２のフィルタ手段のインピーダンスに整合させ、
上記無線通信装置は、
上記第２及び第３の周波数帯域において、上記第１のアンテナ素子のインピーダンスを上記第２及び第３の周波数帯域の無線信号を通過させる第３のフィルタ手段のインピーダンスに整合させる第３の整合手段と、
上記第２のスイッチ手段が上記送信手段を上記第１のフィルタ手段及び上記第１の整合手段を介して上記第１のアンテナ素子に接続されて、上記送信手段が上記第１の無線信号を上記第１のアンテナ素子を用いて送信しているとき、上記第２のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する一方、上記第２のスイッチ手段が上記送信手段を上記第２のフィルタ手段及び上記第２の整合手段を介して上記第２のアンテナ素子に接続されて、上記送信手段が上記第１の無線信号を上記第２のアンテナ素子を用いて送信しているとき、上記第１のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する制御手段とを備えたことを特徴とする無線通信装置。
【発明の詳細な説明】
【技術分野】
【０００１】
本発明は、主として複数の無線通信を実行可能な無線通信装置に関し、特に、携帯電話の基地局装置との間で電話呼に係る音声などを含む無線信号を送受信するとともに、ＶＨＦ帯乃至ＵＨＦ帯のＦＭ放送波、アナログテレビジョン放送波、及び／又はデジタルテレビジョン（ＤＴＶ）放送波などの複数の無線通信システムに係る無線信号であって、それぞれ異なる周波数帯を有する複数の無線信号を受信することが可能な携帯電話端末装置等の無線通信装置に関する。
【背景技術】
【０００２】
近年、携帯電話機等の携帯無線通信装置が急速に発達している。そのような携帯無線通信装置では、携帯電話の通話のための信号を携帯電話の基地局装置との間で送受信する（以下、携帯電話の基地局装置に送信される信号を「携帯電話送信信号」といい、携帯電話の基地局装置から受信される信号を「携帯電話受信信号」という。）。現在、市販されている携帯無線通信装置において、携帯電話送信信号及び携帯電話受信信号を送受信することに加えて、ＦＭ放送やテレビジョン放送など、他の無線通信に係る無線信号を受信しようとする場合、例えば特許文献１記載の複数放送波を受信可能な携帯電話機が存在する。【０００３】
特許文献１の携帯電話機は、携帯電話機無線部を備えたことに加えて、ＦＭ放送及びテレビジョン放送の受信機能を提供するためのＴＶ／ＦＭ受信部と、受信可能な複数個の放送波（すなわち、ＵＨＦのテレビジョン放送、ＶＨＦ−Ｈｃｈのテレビジョン放送、ＶＨＦ−Ｌｃｈのテレビジョン放送、及びＦＭ放送）に応じてそれぞれ設けられた複数個のインピーダンス調整回路とを備えたことを特徴とする。この携帯電話機のアンテナで受信された受信信号は、周波数分配器を介して携帯電話機無線部及び帯域切換スイッチに送られ、帯域切換スイッチは、受信信号の周波数帯に応じてインピーダンス調整回路のうちのいずれかを選択するように切り換え、受信信号は選択されたインピーダンス調整回路を介してＴＶ／ＦＭ受信部に送られる。【０００４】
【特許文献１】特開２００５−１５９８２７号公報。
【発明の開示】
【発明が解決しようとする課題】
【０００５】
携帯電話送信信号及び携帯電話受信信号を送受信するために使用される周波数帯域として８００ＭＨｚの帯域が使用されるとき、この帯域の周波数は、デジタルテレビジョン放送（以下、ＤＴＶという。）で使用される帯域（４７０ＭＨｚ〜７７０ＭＨｚ）のうちの高域側（ハイバンド）の周波数と非常に近くなる。従って、特許文献１に開示された携帯電話機では、当該携帯電話機から送信される携帯電話送信信号はＵＨＦ帯の高域側におけるテレビジョン放送の妨害波となり、このような妨害の影響を十分に抑圧できない。このように特許文献１では、携帯電話機から送信される携帯電話送信信号の周波数と近い周波数を有する他の無線通信に係る無線信号を受信する際には、その無線信号に関して良好な受信特性が得られない。【０００６】
本発明の目的は、以上の問題点を解決し、複数の無線通信を実行する無線通信装置において異なる無線通信が互いに妨害することを防止して、同時に複数の無線通信を実行しながら、良好な受信特性を達成することができる無線通信装置を提供することにある。本発明は、特に、携帯電話送信信号及び携帯電話受信信号を送受信しながらデジタルテレビジョン放送を受信することが可能な携帯電話機等の携帯無線通信装置を提供することを目的とする。
【課題を解決するための手段】
【０００７】
本願の第１の発明に係る無線通信装置は、
第１の通信システムにおいて用いる第１の周波数帯域の第１の無線信号を送信しかつ上記第１の周波数帯域の第２の無線信号を受信するための第１のアンテナ素子と、
上記第２の無線信号を受信するための第２のアンテナ素子と、
上記第１の無線信号を発生し、第１のフィルタ手段及び第１の整合手段を介して上記第１のアンテナ素子から送信する送信手段と、
上記第１のアンテナ素子によって受信された第２の無線信号を上記第１の整合手段及び上記第１のフィルタ手段を介して受信する第１の受信処理と、上記第２のアンテナ素子によって受信された第２の無線信号を第２の整合手段及び第２のフィルタ手段を介して受信する第２の受信処理との少なくとも一方の受信処理を行う第１の受信手段と、
第２の通信システムにおいて用いられかつ上記第１の周波数帯域と近接した第２の周波数帯域の第３の無線信号と、上記第２の通信システムにおいて用いられかつ上記第１の周波数帯域と遠隔し上記第２の周波数帯域と異なる第３の周波数帯域の第４の無線信号とを受信する第２の受信手段とを備えた無線通信装置であって、
上記第１の整合手段は、上記第１の周波数帯域において、上記第１のアンテナ素子のインピーダンスを上記第１の周波数帯域の無線信号を通過させる第１のフィルタ手段のインピーダンスに整合させ、
上記第２の整合手段は、上記第１の周波数帯域において、上記第２のアンテナ素子のインピーダンスを上記第１の周波数帯域の無線信号を通過させる第２のフィルタ手段のインピーダンスに整合させ、
上記無線通信装置は、
上記第３の周波数帯域において、上記第１のアンテナ素子のインピーダンスを上記第３の周波数帯域の無線信号を通過させる第３のフィルタ手段のインピーダンスに整合させる第３の整合手段と、
上記第２の周波数帯域において、上記第２のアンテナ素子のインピーダンスを上記第２の周波数帯域の無線信号を通過させる第４のフィルタ手段のインピーダンスに整合させる第４の整合手段と、
上記送信手段が上記第１の無線信号を送信しているときに、上記第１のスイッチ手段が上記第３の無線信号を受信する第２の受信手段を、上記第４のフィルタ手段及び上記第４の整合手段を介して、上記第１の無線信号を送信していない第２のアンテナ素子に接続するように第１のスイッチ手段を制御する制御手段とを備えたことを特徴とする。【０００８】
上記無線通信装置において、上記制御手段は、上記送信手段が上記第１の無線信号を送信していないときに、上記第１のスイッチ手段が上記第２の受信手段を上記第３のフィルタ手段及び上記第３の整合手段を介して上記第１のアンテナ素子に接続し、もしくは上記第２の受信手段を上記第４のフィルタ手段及び上記第４の整合手段を介して上記第２のアンテナ素子に接続するように上記第１のスイッチ手段を制御することを特徴とする。【０００９】
また、上記無線通信装置において、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１のスイッチ手段が上記第２の受信手段を上記第３のフィルタ手段及び上記第３の整合手段を介して上記第１のアンテナ素子に接続しているときに、上記第２の受信手段によって受信される第３の無線信号又は第４の無線信号の信号レベルが所定のしきい値よりも小さくなったときに、上記第２の受信手段を上記第４のフィルタ手段及び上記第４の整合手段を介して上記第２のアンテナ素子に接続するように上記第１のスイッチ手段を制御することを特徴とする。【００１０】
さらに、上記無線通信装置において、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１のスイッチ手段が上記第２の受信手段を上記第４のフィルタ手段及び上記第４の整合手段を介して上記第２のアンテナ素子に接続しているときに、上記第２の受信手段によって受信される第３の無線信号又は第４の無線信号の信号レベルが所定のしきい値よりも小さくなったときに、上記第２の受信手段を上記第３のフィルタ手段及び上記第３の整合手段を介して上記第１のアンテナ素子に接続するように上記第１のスイッチ手段を制御することを特徴とする。【００１１】
また、上記無線通信装置は、上記送信手段と上記第１のフィルタ手段との間及び上記送信手段と上記第２のフィルタ手段との間に挿入され、上記送信手段からの第１の無線信号を上記第１のフィルタ手段及び上記第１の整合手段を介して上記第１のアンテナ素子に出力する第１の場合と、上記送信手段からの第１の無線信号を上記第２のフィルタ手段及び第２の整合手段を介して上記第２のアンテナ素子に出力する第２の場合とを選択的に切り換える第２のスイッチ手段をさらに備え、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１の場合において、上記第１のスイッチ手段が上記第３の無線信号を受信する第２の受信手段を上記第４のフィルタ手段及び上記第４の整合手段を介して上記第２のアンテナ素子に接続するように上記第１のスイッチ手段を制御する一方、上記第２の場合において、上記第１のスイッチ手段が上記第３の無線信号を受信する第２の受信手段を上記第３のフィルタ手段及び上記第３の整合手段を介して上記第１のアンテナ素子に接続するように上記第１のスイッチ手段を制御することを特徴とする。【００１２】
さらに、上記無線通信装置は、上記送信手段と上記第１のフィルタ手段との間及び上記送信手段と上記第２のフィルタ手段との間に挿入され、上記送信手段からの第１の無線信号を上記第１のフィルタ手段及び上記第１の整合手段を介して上記第１のアンテナ素子に出力する第１の場合と、上記送信手段からの第１の無線信号を上記第２のフィルタ手段及び第２の整合手段を介して上記第２のアンテナ素子に出力する第２の場合とを選択的に切り換える第２のスイッチ手段をさらに備え、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記第２の受信手段は、上記第２の周波数帯域の第３の無線信号を受信する第１の受信部と、上記第３の周波数帯域の第４の無線信号を受信する第２の受信部とを備え、
上記制御手段は、上記第１の場合において、上記第１のスイッチ手段が上記第１の受信部を上記第４のフィルタ手段及び上記第４の整合手段を介して上記第２のアンテナ素子に接続するように上記第１のスイッチ手段を制御する一方、上記第２の場合において、上記第１のスイッチ手段が上記第１の受信部を上記第３のフィルタ手段及び上記第３の整合手段を介して上記第１のアンテナ素子に接続するように上記第１のスイッチ手段を制御することを特徴とする。【００１３】
本願の第２の発明に係る無線通信装置は、
第１の通信システムにおいて用いる第１の周波数帯域の第１の無線信号を送信しかつ上記第１の周波数帯域の第２の無線信号を受信し、第２の通信システムにおいて用いられかつ上記第１の周波数帯域と近接した第２の周波数帯域の第３の無線信号と、上記第２の通信システムにおいて用いられかつ上記第１の周波数帯域と遠隔し上記第２の周波数帯域と異なる第３の周波数帯域の第４の無線信号とを受信するための第１及び第２のアンテナ素子と、
上記第１のアンテナ素子と上記第２のアンテナ素子のうちのいずれか１つを接続する第１のスイッチ手段と、
第２のスイッチ手段と、
上記第１の無線信号を発生し、上記第２のスイッチ手段の第１の場合において、上記第２のスイッチ手段、第１のフィルタ手段及び第１の整合手段を介して上記第１のアンテナ素子から送信する一方、上記第２のスイッチ手段の第２の場合において、上記第２のスイッチ手段、第２のフィルタ手段及び第２の整合手段を介して上記第２のアンテナ素子から送信する送信手段と、
上記第１のアンテナ素子によって受信された第２の無線信号を上記第１の整合手段及び上記第１のフィルタ手段を介して受信する第１の受信処理と、上記第２のアンテナ素子によって受信された第２の無線信号を上記第２の整合手段及び上記第２のフィルタ手段を介して受信する第２の受信処理との少なくとも一方の受信処理を行う第１の受信手段と、
上記第２の周波数帯域の第３の無線信号と、上記第３の周波数帯域の第４の無線信号とを受信する第２の受信手段とを備えた無線通信装置であって、
上記第１の整合手段は、上記第１の周波数帯域において、上記第１のアンテナ素子のインピーダンスを上記第１の周波数帯域の無線信号を通過させる第１のフィルタ手段のインピーダンスに整合させ、
上記第２の整合手段は、上記第１の周波数帯域において、上記第２のアンテナ素子のインピーダンスを上記第１の周波数帯域の無線信号を通過させる第２のフィルタ手段のインピーダンスに整合させ、
上記無線通信装置は、
上記第２及び第３の周波数帯域において、上記第１のアンテナ素子のインピーダンスを上記第２及び第３の周波数帯域の無線信号を通過させる第３のフィルタ手段のインピーダンスに整合させる第３の整合手段と、
上記第２のスイッチ手段が上記送信手段を上記第１のフィルタ手段及び上記第１の整合手段を介して上記第１のアンテナ素子に接続されて、上記送信手段が上記第１の無線信号を上記第１のアンテナ素子を用いて送信しているとき、上記第２のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する一方、上記第２のスイッチ手段が上記送信手段を上記第２のフィルタ手段及び上記第２の整合手段を介して上記第２のアンテナ素子に接続されて、上記送信手段が上記第１の無線信号を上記第２のアンテナ素子を用いて送信しているとき、上記第１のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する制御手段とを備えたことを特徴とする。
【発明の効果】
【００１４】
第１の発明に係る無線通信装置によれば、上記送信手段が上記第１の無線信号を送信しているときに、上記第１のスイッチ手段が上記第３の無線信号を受信する第２の受信手段を、上記第４のフィルタ手段及び上記第４の整合手段を介して、上記第１の無線信号を送信していない第２のアンテナ素子に接続するように第１のスイッチ手段を制御する。従って、第１のアンテナ素子を用いて送信される第１の周波数帯域の第１の無線信号に妨害されずに、第２の周波数帯域の第３の無線信号を第２のアンテナ素子を用いて受信することができる。【００１５】
また、上記第１のスイッチ手段が上記第２の受信手段を上記第３のフィルタ手段及び上記第３の整合手段を介して上記第１のアンテナ素子に接続しているときに、上記第２の受信手段によって受信される第３の無線信号又は第４の無線信号の信号レベルが所定のしきい値よりも小さくなったときに、上記第２の受信手段を上記第４のフィルタ手段及び上記第４の整合手段を介して上記第２のアンテナ素子に接続するように上記第１のスイッチ手段を制御する。従って、当該第３の無線信号又は第４の無線信号の信号レベルが所定のしきい値よりも小さくなったときに、上記第１のアンテナ素子の代わりに上記第２のアンテナ素子を上記第２の受信手段に接続する。これにより、より大きな信号レベルを受信する第２のアンテナ素子を利用できる。【００１６】
さらに、上記第１のスイッチ手段が上記第２の受信手段を上記第４のフィルタ手段及び上記第４の整合手段を介して上記第２のアンテナ素子に接続しているときに、上記第２の受信手段によって受信される第３の無線信号又は第４の無線信号の信号レベルが所定のしきい値よりも小さくなったときに、上記第２の受信手段を上記第３のフィルタ手段及び上記第３の整合手段を介して上記第１のアンテナ素子に接続するように上記第１のスイッチ手段を制御する。従って、第２のアンテナ素子を用いて第３の無線信号又は第４の無線信号を受信しているときに、当該第３の無線信号又は第４の無線信号の信号レベルが所定のしきい値よりも小さくなったときに、上記第２のアンテナ素子の代わりに上記第１のアンテナ素子を上記第２の受信手段に接続する。これにより、より大きな信号レベルを受信する第１のアンテナ素子を利用できる。【００１７】
また、上記第１の場合において、上記第１のスイッチ手段が上記第３の無線信号を受信する第２の受信手段を上記第４のフィルタ手段及び上記第４の整合手段を介して上記第２のアンテナ素子に接続するように上記第１のスイッチ手段を制御する一方、上記第２の場合において、上記第１のスイッチ手段が上記第３の無線信号を受信する第２の受信手段を上記第３のフィルタ手段及び上記第３の整合手段を介して上記第１のアンテナ素子に接続するように上記第１のスイッチ手段を制御する。従って、前者の第１の場合において、第１の無線信号が第１のアンテナ素子を用いて送信されるときに、第２の周波数帯域の第３の無線信号を第２のアンテナ素子を用いて、上記送信される第１の無線信号の妨害なしに受信できる。また、後者の第２の場合において、第１の無線信号が第２のアンテナ素子を用いて送信されるときに、第２の周波数帯域の第３の無線信号を第１のアンテナ素子を用いて、上記送信される第１の無線信号の妨害なしに受信できる。【００１８】
さらに、上記第１の場合において、上記第１のスイッチ手段が上記第１の受信部を上記第４のフィルタ手段及び上記第４の整合手段を介して上記第２のアンテナ素子に接続するように上記第１のスイッチ手段を制御する一方、上記第２の場合において、上記第１のスイッチ手段が上記第１の受信部を上記第３のフィルタ手段及び上記第３の整合手段を介して上記第１のアンテナ素子に接続するように上記第１のスイッチ手段を制御する。従って、前者の第１の場合において、第１の無線信号が第１のアンテナ素子を用いて送信されるときに、第２の周波数帯域の第３の無線信号を第２のアンテナ素子を用いて第２の受信手段の第１の受信部により、上記送信される第１の無線信号の妨害なしに受信できる。また、後者の第２の場合において、第１の無線信号が第２のアンテナ素子を用いて送信されるときに、第２の周波数帯域の第３の無線信号を第１のアンテナ素子を用いて第２の受信手段の第１の受信部により、上記送信される第１の無線信号の妨害なしに受信できる。【００１９】
第２の発明に係る無線通信装置によれば、上記第２のスイッチ手段が上記送信手段を上記第１のフィルタ手段及び上記第１の整合手段を介して上記第１のアンテナ素子に接続されて、上記送信手段が上記第１の無線信号を上記第１のアンテナ素子を用いて送信しているとき、上記第２のアンテナ素子によって受信された第３の無線信号を、上記第１のスイッチ手段、上記第３の整合手段及び上記第３の整合手段を介して上記第２の受信手段により受信されるように上記第１のスイッチ手段を制御する一方、上記第２のスイッチ手段が上記送信手段を上記第２のフィルタ手段及び上記第２の整合手段を介して上記第２のアンテナ素子に接続されて、上記送信手段が上記第１の無線信号を上記第２のアンテナ素子を用いて送信しているとき、上記第１のアンテナ素子によって受信された第３の無線信号を、上記第１のスイッチ手段、上記第３の整合手段及び上記第３の整合手段を介して上記第２の受信手段により受信されるように上記第１のスイッチ手段を制御する。従って、前者の場合において、第１のアンテナ素子を用いて送信される第１の周波数帯域の第１の無線信号に妨害されずに、第３の無線信号を第２のアンテナ素子を用いて受信することができる。また、後者の場合において、第２のアンテナ素子を用いて送信される第１の周波数帯域の第１の無線信号に妨害されずに、第３の無線信号を第１のアンテナ素子を用いて受信することができる。
【図面の簡単な説明】
【００２０】
【図１】本発明の第１の実施形態に係る携帯無線通信装置１００の無線通信回路１７０の構成を示すブロック図である。
【図２】本発明の第１の実施形態に係る携帯無線通信装置１００の全体構成を正面から概略的に示す透視図である。
【図３】本発明の第１の実施形態に係る携帯無線通信装置１００の全体構成を側面から概略的に示す透視図である。
【図４】図１のアンテナ素子１０１及び整合回路部１１０ＡのＶＳＷＲ特性を示すグラフである。
【図５】図１のアンテナ素子１０２及び整合回路部１１０ＢのＶＳＷＲ特性を示すグラフである。
【図６】本発明の第１の実施形態の第１の変形例に係る携帯無線通信装置１００Ａの無線通信回路１７０の構成を示すブロック図である。
【図７】本発明の第１の実施形態の第２の変形例に係る携帯無線通信装置１００Ｂの無線通信回路１７０の構成を示すブロック図である。
【図８】本発明の第１の実施形態の第３の変形例に係る携帯無線通信装置１００Ｃの無線通信回路１７０の構成を示すブロック図である。
【図９】本発明の第１の実施形態の第４の変形例に係る携帯無線通信装置１００Ｄの無線通信回路１７０の構成を示すブロック図である。
【図１０】本発明の第２の実施形態に係る携帯無線通信装置１００Ｅの無線通信回路１７０の構成を示すブロック図である。
【図１１】本発明の第２の実施形態の第１の変形例に係る携帯無線通信装置１００Ｆの無線通信回路１７０の構成を示すブロック図である。
【図１２】本発明の第２の実施形態の第２の変形例に係る携帯無線通信装置１００Ｇの無線通信回路１７０の構成を示すブロック図である。
【図１３】本発明の第２の実施形態の第３の変形例に係る携帯無線通信装置１００Ｈの無線通信回路１７０の構成を示すブロック図である。
【図１４】本発明の第２の実施形態の第４の変形例に係る携帯無線通信装置１００Ｉの無線通信回路１７０の構成を示すブロック図である。
【図１５】本発明の第２の実施形態の第５の変形例に係る携帯無線通信装置１００Ｊの無線通信回路１７０の構成を示すブロック図である。
【図１６】本発明の第３の実施形態に係る携帯無線通信装置１００Ｋの無線通信回路１７０の構成を示すブロック図である。
【図１７】本発明の第３の実施形態の第１の変形例に係る携帯無線通信装置１００Ｌの無線通信回路１７０の構成を示すブロック図である。
【図１８】本発明の第３の実施形態の第２の変形例に係る携帯無線通信装置１００Ｍの無線通信回路１７０の構成を示すブロック図である。
【図１９】本発明の第４の実施形態に係る携帯無線通信装置１００Ｎの無線通信回路１７０の構成を示すブロック図である。
【図２０】本発明の第４の実施形態の第１の変形例に係る携帯無線通信装置１００Ｏの無線通信回路１７０の構成を示すブロック図である。
【図２１】本発明の第４の実施形態の第２の変形例に係る携帯無線通信装置１００Ｐの無線通信回路１７０の構成を示すブロック図である。
【図２２】本発明の第１の実施形態の第５の変形例に係る携帯無線通信装置１００Ｑの無線通信回路１７０の構成を示すブロック図である。
【図２３】本発明の第２の実施形態の第６の変形例に係る携帯無線通信装置１００Ｒの無線通信回路１７０の構成を示すブロック図である。
【図２４】本発明の第２の実施形態の第７の変形例に係る携帯無線通信装置１００Ｓの無線通信回路１７０の構成を示すブロック図である。
【符号の説明】
【００２１】
１００，１００Ａ〜１００Ｓ…携帯無線通信装置、
１０１，１０２，１０３…アンテナ素子、
１１０Ａ，１１０Ｂ，１１０Ｃ，１１０Ａａ，１１０Ｂａ，１１０Ａｂ，１１０Ｂｂ…整合回路部、
１１１，１１２，１１２Ａ，１１２Ｂ，１１３，１１３Ａ，１１４，１１４Ａ，１１４Ｂ，１１５，１１６，３１１，３１２，３１３，３１４，３１５…インピーダンス整合回路、
１２１，１２２，１２２Ａ，１２３，１２３Ａ，１２４，１２４Ａ，１２５，１２６，１２７，１２８，１２９，１３１Ａａ，１３１Ａｂ，１３４Ａａ，１３４Ａｂ，３２１，３２２，３２３，３２４，３２５…フィルタ、
１３１，１３４…サーキュレータ、
１３１Ａ，１３４Ａ…デュプレクサ、
１３２，１３３…合成器、
１４１，１４２，１４３，１４４，１４５ａ，１４５ｂ，１４７ａ，１４７ｂ…スイッチ、
１４５，１４７…スイッチ回路、
１５１…携帯電話信号処理回路、
１５１ａ…送信回路、
１５１ｂ…受信回路、
１５２…ＤＴＶチューナ、
１５２Ａ…ＤＴＶ低域チューナ、
１５２Ｂ…ＤＴＶ高域チューナ、
１６０，１６０Ａ〜１６０Ｈ…チューナコントローラ、
１７０…無線通信回路、
１８０…コントローラ、
２０１…上部筐体、
２０１ａ…外側上部筐体、
２０２…下部筐体、
２０３…ヒンジ部、
２０４…ディスプレイ、
２０５…スピーカ、
２０６…マイクロホン、
２０７…キーボード、
２０８…回路基板、
２０９…充電池、
２１１，２１２…ネジ、
２１３…ネジ受け部、
２２１，２２２…給電線、
２２３，２２４…端子、
２２５…給電点。
【発明を実施するための最良の形態】
【００２２】
以下、本発明の実施形態について、図面を参照しながら説明する。本発明の実施形態を説明するため図面の全体にわたり、同様の機能を有する構成要素は同一の符号を付与し、その繰り返しの説明は省略する。なお、本発明は下記の実施形態に限定されるものではない。【００２３】
第１の実施形態．
図１は、本発明の第１の実施形態に係る携帯無線通信装置１００の無線通信回路１７０の構成を示すブロック図である。本実施形態の携帯無線通信装置１００は、互いに近接する周波数帯域をそれぞれ用いる複数の無線通信を実行し、具体的には、第１の無線通信として携帯電話送信信号及び携帯電話受信信号の送受信を実行する機能と、第２の無線通信としてＤＴＶの信号を受信する機能とを備えるものである。【００２４】
図１に示す無線通信回路１７０は、携帯無線通信装置１００の無線周波領域の処理を実行し、携帯電話送信信号及び携帯電話受信信号を送受信するために携帯電話信号処理回路１５１を備え、ＤＴＶの信号を受信するためにＤＴＶチューナ１５２を備える。携帯電話信号処理回路１５１は送信回路１５１ａ及び受信回路１５１ｂを備え、送信回路１５１ａは、送信される携帯電話送信信号に対する、例えば増幅、Ｄ／Ａ変換及び変調などを含む無線周波領域の処理を実行し、受信回路１５１ｂは、受信される携帯電話受信信号に対する、例えば増幅、Ａ／Ｄ変換及び復調などを含む無線周波領域の処理を実行する。ＤＴＶチューナ１５２は、受信されたＤＴＶの信号に対して増幅及び復調などの無線周波領域の処理を実行する。また、図１では、図示の簡単化のために、携帯無線通信装置１００における無線周波領域の処理以外の他の処理を実行するための構成要素を、無線通信回路１７０の外部に接続されたコントローラ１８０によって代表させている。【００２５】
携帯電話送信信号及び携帯電話受信信号を送受信するために使用する周波数帯域は、例えば８００ＭＨｚ帯、１．７ＧＨｚ帯、２．０ＧＨｚ帯及び２．５ＧＨｚ帯のうちの１つ又は複数を含み、本実施形態では８００ＭＨｚ帯が使用される。以下の説明では、この帯域をＢ１と表記する。なお、携帯電話送信信号及び携帯電話受信信号を送受信するために使用する周波数帯域は、これに限るものではない。また、ＤＴＶの周波数帯域は、携帯電話送信信号及び携帯電話受信信号の周波数帯に近接した第１の周波数帯域部分である５５７ＭＨｚ〜７７０ＭＨｚの範囲と、この第１の周波数帯域部分よりも携帯電話送信信号及び携帯電話受信信号の周波数帯から遠隔した第２の周波数帯域部分である４７０ＭＨｚ〜５５７ＭＨｚの範囲とを含み、本明細書では、これらを、それぞれ「高域周波数帯」（又は「高域」もしくはＢ２Ｈ）及び「低域周波数帯」（又は「低域」もしくはＢ２Ｌ）という。【００２６】
図１において、携帯無線通信装置１００は２つのアンテナ素子１０１，１０２を備え、アンテナ素子１０１は、無線通信回路１７０上のインピーダンス整合回路１１１，１１２に接続され、アンテナ素子１０２は、無線通信回路１７０上のインピーダンス整合回路１１３，１１４に接続される（各図面では「整合回路」と表記する。）。インピーダンス整合回路１１１，１１２，１１３，１１４は、アンテナ素子１０１，１０２と後段の構成要素とのインピーダンス整合のためにそれぞれ設けられ、インピーダンス整合回路１１１，１１２はアンテナ素子１０１のための整合回路部１１０Ａとして機能し、インピーダンス整合回路１１３，１１４はアンテナ素子１０２のための整合回路部１１０Ｂとして機能する。インピーダンス整合回路１１１の後段にはフィルタ１２１が接続され、インピーダンス整合回路１１１は、帯域Ｂ１の携帯電話送信信号及び携帯電話受信信号を送受信するために、アンテナ素子１０１と、フィルタ１２１（又はフィルタ１２１を含むその後段の回路）とをインピーダンス整合させる。フィルタ１２１は、送受信される携帯電話送信信号及び携帯電話受信信号を通過させる帯域Ｂ１のバンドパスフィルタである。インピーダンス整合回路１１２の後段にはフィルタ１２２が接続され、インピーダンス整合回路１１２は、帯域Ｂ２ＬのＤＴＶの低域周波数信号を受信するために、アンテナ素子１０１と、フィルタ１２２（又はフィルタ１２２を含むその後段の回路）とをインピーダンス整合させる。フィルタ１２２は、受信されたＤＴＶの低域周波数信号を通過させる帯域Ｂ２Ｌのバンドパスフィルタである。インピーダンス整合回路１１３の後段にはフィルタ１２３が接続され、インピーダンス整合回路１１３は、帯域Ｂ１の携帯電話受信信号を受信するために、アンテナ素子１０２と、フィルタ１２３（又はフィルタ１２３を含むその後段の回路）とをインピーダンス整合させる。フィルタ１２３は、受信された携帯電話受信信号を通過させる帯域Ｂ１のバンドパスフィルタである。また、インピーダンス整合回路１１４の後段にはフィルタ１２４が接続され、インピーダンス整合回路１１４は、帯域Ｂ２ＨのＤＴＶの高域周波数信号を受信するために、アンテナ素子１０２と、フィルタ１２４又は（フィルタ１２４を含むその後段の回路）とをインピーダンス整合させる。フィルタ１２４は、受信されたＤＴＶの高域周波数信号を通過させる帯域Ｂ２Ｈのバンドパスフィルタである。【００２７】
フィルタ１２１は、サーキュレータ１３１を介して、携帯電話信号処理回路１５１内の送信回路１５１ａに接続され、送信回路１５１ａで生成された送信すべき携帯電話送信信号は、サーキュレータ１３１、フィルタ１２１及びインピーダンス整合回路１１１を介してアンテナ素子１０１に送られ、アンテナ素子１０１から携帯電話の基地局装置（図示せず。）に向けて放射される。フィルタ１２１はさらに、サーキュレータ１３１を介して合成器１３２の１つの入力側端子に接続される。合成器１３２のもう１つの入力側端子にはフィルタ１２３が接続され、合成器１３２は、アンテナ素子１０１で受信されてインピーダンス整合回路１１１、フィルタ１２１及びサーキュレータ１３１とを介して入力された携帯電話受信信号と、アンテナ素子１０２で受信されてインピーダンス整合回路１１３及びフィルタ１２３を介して入力された携帯電話受信信号とに対して合成ダイバーシチを行って、合成後の携帯電話受信信号を携帯電話信号処理回路１５１内の受信回路１５１ｂへ出力する。サーキュレータ１３１は、送信回路１５１ａから入力された送信すべき携帯電話送信信号をフィルタ１２１のみに送り、また、フィルタ１２１から入力された携帯電話受信信号を合成器１３２のみに送る。携帯電話信号処理回路１５１は、送受信される携帯電話送信信号及び携帯電話受信信号のさらなる処理のために無線通信回路１７０の外部のコントローラ１８０及び／又は他の音声処理回路など（図示せず。）に接続され、そのような外部の回路は、例えば、携帯電話送信信号及び携帯電話受信信号が電話呼の信号である場合には、音声信号の符号化及び復号化やＡ／Ｄ変換及びＤ／Ａ変換などを実行し、携帯電話送信信号及び携帯電話受信信号が電子メールである場合には、テキストデータの処理などを実行する。【００２８】
一方、フィルタ１２２，１２４は、周波数帯域を切り換えるためのスイッチ１４１に接続され、スイッチ１４１は、チューナコントローラ１６０の制御に従って、フィルタ１２２，１２４のいずれか一方の出力信号をＤＴＶチューナ１５２に送る。チューナコントローラ１６０は、図２のキーボード２０７を介したユーザ入力などにより選局されたチャンネル情報などを含むコントローラ１８０からの制御信号に基づいて、スイッチ１４１の接続を切り換えるとともに、ＤＴＶチューナ１５２の復調動作を制御する。ここで、選局されるチャンネルが低域周波数帯Ｂ２Ｌに属する周波数を有する場合には、チューナコントローラ１６０は、アンテナ素子１０１で受信されてインピーダンス整合回路１１２及びフィルタ１２２を介して送られたＤＴＶの低域周波数信号をＤＴＶチューナ１５２に入力するようにスイッチ１４１を制御するとともに、入力された低域周波数信号の復調動作を実行するようにＤＴＶチューナ１５２を制御する。その一方、選局されるチャンネルが高域周波数帯Ｂ２Ｈに属する周波数を有する場合には、チューナコントローラ１６０は、アンテナ素子１０２で受信されてインピーダンス整合回路１１４及びフィルタ１２４を介して送られたＤＴＶの高域周波数信号をＤＴＶチューナ１５２に入力するようにスイッチ１４１を制御するとともに、入力された高域周波数信号の復調動作を実行するようにＤＴＶチューナ１５２を制御する。ＤＴＶチューナ１５２で復調された信号は、映像及び音声の再生などを含むさらなる処理のために、無線通信回路１７０の外部のコントローラ１８０及び／又は他の再生回路など（図示せず。）に送られる。【００２９】
チューナコントローラ１６０はまた、送信回路１５１ａが携帯電話送信信号を送信しているときに、スイッチ１４１がＤＴＶの高域周波数信号を受信するＤＴＶチューナ１５２を、フィルタ１２４及びインピーダンス整合回路１１４を介して、携帯電話送信信号を送信していないアンテナ素子１０２に接続するようにスイッチ１４１を制御する一方、送信１５１ａが携帯電話送信信号を送信していないときに、スイッチ１４１がＤＴＶチューナ１５２をフィルタ１２２及びインピーダンス整合回路１１２を介してアンテナ素子１０１に接続するか、もしくはＤＴＶチューナ１５２をフィルタ１２４及びインピーダンス整合回路１１４を介してアンテナ素子１０２に接続するようにスイッチ１４１を制御してもよい。これにより、アンテナ素子１０１を用いて送信される帯域Ｂ１の携帯電話送信信号に妨害されずに、帯域Ｂ２ＨのＤＴＶの高域周波数信号をアンテナ素子１０２を用いて受信することができる。【００３０】
図２及び図３は、本実施形態の携帯無線通信装置１００の全体構成をそれぞれ正面及び側面から概略的に示す透視図である。図２及び図３において、本実施形態の携帯無線通信装置１００は、ほぼ直方体形状の上部筐体２０１と下部筐体２０２とを備え、これらがヒンジ部２０３により連結された折りたたみ型の携帯電話機として構成されている。図２及び図３では、携帯無線通信装置１００を開いた状態で示す。上部筐体２０１は、一部あるいは全部がマグネシウムや亜鉛等の導電性材料で構成され、内側上部筐体として設けられるアンテナ素子１０１と、外側上部筐体２０１ａとで構成されている。ここで、携帯無線通信装置１００を電話機として通話のために使用する際にユーザの頭部に近接する側を携帯無線通信装置１００の「内側」といい、ユーザの頭部から離れた側を携帯無線通信装置１００の「外側」という。内側上部筐体の一部分のみがアンテナ素子１０１として動作するように構成してもよい。内側上部筐体（すなわちアンテナ素子１０１）と外側上部筐体２０１ａとは、内側上部筐体の下端部（すなわちヒンジ部２０３に近接した側）において、内側上部筐体から外側上部筐体２０１ａに貫通するように設けられたネジ２１１，２１２により固定される。例えば、ネジ２１１は、図３に示すように、外側上部筐体２０１ａのネジ受け部２１３に螺嵌することによって固定される。図示を省略するが、ネジ２１２も同様に固定される。内側上部筐体上には、ＤＴＶの映像及び他の情報を表示するディスプレイ２０４が設けられ、ディスプレイ２０４の上方（すなわち、内側上部筐体上において、ヒンジ部２０３から遠隔した側）には、通話の相手の音声を再生し、さらにＤＴＶの視聴時にその音声を再生するスピーカ２０５が設けられる。ＤＴＶの音声を再生するためのスピーカは、スピーカ２０５とは別個に設けてもよい。下部筐体２０２の内側上には、ＤＴＶの選局などを含むユーザ入力を取得するためのキーボード２０７が設けられ、下部筐体２０２の下端部付近（すなわちヒンジ部２０３から遠隔した側）には、通話時にユーザの音声を取得するマイクロホン２０６が設けられる。下部筐体２０２内にはさらに、図１の無線通信回路１７０とコントローラ１８０（図２及び図３には図示せず。）を含む回路基板２０８が設けられ、また、下部筐体２０２の外側に近接するように充電池２０９が設けられる。さらに、ヒンジ部２０３内には、ストリップ状の導体にてなるアンテナ素子１０２が設けられる。アンテナ素子１０１は、給電線２２１を介して無線通信回路１７０に接続され、給電線２２１の一端は、円形の貫通孔となるように構成され、その貫通孔を通るネジ２１１とネジ受部２１３とによりアンテナ素子１０１と電気的に接続されるようにネジ止めされ、給電線２２１の他端は無線通信回路１７０上の端子２２３に電気的に接続される。アンテナ素子１０２は、給電線２２２を介して無線通信回路１７０に接続され、給電線２２２の一端は、アンテナ素子１０２の一端に設けられた給電点２２５に電気的に接続され、給電線２２２の他端は無線通信回路１７０上の端子２２４に電気的に接続される。以上の構成により、図１の携帯無線通信装置１００を携帯電話機として実装することができる。【００３１】
図４は、図１のアンテナ素子１０１及び整合回路部１１０ＡのＶＳＷＲ（Ｖｏｌｔａｇｅ  Ｓｔａｎｄｉｎｇ  Ｗａｖｅ  Ｒａｔｉｏ：電圧定在波比）特性を示すグラフであり、図５は、図１のアンテナ素子１０２及び整合回路部１１０ＢのＶＳＷＲ特性を示すグラフである。図４を参照すると、アンテナ素子１０１を介して帯域Ｂ１の携帯電話送信信号及び携帯電話受信信号を送受信する際のＶＳＷＲ特性と、帯域Ｂ２ＬのＤＴＶの低域周波数信号を受信する際のＶＳＷＲ特性とがわかる。図４では、携帯電話送信信号及び携帯電話受信信号の周波数とＤＴＶの低域周波数信号の周波数とは、妨害が生じない程度に離隔していることがわかり、また、このとき、アンテナ素子１０１に接続された整合回路部１１０Ａによって、携帯電話送信信号及び携帯電話受信信号を送受信するための適切なインピーダンス整合状態と、ＤＴＶの低域周波数信号を受信するための適切なインピーダンス整合状態とが達成されている。図５を参照すると、アンテナ素子１０２を介して帯域Ｂ１の携帯電話受信信号を受信する際のＶＳＷＲ特性と、帯域Ｂ２ＨのＤＴＶの高域周波数信号を受信する際のＶＳＷＲ特性とがわかる。図５では、携帯電話受信信号の周波数とＤＴＶの高域周波数信号の周波数とは近接しているが、両方とも受信動作であるので妨害は発生せず、また、このとき、アンテナ素子１０２に接続された整合回路部１１０Ｂによって、携帯電話受信信号を受信するための適切なインピーダンス整合状態と、ＤＴＶの高域周波数信号を受信するための適切なインピーダンス整合状態とが達成されている。図４及び図５より、携帯電話送信信号を送信するためのアンテナ素子１０１とＤＴＶの高域周波数信号を受信するためのアンテナ素子１０２とを分離することにより、送信される携帯電話送信信号がＤＴＶの高域周波数信号の受信特性に与える影響を抑圧可能であることがわかる。【００３２】
図６は、本実施形態の第１の変形例に係る携帯無線通信装置１００Ａの無線通信回路１７０の構成を示すブロック図である。この携帯無線通信装置１００Ａは、図１のスイッチ１４１、ＤＴＶチューナ１５２及びチューナコントローラ１６０に代えて、低域周波数信号と高域周波数信号を復調するためにそれぞれ設けられたＤＴＶ低域チューナ１５２ＡとＤＴＶ高域チューナ１５２Ｂとを備えたことを特徴とする。ここで、フィルタ１２２から出力される低域周波数信号はＤＴＶ低域チューナ１５２Ａに入力され、フィルタ１２４から出力される高域周波数信号はＤＴＶ高域チューナ１５２Ｂに入力される。ＤＴＶ低域チューナ１５２Ａ及びＤＴＶ高域チューナ１５２Ｂで復調された信号は、映像及び音声の再生などを含むさらなる処理のために、無線通信回路１７０の外部のコントローラ１８０に送られる。携帯無線通信装置１００Ａは、ＤＴＶ低域チューナ１５２Ａ及びＤＴＶ高域チューナ１５２Ｂによる復調処理を制御するコントローラをさらに備えてもよい。このようにＤＴＶの低域周波数信号と高域周波数信号とでチューナを分離することにより、低域周波数帯内のチャンネルを視聴しているときに高域周波数帯内のチャンネルを録画することが可能であり、又は、携帯無線通信装置１００Ａを電話機として使用しているときにＤＴＶの低域周波数帯から１つのチャンネルを録画し、ＤＴＶの高域周波数帯から１つのチャンネルを録画するように、携帯電話信号処理回路１５１、ＤＴＶ低域チューナ１５２Ａ及びＤＴＶ高域チューナ１５２Ｂを同時に動作させることが可能である。【００３３】
図７は、本実施形態の第２の変形例に係る携帯無線通信装置１００Ｂの無線通信回路１７０の構成を示すブロック図である。図１に示した実施形態では、携帯無線通信装置１００は２つのアンテナ素子１０１，１０２を備えていたが、これに限らず３つ以上のアンテナ素子を備えていてもよい。図７の携帯無線通信装置１００Ｂは３つのアンテナ素子１０１，１０２，１０３を備えた変形例を示す。【００３４】
追加のアンテナ素子１０３は、アンテナ素子１０３とその後段の構成要素とのインピーダンス整合のために設けられたインピーダンス整合回路１１５に接続され、インピーダンス整合回路１１５はフィルタ１２５を介して合成器１３３に接続される。インピーダンス整合回路１１５は、帯域Ｂ１の携帯電話受信信号を受信するために、アンテナ素子１０３と、フィルタ１２５又はフィルタ１２５を含むその後段の回路）とをインピーダンス整合させる。フィルタ１２５は、受信される携帯電話受信信号を通過させる帯域Ｂ１のバンドパスフィルタである。合成器１３３は、アンテナ素子１０１で受信されてインピーダンス整合回路１１１、フィルタ１２１及びサーキュレータ１３１とを介して入力された携帯電話受信信号と、アンテナ素子１０２で受信されてインピーダンス整合回路１１３及びフィルタ１２３を介して入力された携帯電話受信信号と、アンテナ素子１０３で受信されてインピーダンス整合回路１１５及びフィルタ１２５を介して入力された携帯電話受信信号とに対して合成ダイバーシチを行って、合成後の携帯電話受信信号を携帯電話信号処理回路１５１内の受信回路１５１ｂへ出力する。３つのアンテナ素子１０１，１０２，１０３で受信された携帯電話受信信号の合成ダイバーシチを実行することにより、携帯電話受信信号の受信性能は向上する。図７に示す変形例の場合では、３つのアンテナ素子１０１，１０２，１０３のうちの任意の２つのみ（すなわち、アンテナ素子１０１，１０２）がＤＴＶの高域周波数信号及び低域周波数信号の受信のためにそれぞれ使用される。チューナコントローラ１６０によるスイッチ１４１の制御は、図１の場合と同様である。【００３５】
図８は、本実施形態の第３の変形例に係る携帯無線通信装置１００Ｃの無線通信回路１７０の構成を示すブロック図である。この変形例の携帯無線通信装置１００Ｃは、図７の変形例と同様に３つのアンテナ素子１０１，１０２，１０３を備えたことに加えて、ＤＴＶの周波数帯域を低域周波数帯と中域周波数帯（図８では「Ｂ２Ｍ」と表記する。）と高域周波数帯との３つに分割し、３つのアンテナ素子１０１，１０２，１０３のすべてを、携帯電話送信信号及び携帯電話受信信号とＤＴＶの信号とのために共用させること、すなわち、携帯電話送信信号及び携帯電話受信信号を送受信しかつＤＴＶの低域周波数信号を受信するためにアンテナ素子１０１を使用し、携帯電話受信信号を受信しかつＤＴＶの中域周波数信号を受信するためにアンテナ素子１０３を使用し、携帯電話受信信号を受信しかつＤＴＶの高域周波数信号を受信するためにアンテナ素子１０２を使用することを特徴とする。【００３６】
図８において、アンテナ素子１０３は、図７の変形例と同様にインピーダンス整合回路１１５及びフィルタ１２５を介して合成器１３３に接続されたことに加えて、アンテナ素子１０３とその後段の構成要素とのインピーダンス整合のために設けられたインピーダンス整合回路１１６に接続される。インピーダンス整合回路１１５，１１６はアンテナ素子１０３のための整合回路部１１０Ｃとして機能する。インピーダンス整合回路１１６の後段にはフィルタ１２６が接続され、インピーダンス整合回路１１６は、帯域Ｂ２ＭのＤＴＶの中域周波数信号を受信するために、アンテナ素子１０３と、フィルタ１２６（又はフィルタ１２６を含むその後段の回路）とをインピーダンス整合させる。フィルタ１２６は、受信されるＤＴＶの中域周波数信号を通過させる帯域Ｂ２Ｍのバンドパスフィルタである。図８の携帯無線通信装置１００Ｃは、図７のスイッチ１４１に代えてスイッチ１４２を備え、フィルタ１２２，１２４，１２６はそれぞれスイッチ１４２に接続される。スイッチ１４２は、チューナコントローラ１６０Ａの制御に従って、フィルタ１２２から出力される低域周波数信号、フィルタ１２４から出力される中域周波数信号、及びフィルタ１２６から出力される高域周波数信号のいずれか１つをＤＴＶチューナ１５２に送る。【００３７】
この携帯無線通信装置１００Ｃはさらに、３つよりも多くのアンテナ素子を備えてもよく、また、ＤＴＶの周波数帯域を３つよりも多くの帯域に分割し、分割された各帯域に属する周波数を有する信号をそれぞれ異なるアンテナ素子で受信し、受信された各信号のいずれか１つをＤＴＶチューナ１５２に入力するように構成してもよい。さらに、それぞれ異なる周波数帯域のＤＴＶの信号を受信する３つよりも多くのＤＴＶチューナを備え、異なるアンテナ素子で受信されたＤＴＶの信号を異なるＤＴＶチューナで復調するように構成してもよい。【００３８】
図８の構成により、携帯無線通信装置１００Ｃ等から送信される携帯電話送信信号がＤＴＶの中域周波数信号及び高域周波数信号の受信特性を劣化させることなく通信でき、さらに、ＤＴＶの信号の周波数帯域に応じて、アンテナ素子１０１，１０２，１０３のうちで当該周波数帯域におけるＤＴＶの信号を受信するために適切なアンテナ素子を選択することができる。【００３９】
図９は、本発明の第１の実施形態の第４の変形例に係る携帯無線通信装置１００Ｄの無線通信回路１７０の構成を示すブロック図である。この変形例の携帯無線通信装置１００Ｄは、図１の合成器１３２に代えて、アンテナ素子１０１，１０２でそれぞれ受信された携帯電話受信信号に対する選択ダイバーシチを行うためのスイッチ１４３を備えたことを特徴とする。【００４０】
スイッチ１４３は、アンテナ素子１０１で受信されてインピーダンス整合回路１１１、フィルタ１２１及びサーキュレータ１３１とを介して入力された携帯電話受信信号と、アンテナ素子１０２で受信されてインピーダンス整合回路１１３及びフィルタ１２３を介して入力された携帯電話受信信号との一方を携帯電話信号処理回路１５１に送るように切り換える。携帯電話信号処理回路１５１は、図１の受信回路１５１ｂに代えて受信回路１５１ｃを備え、受信回路１５１ｃは、携帯電話受信信号の復調処理を実行するとともに、スイッチ１４３から送られた携帯電話受信信号のＲＳＳＩ（Ｒｅｃｅｉｖｅｄ  Ｓｉｇｎａｌ  Ｓｔｒｅｎｇｔｈ  Ｉｄｅｎｔｉｆｉｃａｔｉｏｎ：受信信号強度）を取得し、このＲＳＳＩが高くなるようにスイッチ１４３の切り換えを行う。詳しくは、受信回路１５１ｃは、アンテナ素子１０１で受信された携帯電話受信信号が当該受信回路１５１ｃに入力されている場合においてＲＳＳＩが所定のしきい値ＲＳＳＩ０より小さくなったときは、アンテナ素子１０２で受信された携帯電話受信信号を当該受信回路１５１ｃに入力するようにスイッチ１４３を切り換え、逆に、アンテナ素子１０２で受信された携帯電話受信信号が当該受信回路１５１ｃに入力されている場合においてＲＳＳＩがしきい値ＲＳＳＩ０より小さくなったときは、アンテナ素子１０１で受信された携帯電話受信信号を当該受信回路１５１ｃに入力するようにスイッチ１４３を切り換える。なお、以上の説明では、スイッチ１４３を切り換える基準として受信信号強度（ＲＳＳＩ）を使用したが、これに限らず、Ｃ／Ｎ（雑音電力に対する搬送波電力）、ＢＥＲ（Ｂｉｔ  Ｅｒｒｏｒ  Ｒａｔｅ）又はＰＥＲ（Ｐａｃｋｅｔ  Ｅｒｒｏｒ  Ｒａｔｅ）など、受信信号レベル又は受信特性の劣化が感知できる指標なら任意のもの使用可能である。このように、携帯無線通信装置１００Ｄは、受信時の無線環境の低下が検出された場合に、携帯電話受信信号を受信するアンテナ素子を切り換える選択ダイバーシチを実行し、それにより、ＲＳＳＩ等の受信信号レベルが高くなるようにスイッチ１４３を制御して、アンテナ素子１０１，１０２でそれぞれ受信された携帯電話受信信号のいずれか一方を携帯電話信号処理回路１５１に入力することができる。また、図４及び図５に示したような３つ以上のアンテナ素子を備えた携帯無線通信装置において、３つ以上のアンテナ素子でそれぞれ受信された携帯電話受信信号に対して選択ダイバーシチを実行するように構成してもよい。【００４１】
図２２は、本発明の第１の実施形態の第５の変形例に係る携帯無線通信装置１００Ｑの無線通信回路１７０の構成を示すブロック図である。アンテナ素子１０１を介して携帯電話送信信号の送信と携帯電話受信信号の受信とを両立するために、サーキュレータ１３１に代えて他の回路要素を用いてもよい。図２２の無線通信回路１７０は、図１のフィルタ１２１及びサーキュレータ１３１に代えてデュプレクサ（アンテナ共用器）１３１Ａを備えて構成される。デュプレクサ１３１Ａは、その内部構成要素としてフィルタ１３１Ａａ，１３１Ａｂを含み、フィルタ１３１Ａａは、送信される携帯電話送信信号を通過させる帯域Ｂ１のバンドパスフィルタであり、フィルタ１３１Ａｂは、受信される携帯電話受信信号を通過させる帯域Ｂ１のバンドパスフィルタである。インピーダンス整合回路１１１は、帯域Ｂ１の携帯電話送信信号及び携帯電話受信信号を送受信するために、アンテナ素子１０１と、デュプレクサ１３１Ａの各フィルタ１３１Ａａ，１３１Ａｂ（又はデュプレクサ１３１Ａを含むその後段の回路）とをインピーダンス整合させる。この構成により、本変形例においても、図１の場合と同様にアンテナ素子１０１を介して携帯電話送信信号及び携帯電話受信信号を送受信することができる。図２２の変形例の構成は、本実施形態の第１乃至第４の変形例の構成、また後述する第４の実施形態の構成に適用されてもよい。【００４２】
以上説明したように、本実施形態の携帯無線通信装置１００及びその変形例１００Ａ〜１００Ｄ，１００Ｒによれば、ＤＴＶの高域周波数信号を受信するためのアンテナ素子１０２と携帯電話送信信号を送信するためのアンテナ素子１０１とを別のアンテナ素子とすることにより、携帯無線通信装置１００等から送信される携帯電話送信信号がＤＴＶの高域周波数信号の受信特性を劣化させることなく通信できる。これにより、互いに近接した周波数帯を用いる複数の無線通信を実行可能な携帯無線通信装置１００を提供することができる。【００４３】
さらには、ＤＴＶの信号を受信するアンテナ素子と、携帯電話送信信号及び携帯電話受信信号を送受信するアンテナ素子及び／又は携帯電話受信信号を受信するアンテナ素子とを共通にすることにより、携帯無線通信装置におけるアンテナ素子の数を増やすことなくＤＴＶの視聴が可能となる。また、アンテナ素子１０１に接続された整合回路部１１０Ａによって、携帯電話送信信号及び携帯電話受信信号を送受信するための適切なインピーダンス整合状態と、ＤＴＶの低域周波数信号を受信するための適切なインピーダンス整合状態とが達成され、アンテナ素子１０２に接続された整合回路部１１０Ｂによって、携帯電話受信信号を受信するための適切なインピーダンス整合状態と、ＤＴＶの高域周波数信号を受信するための適切なインピーダンス整合状態とが達成されている。【００４４】
さらには、アンテナ素子１０１，１０２が常に携帯電話信号処理回路１５１に接続され、アンテナ素子１０１，１０２のいずれか一方が常にＤＴＶチューナ１５２に接続された状態にあるので、電話機として通話しているときにＤＴＶの番組を録画するなど、携帯無線通信装置１００等をＤＴＶチューナとして動作させ、それと同時に電話機として動作させることが可能である。【００４５】
さらには、ＤＴＶの信号を受信するためのアンテナ素子を低域周波数用と高域周波数用とに分けて使用することにより、１本のみのアンテナ素子を使用する場合よりも広帯域にわたってＤＴＶの受信特性を向上させることが可能である。【００４６】
さらには、図２及び図３に示すように、ＤＴＶの低域周波数信号（使用する周波数が低い方）を受信するためのアンテナ素子として、アンテナ素子１０２ではなく、アンテナ素子１０２よりサイズが大きなアンテナ素子１０１を選択したことにより、より良好な受信特性が得られる。【００４７】
なお、本実施形態において、携帯無線通信装置１００の構成を図２及び図３に示したが、これに限るものではない。【００４８】
第２の実施形態．
図１０は、本発明の第２の実施形態に係る携帯無線通信装置１００Ｅの無線通信回路１７０の構成を示すブロック図である。本実施形態の携帯無線通信装置１００Ｅは、携帯電話送信信号及び携帯電話受信信号の送受信機能とＤＴＶの受信機能とを備えるものである。本実施形態の携帯無線通信装置１００Ｅは、第１の実施形態と同様に携帯無線通信装置１００Ｅから送信される携帯電話送信信号がＤＴＶの高域周波数信号への妨害となることを防止するとともに、携帯電話送信信号を送信するためにアンテナ素子１０１，１０２のいずれかを選択して使用する選択ダイバーシチを実行することを特徴とする。【００４９】
図１０において、アンテナ素子１０１は、無線通信回路１７０上のインピーダンス整合回路１１１，１１２Ａに接続され、アンテナ素子１０２は、無線通信回路１７０上のインピーダンス整合回路１１３Ａ，１１４Ａに接続される。インピーダンス整合回路１１１，１１２Ａ，１１３Ａ，１１４Ａは、アンテナ素子１０１，１０２とその後段の構成要素とのインピーダンス整合のためにそれぞれ設けられ、インピーダンス整合回路１１１，１１２Ａはアンテナ素子１０１のための整合回路部１１０Ａとして機能し、インピーダンス整合回路１１３Ａ，１１４Ａはアンテナ素子１０２のための整合回路部１１０Ｂとして機能する。インピーダンス整合回路１１１の後段には、図１の携帯無線通信装置１００と同様にフィルタ１２１が接続され、インピーダンス整合回路１１１は、帯域Ｂ１の携帯電話送信信号及び携帯電話受信信号を送受信するために、アンテナ素子１０１と、フィルタ１２１（又はフィルタ１２１を含むその後段の回路）とをインピーダンス整合させる。インピーダンス整合回路１１２Ａの後段には、スイッチ１４１を介してフィルタ１２７が接続され、インピーダンス整合回路１１２Ａは、帯域Ｂ２Ｌ及びＢ２ＨのＤＴＶの信号を受信するために、アンテナ素子１０１と、スイッチ１４１及びフィルタ１２７（又はスイッチ１４１及びフィルタ１２７を含むその後段の回路）とをインピーダンス整合させる。図１０の携帯無線通信装置１００Ｅでは、簡単化のために、ＤＴＶの周波数帯域を高域周波数帯Ｂ２Ｈと低域周波数帯Ｂ２Ｌとに分割せず、携帯無線通信装置１００Ｅのインピーダンス整合回路１１２Ａ，１１４Ａ及びフィルタ１２７は、４７０ＭＨｚ〜７７０ＭＨｚの単一の周波数帯域にわたってＤＴＶの信号を処理する。インピーダンス整合回路１１３Ａの後段にはフィルタ１２３Ａが接続され、インピーダンス整合回路１１３Ａは、帯域Ｂ１の携帯電話送信信号及び携帯電話受信信号を送受信するために、アンテナ素子１０２と、フィルタ１２３Ａ（又はフィルタ１２３Ａを含むその後段の回路）とをインピーダンス整合させる。フィルタ１２３Ａは、送受信される携帯電話送信信号及び携帯電話受信信号を通過させる帯域Ｂ１のバンドパスフィルタである。また、インピーダンス整合回路１１４Ａの後段には、スイッチ１４１を介してフィルタ１２７が接続され、インピーダンス整合回路１１４Ａは、帯域Ｂ２Ｌ及びＢ２ＨのＤＴＶの信号を受信するために、アンテナ素子１０２と、スイッチ１４１及びフィルタ１２７（又はスイッチ１４１及びフィルタ１２７を含むその後段の回路）とをインピーダンス整合させる。【００５０】
フィルタ１２１は、サーキュレータ１３１を介してスイッチ１４４に接続され、また、フィルタ１２３Ａは、サーキュレータ１３４を介してスイッチ１４４に接続される。スイッチ１４４は、チューナコントローラ１６０Ｂの制御に従って、サーキュレータ１３１，１３４のいずれか一方を携帯電話信号処理回路１５１内の送信回路１５１ａに接続するように切り換える。よって、送信回路１５１ａで生成された送信すべき携帯電話送信信号は、スイッチ１４４の接続状態に応じて、サーキュレータ１３１、フィルタ１２１及びインピーダンス整合回路１１１を介してアンテナ素子１０１に送られるか、あるいは、サーキュレータ１３４、フィルタ１２３Ａ及びインピーダンス整合回路１１３Ａを介してアンテナ素子１０２に送られる。スイッチ１４４の切り換えにより、送信すべき携帯電話送信信号をアンテナ素子１０１，１０２のいずれか一方から携帯電話の基地局装置（図示せず。）に向けて放射する選択ダイバーシチを行うことができる。フィルタ１２１はさらに、サーキュレータ１３１を介して合成器１３２の１つの入力側端子に接続され、また、フィルタ１２３Ａはさらに、サーキュレータ１３４を介して合成器１３２のもう１つの入力側端子に接続される。合成器１３２は、アンテナ素子１０１で受信されてインピーダンス整合回路１１１、フィルタ１２１及びサーキュレータ１３１とを介して入力された携帯電話受信信号と、アンテナ素子１０２で受信されてインピーダンス整合回路１１３Ａ、フィルタ１２３Ａ及びサーキュレータ１３４を介して入力された携帯電話受信信号とに対して合成ダイバーシチを行って、合成後の携帯電話受信信号を携帯電話信号処理回路１５１内の受信回路１５１ｂへ出力する。サーキュレータ１３１は、送信回路１５１ａからスイッチ１４４を介して入力された送信すべき携帯電話送信信号をフィルタ１２１のみに送り、また、フィルタ１２１から入力された携帯電話受信信号を合成器１３２のみに送る。同様に、サーキュレータ１３４は、送信回路１５１ａからスイッチ１４４を介して入力された送信すべき携帯電話送信信号をフィルタ１２３Ａのみに送り、また、フィルタ１２３Ａから入力された携帯電話受信信号を合成器１３２のみに送る。【００５１】
一方、スイッチ１４１は、チューナコントローラ１６０Ｂの制御に従って、インピーダンス整合回路１１２Ａ，１１４Ａのいずれか一方の出力信号をフィルタ１２７を介してＤＴＶチューナ１５２に送る。フィルタ１２７は、ＤＴＶの受信信号を通過させる帯域Ｂ２Ｌ及びＢ２Ｈのバンドパスフィルタである。【００５２】
コントローラ１８０は、携帯電話送信信号を携帯電話の基地局装置（図示せず。）に送信してから所定時間が経過した後になっても基地局装置からの応答信号が受信されなかったときなど、送信時の無線環境の低下が検出された場合に、送信のための選択ダイバーシチの実行を指示する制御信号をチューナコントローラ１６０Ｂに送る。コントローラ１８０は、ＤＴＶの信号の受信信号レベルが低下したときなどに、送信のための選択ダイバーシチの実行を指示する制御信号をチューナコントローラ１６０Ｂに送ってもよい。チューナコントローラ１６０Ｂは、この制御信号に従って、以下の２つの場合のいずれかの状態となるようにスイッチ１４１，１４４を連動させて切り換える。第１の場合では、図１０に示すように、スイッチ１４４は、送信回路１５１ａをサーキュレータ１３１（すなわち、アンテナ素子１０１に接続された側のサーキュレータ）に接続し、その一方、スイッチ１４１は、フィルタ１２７をインピーダンス整合回路１１４Ａ（すなわち、アンテナ素子１０２に接続された側のインピーダンス整合回路）に接続する。一方、第２の場合では、スイッチ１４４は、送信回路１５１ａをサーキュレータ１３４（すなわち、アンテナ素子１０２に接続された側のサーキュレータ）に接続し、その一方、スイッチ１４１は、フィルタ１２７をインピーダンス整合回路１１２Ａ（すなわち、アンテナ素子１０１に接続された側のインピーダンス整合回路）に接続する。従って、第１の場合では、送信回路１５１ａで生成された送信すべき携帯電話送信信号は、スイッチ１４４、サーキュレータ１３１、フィルタ１２１及びインピーダンス整合回路１１１を介してアンテナ素子１０１に送られて、アンテナ素子１０１から携帯電話の基地局装置に向けて放射され、その一方、アンテナ素子１０２で受信したＤＴＶの信号は、インピーダンス整合回路１１４Ａ、スイッチ１４１、フィルタ１２７を介してＤＴＶチューナ１５２に送られて、復調などの信号処理が実行される。第２の場合では、送信回路１５１ａで生成された送信すべき携帯電話送信信号は、スイッチ１４４、サーキュレータ１３４、フィルタ１２３Ａ及びインピーダンス整合回路１１３Ａを介してアンテナ素子１０２に送られて、アンテナ素子１０２から携帯電話の基地局装置に向けて放射され、その一方、アンテナ素子１０１で受信したＤＴＶの信号は、インピーダンス整合回路１１２Ａ、スイッチ１４１、フィルタ１２７を介してＤＴＶチューナ１５２に送られて、復調などの信号処理が実行される。コントローラ１８０からチューナコントローラ１６０Ｂに送られる制御信号は、さらに、キーボード２０７を介したユーザ入力などにより選局されたチャンネル情報などを含み、チューナコントローラ１６０Ｂは、このチャンネル情報などに基づいてＤＴＶチューナ１５２の復調動作を制御する。【００５３】
本実施形態の携帯無線通信装置１００Ｅによれば、アンテナ素子１０１，１０２が常に携帯電話信号処理回路１５１に接続され、アンテナ素子１０１，１０２のいずれか一方が常にＤＴＶチューナ１５２に接続された状態にあるので、電話機として通話しているときにＤＴＶの番組を録画するなど、携帯無線通信装置１００ＥをＤＴＶチューナとして動作させ、それと同時に電話機として動作させることが可能である。【００５４】
図１１は、本発明の第２の実施形態の第１の変形例に係る携帯無線通信装置１００Ｆの無線通信回路１７０の構成を示すブロック図である。この変形例は、図１０の携帯無線通信装置１００Ｅにおいてスイッチ１４１の後段に設けられたフィルタ１２７を、スイッチ１４１の前段に移動させた構成を有することを特徴とする。この変形例では、図１０におけるスイッチ１４１及びＤＴＶチューナ１５２の間に設けられたフィルタ１２７に代えて、インピーダンス整合回路１１２Ａ及びスイッチ１４１の間に設けられたフィルタ１２２Ａと、インピーダンス整合回路１１４Ａ及びスイッチ１４１の間に設けられたフィルタ１２４Ａとを備えている。インピーダンス整合回路１１２Ａは、ＤＴＶの信号を受信するために、アンテナ素子１０１と、スイッチ１４１及びフィルタ１２７（又はスイッチ１４１及びフィルタ１２７を含むその後段の回路）とをインピーダンス整合させ、インピーダンス整合回路１１４Ａは、ＤＴＶの信号を受信するために、アンテナ素子１０２と、スイッチ１４１及びフィルタ１２７（又はスイッチ１４１及びフィルタ１２７を含むその後段の回路）とをインピーダンス整合させる。フィルタ１２２Ａ，１２４Ａは、フィルタ１２７と同様に、ＤＴＶの受信信号を通過させる帯域Ｂ２Ｌ，Ｂ２Ｈのバンドパスフィルタである。【００５５】
チューナコントローラ１６０Ｂはまた、送信回路１５１ａがサーキュレータ１３１（すなわち、アンテナ素子１０１に接続された側のサーキュレータ）に接続されている場合、スイッチ１４１がＤＴＶの高域周波数信号を受信するＤＴＶチューナ１５２をフィルタ１２４Ａ及びインピーダンス整合回路１１４Ａを介してアンテナ素子１０２に接続するようにスイッチ１４１を制御する一方、送信回路１５１ａがサーキュレータ１３４（すなわち、アンテナ素子１０２に接続された側のサーキュレータ）に接続されている場合、スイッチ１４１がＤＴＶの高域周波数信号を受信するＤＴＶチューナ１５２をフィルタ１２２Ａ及びインピーダンス整合回路１１２Ａを介してアンテナ素子１０１に接続するようにスイッチ１４１を制御してもよい。従って、前者の場合において、帯域Ｂ１の携帯電話送信信号がアンテナ素子１０１を用いて送信されるときに、帯域Ｂ２ＨのＤＴＶの高域周波数信号をアンテナ素子１０２を用いて、上記携帯電話送信信号の妨害なしに受信できる。また、後者の場合において、帯域Ｂ１の携帯電話送信信号が１０２アンテナ素子を用いて送信されるときに、帯域Ｂ２ＨのＤＴＶの高域周波数信号をアンテナ素子１０１を用いて、上記携帯電話送信信号の妨害なしに受信できる。【００５６】
図１２は、本実施形態の第２の変形例に係る携帯無線通信装置１００Ｇの無線通信回路１７０の構成を示すブロック図である。この変形例では、図１１の携帯無線通信装置１００Ｆの構成に加えて、図９に示した携帯無線通信装置１００Ｄと同様に、アンテナ素子１０１，１０２でそれぞれ受信された携帯電話受信信号に対して選択ダイバーシチを行うためのスイッチ１４３及び受信回路１５１ｃを備えたことを特徴とする。これにより、携帯無線通信装置１００Ｇは、受信時の無線環境の低下が検出された場合に、携帯電話受信信号を受信するアンテナ素子を切り換える選択ダイバーシチを実行し、それにより、ＲＳＳＩ等の受信信号レベルが高くなるようにスイッチ１４３を制御して、アンテナ素子１０１，１０２でそれぞれ受信された携帯電話受信信号のいずれか一方を携帯電話信号処理回路１５１に入力することができる。【００５７】
図１３は、本実施形態の第３の変形例に係る携帯無線通信装置１００Ｈの無線通信回路１７０の構成を示すブロック図である。この変形例は、図１１の携帯無線通信装置１００Ｆの構成に加えて、ＤＴＶの低域周波数信号（すなわち、４７０ＭＨｚ〜５５７ＭＨｚの周波数範囲に属する信号）を受信しているときに限って、アンテナ素子１０１，１０２でそれぞれ受信されたＤＴＶの信号に対する選択ダイバーシチを実行するようにスイッチ１４１を切り換えることを特徴とする。【００５８】
図１３において、携帯無線通信装置１００Ｈのチューナコントローラ１６０Ｃは、ＤＴＶの高域周波数信号（すなわち、５５７ＭＨｚ〜７７０ＭＨｚの周波数範囲に属する信号）を受信しているときは、図１０及び図１１と同様にスイッチ１４１，１４４を連動させて制御する。しかしながら、チューナコントローラ１６０Ｃは、ＤＴＶの低域周波数信号を受信しているときは、ＤＴＶの受信信号強度ＲＳＳＩをＤＴＶチューナ１５２によって取得する。チューナコントローラ１６０Ｃは、ＤＴＶの低域周波数信号を受信中に取得したＲＳＳＩが、ＤＴＶの画像が乱れる限界値に等しい所定のしきい値ＲＳＳＩ０より小さくなったとき、スイッチ１４４の接続状態は変化させることなく、ＤＴＶの受信信号のＲＳＳＩが高くなるようにスイッチ１４１の接続を切り換える。詳しくは、チューナコントローラ１６０Ｃは、アンテナ素子１０１で受信されたＤＴＶの低域周波数信号がＤＴＶチューナ１５２に入力されている場合においてＲＳＳＩがしきい値ＲＳＳＩ０より小さくなったときは、アンテナ素子１０２で受信されたＤＴＶの低域周波数信号をＤＴＶチューナ１５２に入力するようにスイッチ１４１を切り換え、逆に、アンテナ素子１０２で受信されたＤＴＶの低域周波数信号がＤＴＶチューナ１５２に入力されている場合においてＲＳＳＩがしきい値ＲＳＳＩ０より小さくなったときは、アンテナ素子１０１で受信されたＤＴＶの低域周波数信号をＤＴＶチューナ１５２に入力するようにスイッチ１４１を切り換える。なお、本実施形態では、スイッチ１４１を切り換える基準としてＲＳＳＩを使用したが、これに限らず、Ｃ／Ｎ、ＢＥＲ又はＰＥＲなど、受信信号レベル又は受信特性の劣化が感知できる指標なら任意のもの使用可能である。【００５９】
これにより、携帯無線通信装置１００Ｈは、受信時の無線環境の低下が検出された場合に、ＤＴＶの低域周波数信号を受信するアンテナ素子を切り換える選択ダイバーシチを実行し、それにより、ＲＳＳＩ等の受信信号レベルが高くなるようにスイッチ１４１を制御して、アンテナ素子１０１，１０２でそれぞれ受信されたＤＴＶの低域周波数信号のいずれか一方をＤＴＶチューナ１５２に入力することができる。【００６０】
チューナコントローラ１６０Ｃはまた、スイッチ１４１がＤＴＶチューナ１５２をフィルタ１２２Ａ及びインピーダンス整合回路１１２Ａを介してアンテナ素子１０１に接続しているときに、ＤＴＶチューナ１５２によって受信されるＤＴＶの高域周波数信号及び低域周波数信号のＲＳＳＩがしきい値ＲＳＳＩ０よりも小さくなったときに、ＤＴＶチューナ１５２をフィルタ手段１２４Ａ及びインピーダンス整合回路１１４Ａを介してアンテナ素子１０２に接続するようにスイッチ１４１を制御する一方、スイッチ１４１がＤＴＶチューナ１５２をフィルタ１２４Ａ及びインピーダンス整合回路１１４Ａを介してアンテナ素子１０２に接続しているときに、ＤＴＶチューナ１５２によって受信されるＤＴＶの高域周波数信号及び低域周波数信号のＲＳＳＩがしきい値ＲＳＳＩ０よりも小さくなったときに、ＤＴＶチューナ１５２をフィルタ１２２Ａ及びインピーダンス整合回路１１２Ａを介してアンテナ素子１０１に接続するようにスイッチ１４１を制御してもよい。従って、ＤＴＶの高域周波数信号又は低域周波数信号のＲＳＳＩがしきい値ＲＳＳＩ０よりも小さくなったときに、アンテナ素子１０１の代わりにアンテナ素子１０２をＤＴＶチューナ１５２に接続したり、アンテナ素子１０２の代わりにアンテナ素子１０１をＤＴＶチューナ１５２に接続したりする。これにより、より大きな信号レベルを受信するアンテナ素子１０１又は１０２を利用できる。【００６１】
図１４は、本実施形態の第４の変形例に係る携帯無線通信装置１００Ｉの無線通信回路１７０の構成を示すブロック図である。この変形例の携帯無線通信装置１００Ｉは、図１０の携帯無線通信装置１００Ｅと同様に送信される携帯電話送信信号のための選択ダイバーシチを実行することに加えて、低域周波数信号と高域周波数信号を復調するためにそれぞれ設けられたＤＴＶ低域チューナ１５２ＡとＤＴＶ高域チューナ１５２Ｂとを備え、携帯電話送信信号及び携帯電話受信信号の送受信に使用されるアンテナ素子によりＤＴＶの低域周波数信号を受信するとともに、携帯電話受信信号の受信のみに使用されるアンテナ素子によりＤＴＶの高域周波数信号を受信することを特徴とする。ＤＴＶの周波数帯域は、第１の実施形態と同様に、４７０ＭＨｚ〜５５７ＭＨｚの低域周波数帯と、５５７ＭＨｚ〜７７０ＭＨｚの高域周波数帯とに分割される。【００６２】
図１４において、アンテナ素子１０１は、無線通信回路１７０上のインピーダンス整合回路１１１，１１２Ｂに接続され、アンテナ素子１０２は、無線通信回路１７０上のインピーダンス整合回路１１３Ａ，１１４Ｂに接続される。インピーダンス整合回路１１１，１１２Ｂ，１１３Ａ，１１４Ｂは、アンテナ素子１０１，１０２とその後段の構成要素とのインピーダンス整合のためにそれぞれ設けられ、インピーダンス整合回路１１１，１１２Ｂはアンテナ素子１０１のための整合回路部１１０Ａとして機能し、インピーダンス整合回路１１３Ａ，１１４Ｂはアンテナ素子１０２のための整合回路部１１０Ｂとして機能する。インピーダンス整合回路１１１の後段には、図１０の携帯無線通信装置１００Ｅと同様に、フィルタ１２１、サーキュレータ１３１、スイッチ１４４、合成器１３２、及び携帯電話信号処理回路１５１が接続される。インピーダンス整合回路１１２Ｂの後段には、スイッチ回路１４５を介してフィルタ１２８，１２９のいずれかが接続され、インピーダンス整合回路１１２Ｂは、スイッチ１４５を介してフィルタ１２８に接続されているときは、ＤＴＶの低域周波数信号を受信するために、アンテナ素子１０１と、スイッチ１４５及びフィルタ１２８（又はスイッチ１４５及びフィルタ１２８を含むその後段の回路）とをインピーダンス整合させ、スイッチ１４５を介してフィルタ１２９に接続されているときは、ＤＴＶの高域周波数信号を受信するために、アンテナ素子１０１と、スイッチ１４５及びフィルタ１２９（又はスイッチ１４５及びフィルタ１２９を含むその後段の回路）とをインピーダンス整合させる。フィルタ１２８は、受信されたＤＴＶの低域周波数信号を通過させる帯域Ｂ２Ｌのバンドパスフィルタであり、フィルタ１２９は、受信されたＤＴＶの高域周波数信号を通過させる帯域Ｂ２Ｈのバンドパスフィルタである。インピーダンス整合回路１１３Ａの後段には、図１０の携帯無線通信装置１００Ｅと同様に、フィルタ１２３Ａ、サーキュレータ１３４、スイッチ１４４、合成器１３２、及び携帯電話信号処理回路１５１が接続される。また、インピーダンス整合回路１１４Ｂの後段には、スイッチ回路１４５を介してフィルタ１２８，１２９のいずれかが接続され、インピーダンス整合回路１１４Ｂは、スイッチ１４５を介してフィルタ１２８に接続されているときは、ＤＴＶの低域周波数信号を受信するために、アンテナ素子１０２と、スイッチ１４５及びフィルタ１２８（又はスイッチ１４５及びフィルタ１２８を含むその後段の回路）とをインピーダンス整合させ、スイッチ１４５を介してフィルタ１２９に接続されているときは、ＤＴＶの高域周波数信号を受信するために、アンテナ素子１０２と、スイッチ１４５及びフィルタ１２９（又はスイッチ１４５及びフィルタ１２９を含むその後段の回路）とをインピーダンス整合させる。【００６３】
スイッチ回路１４５は、図１４に示すように、フィルタ１２８に接続されたスイッチ１４５ａと、フィルタ１２９に接続されたスイッチ１４５ｂとを備え、チューナコントローラ１６０Ｄの制御に従って、インピーダンス整合回路１１２Ｂ，１１４Ｂの出力信号のうちの一方の出力信号をフィルタ１２８を介してＤＴＶ低域チューナ１５２Ａに送り、他方の出力信号をフィルタ１２９を介してＤＴＶ高域チューナ１５２Ｂに送るように切り換える。【００６４】
チューナコントローラ１６０Ｄは、図１０に示した携帯無線通信装置１００Ｅの場合と同様に、送信のための選択ダイバーシチの実行を指示するコントローラ１８０からの制御信号に従って、以下の２つの場合のいずれかの状態となるようにスイッチ１４４，１４５を連動させて切り換える。第１の場合では、図１４に示すように、スイッチ１４４は、送信回路１５１ａをサーキュレータ１３１（すなわち、アンテナ素子１０１に接続された側のサーキュレータ）に接続し、その一方、スイッチ回路１４５は、フィルタ１２８をインピーダンス整合回路１１２Ｂ（すなわち、アンテナ素子１０１に接続された側のインピーダンス整合回路）に接続し、フィルタ１２９をインピーダンス整合回路１１４Ｂ（すなわち、アンテナ素子１０２に接続された側のインピーダンス整合回路）に接続する。一方、第２の場合では、スイッチ１４４は、送信回路１５１ａをサーキュレータ１３４（すなわち、アンテナ素子１０２に接続された側のサーキュレータ）に接続し、その一方、スイッチ回路１４５は、フィルタ１２８をインピーダンス整合回路１１４Ｂ（すなわち、アンテナ素子１０２に接続された側のインピーダンス整合回路）に接続し、フィルタ１２９をインピーダンス整合回路１１２Ｂ（すなわち、アンテナ素子１０１に接続された側のインピーダンス整合回路）に接続する。従って、第１の場合では、送信回路１５１ａで生成された送信すべき携帯電話送信信号は、スイッチ１４４、サーキュレータ１３１、フィルタ１２１及びインピーダンス整合回路１１１を介してアンテナ素子１０１に送られ、アンテナ素子１０１から携帯電話の基地局装置に向けて放射され、その一方、アンテナ素子１０１で受信したＤＴＶの低域周波数信号は、インピーダンス整合回路１１２Ｂ、スイッチ回路１４５、フィルタ１２８を介してＤＴＶ低域チューナ１５２Ａに送られて、復調などの信号処理が実行され、アンテナ素子１０２で受信したＤＴＶの高域周波数信号は、インピーダンス整合回路１１４Ｂ、スイッチ回路１４５、フィルタ１２９を介してＤＴＶ高域チューナ１５２Ｂに送られて、復調などの信号処理が実行される。第２の場合では、送信回路１５１ａで生成された送信すべき携帯電話送信信号は、スイッチ１４４、サーキュレータ１３４、フィルタ１２３Ａ及びインピーダンス整合回路１１３Ａを介してアンテナ素子１０２に送られ、アンテナ素子１０２から携帯電話の基地局装置に向けて放射され、その一方、アンテナ素子１０１で受信したＤＴＶの高域周波数信号は、インピーダンス整合回路１１２Ｂ、スイッチ回路１４５、フィルタ１２９を介してＤＴＶ高域チューナ１５２Ｂに送られて、復調などの信号処理が実行され、アンテナ素子１０２で受信したＤＴＶの低域周波数信号は、インピーダンス整合回路１１４Ｂ、スイッチ回路１４５、フィルタ１２８を介してＤＴＶ低域チューナ１５２Ａに送られて、復調などの信号処理が実行される。【００６５】
ＤＴＶ低域チューナ１５２Ａ及びＤＴＶ高域チューナ１５２Ｂで復調された信号は、映像及び音声の再生などを含むさらなる処理のために、無線通信回路１７０の外部のコントローラ１８０及び／又は他の再生回路など（図示せず。）に送られる。チューナコントローラ１６０Ｄはさらに、ＤＴＶ低域チューナ１５２Ａ及びＤＴＶ高域チューナ１５２Ｂによる復調処理を制御してもよい。【００６６】
図１４の携帯無線通信装置１００Ｉによれば、アンテナ素子１０１，１０２が常に携帯電話信号処理回路１５１に接続されるとともに、常にＤＴＶ低域チューナ１５２Ａ及びＤＴＶ高域チューナ１５２Ｂに接続された状態にあるので、電話機として通話しているときにＤＴＶの番組を録画するなど、携帯無線通信装置１００ＩをＤＴＶチューナとして動作させ、それと同時に電話機として動作させることが可能である。【００６７】
また、ＤＴＶの低域周波数信号と高域周波数信号とでチューナを分離したことにより、図６の携帯無線通信装置１００Ａの場合と同様に、低域周波数帯内のチャンネルを視聴しているときに高域周波数帯内のチャンネルを録画することが可能であり、又は、携帯無線通信装置１００Ａを電話機として使用しているときにＤＴＶの低域周波数帯から１つのチャンネルを録画し、ＤＴＶの高域周波数帯から１つのチャンネルを録画するように、携帯電話信号処理回路１５１、ＤＴＶ低域チューナ１５２Ａ及びＤＴＶ高域チューナ１５２Ｂを同時に動作させることが可能である。【００６８】
従って、帯域Ｂ１の携帯電話送信信号がアンテナ素子１０１を用いて送信されるときに、帯域Ｂ２ＨのＤＴＶの高域周波数信号をアンテナ素子１０２を用いてＤＴＶ高域チューナ１５２Ｂにより、上記携帯電話送信信号の妨害なしに受信できる。また、帯域Ｂ１の携帯電話送信信号がアンテナ素子１０２を用いて送信されるときに、帯域Ｂ２ＨのＤＴＶの高域周波数信号をアンテナ素子１０１を用いてＤＴＶ高域チューナ１５２Ｂにより、上記携帯電話送信信号の妨害なしに受信できる。【００６９】
図１５は、本実施形態の第５の変形例に係る携帯無線通信装置１００Ｊの無線通信回路１７０の構成を示すブロック図である。この変形例では、図１４の携帯無線通信装置１００Ｉの構成に加えて、図９に示した携帯無線通信装置１００Ｄと同様に、アンテナ素子１０１，１０２でそれぞれ受信された携帯電話受信信号に対して選択ダイバーシチを行うためのスイッチ１４３及び受信回路１５１ｃを備えたことを特徴とする。このように、携帯無線通信装置１００Ｊは、受信時の無線環境の低下が検出された場合に、携帯電話受信信号を受信するアンテナ素子を切り換える選択ダイバーシチを実行し、それにより、ＲＳＳＩ等の受信信号レベルが高くなるようにスイッチ１４３を制御して、アンテナ素子１０１，１０２でそれぞれ受信された携帯電話受信信号のいずれか一方を携帯電話信号処理回路１５１に入力することができる。【００７０】
図２３は、本発明の第２の実施形態の第６の変形例に係る携帯無線通信装置１００Ｒの無線通信回路１７０の構成を示すブロック図である。この変形例では、図１４の無線通信回路１７０でスイッチ１４５の後段に設けられたフィルタ１２８，１２９に代えて、図１１の構成と同様にインピーダンス整合回路１１２Ｂ，１１４Ｂの直後に設けられたフィルタ１２２Ａ，１２４Ａを備えたことを特徴とする。チューナコントローラ１６０Ｄは、送信回路１５１ａがサーキュレータ１３１（すなわち、アンテナ素子１０１に接続された側のサーキュレータ）に接続されている場合、スイッチ１４５がＤＴＶ高域チューナ１５２Ｂをフィルタ１２４Ａ及びインピーダンス整合回路１１４Ｂを介してアンテナ素子１０２に接続するようにスイッチ１４５を制御する一方、送信回路１５１ａがサーキュレータ１３４（すなわち、アンテナ素子１０２に接続された側のサーキュレータ）に接続されている場合、スイッチ１４５がＤＴＶ高域チューナ１５２Ｂをフィルタ１２２Ａ及びインピーダンス整合回路１１２Ｂを介してアンテナ素子１０１に接続するようにスイッチ１４５を制御する。【００７１】
図２４は、本発明の第２の実施形態の第７の変形例に係る携帯無線通信装置１００Ｓの無線通信回路１７０の構成を示すブロック図である。第１の実施形態の第５の変形例（図２２を参照）と同様に、アンテナ素子１０２を介して携帯電話送信信号の送信と携帯電話受信信号の受信とを両立するために、サーキュレータ１３１，１３４に代えて他の回路要素を用いてもよい。図２４の無線通信回路１７０は、図１１のフィルタ１２１及びサーキュレータ１３１に代えてデュプレクサ１３１Ａを備え、フィルタ１２３Ａ及びサーキュレータ１３４に代えてデュプレクサ１３４Ａを備えて構成される。デュプレクサ１３１Ａは図２２の場合と同様に構成される。デュプレクサ１３４Ａは、その内部構成要素としてフィルタ１３４Ａａ，１３４Ａｂを含み、フィルタ１３４Ａａは、送信される携帯電話送信信号を通過させる帯域Ｂ１のバンドパスフィルタであり、フィルタ１３４Ａｂは、受信される携帯電話受信信号を通過させる帯域Ｂ１のバンドパスフィルタである。インピーダンス整合回路１１３Ａは、帯域Ｂ１の携帯電話送信信号及び携帯電話受信信号を送受信するために、アンテナ素子１０２と、デュプレクサ１３４Ａの各フィルタ１３４Ａａ，１３４Ａｂ（又はデュプレクサ１３４Ａを含むその後段の回路）とをインピーダンス整合させる。この構成により、本変形例においても、図１１の場合と同様にアンテナ素子１０１，１０２を介して携帯電話送信信号及び携帯電話受信信号を送受信することができる。図２４の変形例の構成は、本実施形態の第１乃至第５の変形例の構成、また後述する第３の実施形態の構成に適用されてもよい。【００７２】
以上説明したように、第２の実施形態の携帯無線通信装置１００Ｅ〜１００Ｊ，１００Ｓによれば、ＤＴＶの信号を受信するためのアンテナ素子と携帯電話送信信号を送信するためのアンテナ素子とを別のアンテナ素子とすることにより、送信される携帯電話送信信号がＤＴＶの高域周波数信号の受信特性を劣化させることなく通信できる。【００７３】
さらには、ＤＴＶの信号を受信するアンテナ素子と、携帯電話送信信号及び携帯電話受信信号を送受信するアンテナ素子及び携帯電話受信信号を受信するアンテナ素子とを共通にすることにより、アンテナ素子の数を増やすことなくＤＴＶの視聴が可能となる。【００７４】
第３の実施形態．
図１６は、本発明の第３の実施形態に係る携帯無線通信装置１００Ｋの無線通信回路１７０の構成を示すブロック図である。本実施形態の携帯無線通信装置１００Ｋは、携帯電話送信信号及び携帯電話受信信号の送受信機能とＤＴＶの受信機能とを備えるものである。本実施形態の携帯無線通信装置１００Ｋは、図１０に示した携帯無線通信装置１００Ｅと同様に携帯電話送信信号を送信するためのアンテナ素子を選択する選択ダイバーシチを実行するように構成され、このとき、アンテナ素子１０１，１０２でそれぞれ受信されたＤＴＶの信号のいずれかを選択するためにインピーダンス整合回路の後段に設けられたスイッチ１４１に代えて、インピーダンス整合回路の前段に設けられたスイッチ１４６を備えたことを特徴とする。【００７５】
図１６において、アンテナ素子１０１は、無線通信回路１７０上のインピーダンス整合回路３１１に接続されるとともに、無線通信回路１７０上のスイッチ１４６を介してインピーダンス整合回路３１２Ａに接続され、アンテナ素子１０２は、無線通信回路１７０上のインピーダンス整合回路３１３に接続されるとともに、無線通信回路１７０上のスイッチ１４６を介してインピーダンス整合回路３１２に接続される。スイッチ１４６は、詳細後述するようにチューナコントローラ１６０Ｅの制御に従って、アンテナ素子１０１，１０２のいずれか一方をインピーダンス整合回路３１２に接続する。インピーダンス整合回路３１１，３１２，３１３は、アンテナ素子１０１，１０２とその後段の構成要素とのインピーダンス整合のためにそれぞれ設けられる。スイッチ１４６がアンテナ素子１０１をインピーダンス整合回路３１２に接続しているとき、インピーダンス整合回路３１１，３１２はアンテナ素子１０１のための整合回路部１１０Ａａとして機能し、インピーダンス整合回路３１３のみがアンテナ素子１０２のためのインピーダンス整合回路として機能し、一方、スイッチ１４６がアンテナ素子１０２をインピーダンス整合回路３１２に接続しているとき、インピーダンス整合回路３１１のみがアンテナ素子１０１のためのインピーダンス整合回路として機能し、インピーダンス整合回路３１２，３１３はアンテナ素子１０２のための整合回路部１１０Ｂａとして機能する。インピーダンス整合回路３１１の後段にはフィルタ３２１が接続され、インピーダンス整合回路３１１及びフィルタ３２１は、図１０の携帯無線通信装置１００Ｅのインピーダンス整合回路１１１及びフィルタ１２１と同様に構成され、フィルタ３２１の後段には、図１０の携帯無線通信装置１００Ｅと同様に、サーキュレータ１３１、スイッチ１４４、合成器１３２、及び携帯電話信号処理回路１５１が接続される。インピーダンス整合回路３１２の後段にはフィルタ３２２が接続され、インピーダンス整合回路３１２は、スイッチ１４６がアンテナ素子１０１をインピーダンス整合回路３１２に接続しているとき、ＤＴＶの信号を受信するために、スイッチ１４６を介して接続されたアンテナ素子１０１と、フィルタ３２２（又はフィルタ３２２を含むその後段の回路）とをインピーダンス整合させ、スイッチ１４６がアンテナ素子１０２をインピーダンス整合回路３１２に接続しているとき、帯域Ｂ２Ｌ，Ｂ２ＨのＤＴＶの信号を受信するために、スイッチ１４６を介して接続されたアンテナ素子１０２と、フィルタ３２２（又はフィルタ３２２を含むその後段の回路）とをインピーダンス整合させる。フィルタ３２２は、ＤＴＶの受信信号を通過させる帯域Ｂ２Ｌ，Ｂ２Ｈのバンドパスフィルタである。図１６の携帯無線通信装置１００Ｋでは、簡単化のために、ＤＴＶの周波数帯域を高域周波数帯Ｂ２Ｈと低域周波数帯Ｂ２Ｌとに分割せず、携帯無線通信装置１００Ｅのインピーダンス整合回路３１２及びフィルタ３２２は、４７０ＭＨｚ〜７７０ＭＨｚの単一の周波数帯域にわたってＤＴＶの信号を受信する。インピーダンス整合回路３１３の後段にはフィルタ３２３が接続され、インピーダンス整合回路３１３及びフィルタ３２３は、図１０の携帯無線通信装置１００Ｅのインピーダンス整合回路１１３Ａ及びフィルタ１２３Ａと同様に構成され、フィルタ３２３の後段には、図１０の携帯無線通信装置１００Ｅと同様に、サーキュレータ１３４、スイッチ１４４、合成器１３２、及び携帯電話信号処理回路１５１が接続される。【００７６】
チューナコントローラ１６０Ｅは、図１０に示した携帯無線通信装置１００Ｅの場合と同様に、送信のための選択ダイバーシチの実行を指示するコントローラ１８０からの制御信号に従って、以下の２つの場合のいずれかの状態となるようにスイッチ１４４，１４６を連動させて切り換える。第１の場合では、図１６に示すように、スイッチ１４４は、送信回路１５１ａをサーキュレータ１３１（すなわち、アンテナ素子１０１に接続された側のサーキュレータ）に接続し、その一方、スイッチ１４６は、アンテナ素子１０２をインピーダンス整合回路３１２に接続する。一方、第２の場合では、スイッチ１４４は、送信回路１５１ａをサーキュレータ１３４（すなわち、アンテナ素子１０２に接続された側のサーキュレータ）に接続し、その一方、スイッチ１４１は、アンテナ素子１０１をインピーダンス整合回路３１２に接続する。従って、第１の場合では、送信回路１５１ａで生成された送信すべき携帯電話送信信号は、スイッチ１４４、サーキュレータ１３１、フィルタ３２１及びインピーダンス整合回路３１１を介してアンテナ素子１０１に送られ、アンテナ素子１０１から携帯電話の基地局装置に向けて放射され、その一方、アンテナ素子１０２で受信したＤＴＶの信号は、スイッチ１４６、インピーダンス整合回路３１２、及びフィルタ３２２を介してＤＴＶチューナ１５２に送られて、復調などの信号処理が実行される。第２の場合では、送信回路１５１ａで生成された送信すべき携帯電話送信信号は、スイッチ１４４、サーキュレータ１３４、フィルタ３２３及びインピーダンス整合回路３１３を介してアンテナ素子１０２に送られ、アンテナ素子１０２から携帯電話の基地局装置に向けて放射され、その一方、アンテナ素子１０１で受信したＤＴＶの信号は、スイッチ１４６、インピーダンス整合回路３１２、及びフィルタ３２２を介してＤＴＶチューナ１５２に送られて、復調などの信号処理が実行される。【００７７】
チューナコントローラ１６０Ｅはまた、スイッチ１４４が送信回路１５１ａをフィルタ３２１及びインピーダンス整合回路３１１を介してアンテナ素子１０１に接続されて、送信回路１５１ａが携帯電話送信信号をアンテナ素子１０１を用いて送信しているとき、アンテナ素子１０２によって受信されたＤＴＶの高域周波数信号を、スイッチ１４６、インピーダンス整合回路３１２及びフィルタ３２２を介してＤＴＶチューナ１５２により受信されるようにスイッチ１４６を制御する一方、スイッチ１４４が送信回路１５１ａをフィルタ３２３及びインピーダンス整合回路３１３を介してアンテナ素子１０２に接続されて、送信回路１５１ａが携帯電話送信信号をアンテナ素子１０２を用いて送信しているとき、アンテナ素子１０１によって受信されたＤＴＶの高域周波数信号を、スイッチ１４６、インピーダンス整合回路３１２及びフィルタ３２２を介してＤＴＶチューナ１５２により受信されるようにスイッチ１４６を制御してもよい。これによれば、前者の場合において、アンテナ素子１０１を用いて送信される帯域Ｂ１の携帯電話送信信号に妨害されずに、帯域Ｂ２ＨのＤＴＶの高域周波数信号をアンテナ素子１０２を用いて受信することができる。また、後者の場合において、アンテナ素子１０２を用いて送信される帯域Ｂ１の携帯電話送信信号に妨害されずに、帯域Ｂ２ＨのＤＴＶの高域周波数信号をアンテナ素子１０１を用いて受信することができる。【００７８】
本実施形態の携帯無線通信装置１００Ｋによれば、アンテナ素子１０１，１０２が常に携帯電話信号処理回路１５１に接続され、アンテナ素子１０１，１０２のいずれか一方が常にＤＴＶチューナ１５２に接続された状態にあるので、電話機として通話しているときにＤＴＶの番組を録画するなど、携帯無線通信装置１００ＫをＤＴＶチューナとして動作させ、それと同時に電話機として動作させることが可能である。【００７９】
図１７は、本発明の第３の実施形態の第１の変形例に係る携帯無線通信装置１００Ｌの無線通信回路１７０の構成を示すブロック図である。この変形例は、図１３の携帯無線通信装置１００Ｈと同様に、図１６の携帯無線通信装置１００Ｋの構成に加えて、ＤＴＶの低域周波数信号（すなわち、４７０ＭＨｚ〜５５７ＭＨｚの周波数範囲に属する信号）を受信しているときに限って、アンテナ素子１０１，１０２でそれぞれ受信されたＤＴＶの信号に対する選択ダイバーシチを実行するようにスイッチ１４６を切り換えることを特徴とする。【００８０】
図１７において、携帯無線通信装置１００Ｌのチューナコントローラ１６０Ｆは、ＤＴＶの高域周波数信号（すなわち、５５７ＭＨｚ〜７７０ＭＨｚの周波数範囲に属する信号）を受信しているときは、図１６の携帯無線通信装置１００Ｋと同様にスイッチ１４４，１４６を連動させて制御する。しかしながら、チューナコントローラ１６０Ｆは、ＤＴＶの低域周波数信号を受信しているときは、ＤＴＶの受信信号の信号強度ＲＳＳＩをＤＴＶチューナ１５２によって取得する。チューナコントローラ１６０Ｆは、ＤＴＶの低域周波数信号を受信中に取得したＲＳＳＩが、ＤＴＶの画像が乱れる限界値に等しい所定のしきい値ＲＳＳＩ０より小さくなったとき、スイッチ１４４の接続状態は変化させることなく、ＤＴＶの受信信号のＲＳＳＩが高くなるようにスイッチ１４６の接続を切り換える。詳しくは、チューナコントローラ１６０Ｆは、アンテナ素子１０１で受信されたＤＴＶの低域周波数信号がＤＴＶチューナ１５２に入力されている場合においてＲＳＳＩがしきい値ＲＳＳＩ０より小さくなったときは、アンテナ素子１０２で受信されたＤＴＶの低域周波数信号をＤＴＶチューナ１５２に入力するようにスイッチ１４６を切り換え、逆に、アンテナ素子１０２で受信されたＤＴＶの低域周波数信号がＤＴＶチューナ１５２に入力されている場合においてＲＳＳＩがしきい値ＲＳＳＩ０より小さくなったときは、アンテナ素子１０１で受信されたＤＴＶの低域周波数信号をＤＴＶチューナ１５２に入力するようにスイッチ１４６を切り換える。なお、本実施形態では、スイッチ１４６を切り換える基準としてＲＳＳＩを使用したが、これに限らず、Ｃ／Ｎ、ＢＥＲ又はＰＥＲなど、受信信号レベル又は受信特性の劣化が感知できる指標なら任意のもの使用可能である。【００８１】
これにより、携帯無線通信装置１００Ｈは、受信時の無線環境の低下が検出された場合に、ＤＴＶの低域周波数信号を受信するアンテナ素子を切り換える選択ダイバーシチを実行し、それにより、ＲＳＳＩ等の受信信号レベルが高くなるようにスイッチ１４６を制御して、アンテナ素子１０１，１０２でそれぞれ受信されたＤＴＶの低域周波数信号のいずれか一方をＤＴＶチューナ１５２に入力することができる。【００８２】
図１８は、本発明の第３の実施形態の第２の変形例に係る携帯無線通信装置１００Ｍの無線通信回路１７０の構成を示すブロック図である。この変形例の携帯無線通信装置１００Ｍは、図１６の携帯無線通信装置１００Ｋと同様に送信される携帯電話送信信号のための選択ダイバーシチを実行することに加えて、低域周波数信号と高域周波数信号を復調するためにそれぞれ設けられたＤＴＶ低域チューナ１５２ＡとＤＴＶ高域チューナ１５２Ｂとを備え、携帯電話送信信号及び携帯電話受信信号の送受信に使用されるアンテナ素子によりＤＴＶの低域周波数信号を受信するとともに、携帯電話受信信号の受信のみに使用されるアンテナ素子によりＤＴＶの高域周波数信号を受信することを特徴とする。ＤＴＶの周波数帯域は、第１の実施形態と同様に、４７０ＭＨｚ〜５５７ＭＨｚの低域周波数帯と、５５７ＭＨｚ〜７７０ＭＨｚの高域周波数帯とに分割される。【００８３】
図１８において、アンテナ素子１０１は、無線通信回路１７０上のインピーダンス整合回路１１１に接続されるとともに、無線通信回路１７０上のスイッチ回路１４７を介してインピーダンス整合回路３１４，３１５のいずれか一方に接続され、アンテナ素子１０２は、無線通信回路１７０上のインピーダンス整合回路１１３Ａに接続されるとともに、無線通信回路１７０上のスイッチ回路１４７を介してインピーダンス整合回路３１４，３１５のいずれか一方に接続される。スイッチ回路１４７は、図１８に示すように、インピーダンス整合回路３１４に接続されたスイッチ１４７ａと、インピーダンス整合回路３１５に接続されたスイッチ１４７ｂとを備え、詳細後述するようにチューナコントローラ１６０Ｇの制御に従って、アンテナ素子１０１，１０２のうちの一方をインピーダンス整合回路３１４に接続し、アンテナ素子１０１，１０２のうちの他方をインピーダンス整合回路３１８に接続するように切り換える。インピーダンス整合回路１１１，３１４，３１５，１１３Ａは、アンテナ素子１０１，１０２とその後段の構成要素とのインピーダンス整合のためにそれぞれ設けられる。スイッチ１４７がアンテナ素子１０１をインピーダンス整合回路３１４に接続し、アンテナ素子１０２をインピーダンス整合回路３１５に接続しているとき、インピーダンス整合回路１１１，３１４はアンテナ素子１０１のための整合回路部１１０Ａとして機能し、インピーダンス整合回路３１５，１１３Ａはアンテナ素子１０２のための整合回路部１１０Ｂとして機能する。一方、スイッチ１４７がアンテナ素子１０１をインピーダンス整合回路３１５に接続し、アンテナ素子１０２をインピーダンス整合回路３１４に接続しているとき、インピーダンス整合回路１１１，３１５はアンテナ素子１０１のための整合回路部１１０Ａｂとして機能し、インピーダンス整合回路３１４，１１３Ａはアンテナ素子１０２のための整合回路部１１０Ｂｂとして機能する。インピーダンス整合回路１１１の後段には、図１０の携帯無線通信装置１００Ｅと同様に、フィルタ１２１、サーキュレータ１３１、スイッチ１４４、合成器１３２、及び携帯電話信号処理回路１５１が接続される。インピーダンス整合回路３１４の後段にはフィルタ３２４を介してＤＴＶ低域チューナ１５２Ａが接続され、インピーダンス整合回路３１４は、スイッチ１４７を介してアンテナ素子１０１に接続されているときは、ＤＴＶの低域周波数信号を受信するために、スイッチ１４７を介して接続されたアンテナ素子１０１と、フィルタ３２４（又はフィルタ３２４を含むその後段の回路）とをインピーダンス整合させ、スイッチ１４７を介してアンテナ素子１０２に接続されているときは、ＤＴＶの低域周波数信号を受信するために、スイッチ１４７を介して接続されたアンテナ素子１０２と、フィルタ３２４（又はフィルタ３２４を含むその後段の回路）とをインピーダンス整合させる。フィルタ３２４は、受信されたＤＴＶの低域周波数信号を通過させる帯域Ｂ２Ｌのバンドパスフィルタである。また、インピーダンス整合回路３１５の後段にはフィルタ３２５を介してＤＴＶ高域チューナ１５２Ｂが接続され、インピーダンス整合回路３１５は、スイッチ１４７を介してアンテナ素子１０１に接続されているときは、ＤＴＶの高域周波数信号を受信するために、アンテナ素子１０１及びスイッチ１４７と、フィルタ３２５（又はフィルタ３２５を含むその後段の回路）とをインピーダンス整合させ、スイッチ１４７を介してアンテナ素子１０２に接続されているときは、ＤＴＶの高域周波数信号を受信するために、アンテナ素子１０２及びスイッチ１４７と、フィルタ３２５（又はフィルタ３２５を含むその後段の回路）とをインピーダンス整合させる。フィルタ３２５は、受信されたＤＴＶの高域周波数信号を通過させる帯域Ｂ２Ｈのバンドパスフィルタである。インピーダンス整合回路１１３Ａの後段には、図１０の携帯無線通信装置１００Ｅと同様に、フィルタ１２３、サーキュレータ１３４、スイッチ１４４、合成器１３２、及び携帯電話信号処理回路１５１が接続される。【００８４】
チューナコントローラ１６０Ｇは、図１０に示した携帯無線通信装置１００Ｅの場合と同様に、送信のための選択ダイバーシチの実行を指示するコントローラ１８０からの制御信号に従って、以下の２つの場合のいずれかの状態となるようにスイッチ１４４，１４７を連動させて切り換える。第１の場合では、図１８に示すように、スイッチ１４４は、送信回路１５１ａをサーキュレータ１３１（すなわち、アンテナ素子１０１に接続された側のサーキュレータ）に接続し、その一方、スイッチ回路１４７は、アンテナ素子１０１をインピーダンス整合回路３１４に接続し、アンテナ素子１０２をインピーダンス整合回路３１５に接続する。一方、第２の場合では、スイッチ１４４は、送信回路１５１ａをサーキュレータ１３４（すなわち、アンテナ素子１０２に接続された側のサーキュレータ）に接続し、その一方、スイッチ回路１４７は、アンテナ素子１０１をインピーダンス整合回路３１５に接続し、アンテナ素子１０２をインピーダンス整合回路３１４に接続する。従って、第１の場合では、送信回路１５１ａで生成された送信すべき携帯電話送信信号は、スイッチ１４４、サーキュレータ１３１、フィルタ１２１及びインピーダンス整合回路１１１を介してアンテナ素子１０１に送られ、アンテナ素子１０１から携帯電話の基地局装置に向けて放射され、その一方、アンテナ素子１０１で受信したＤＴＶの低域周波数信号は、スイッチ回路１４７、インピーダンス整合回路３１４、フィルタ３２４を介してＤＴＶ低域チューナ１５２Ａに送られて、復調などの信号処理が実行され、アンテナ素子１０２で受信したＤＴＶの高域周波数信号は、スイッチ回路１４７、インピーダンス整合回路３１５、フィルタ３２５を介してＤＴＶ高域チューナ１５２Ｂに送られて、復調などの信号処理が実行される。第２の場合では、送信回路１５１ａで生成された送信すべき携帯電話送信信号は、スイッチ１４４、サーキュレータ１３４、フィルタ１２３Ａ及びインピーダンス整合回路１１３Ａを介してアンテナ素子１０２に送られ、アンテナ素子１０２から携帯電話の基地局装置に向けて放射され、その一方、アンテナ素子１０１で受信したＤＴＶの高域周波数信号は、スイッチ回路１４７、インピーダンス整合回路３１５、フィルタ３２５を介してＤＴＶ高域チューナ１５２Ｂに送られて、復調などの信号処理が実行され、アンテナ素子１０２で受信したＤＴＶの低域周波数信号は、スイッチ回路１４７、インピーダンス整合回路３１４、フィルタ３２４を介してＤＴＶ低域チューナ１５２Ａに送られて、復調などの信号処理が実行される。ＤＴＶ低域チューナ１５２Ａ及びＤＴＶ高域チューナ１５２Ｂで復調された信号は、映像及び音声の再生などを含むさらなる処理のために、無線通信回路１７０の外部のコントローラ１８０及び／又は他の再生回路など（図示せず。）に送られる。【００８５】
図１８の携帯無線通信装置１００Ｍによれば、アンテナ素子１０１，１０２が常に携帯電話信号処理回路１５１に接続されるとともに、常にＤＴＶ低域チューナ１５２Ａ及びＤＴＶ高域チューナ１５２Ｂに接続された状態にあるので、電話機として通話しているときにＤＴＶの番組を録画するなど、携帯無線通信装置１００ＩをＤＴＶチューナとして動作させ、それと同時に電話機として動作させることが可能である。【００８６】
さらには、ＤＴＶの信号を受信するためのアンテナ素子を低域周波数用と高域周波数用とに分けて使用することにより、１本のみのアンテナ素子を使用する場合よりも広帯域にわたってＤＴＶの受信特性を向上させることが可能である。【００８７】
また、ＤＴＶの低域周波数信号と高域周波数信号とでチューナを分離したことにより、図６の携帯無線通信装置１００Ａの場合と同様に、低域周波数帯内のチャンネルを視聴しているときに高域周波数帯内のチャンネルを録画することが可能であり、又は、携帯無線通信装置１００Ａを電話機として使用しているときにＤＴＶの低域周波数帯から１つのチャンネルを録画し、ＤＴＶの高域周波数帯から１つのチャンネルを録画するように、携帯電話信号処理回路１５１、ＤＴＶ低域チューナ１５２Ａ及びＤＴＶ高域チューナ１５２Ｂを同時に動作させることが可能である。【００８８】
また、例えば、携帯電話送信信号及び携帯電話受信信号を送受信することとＧＰＳの信号を受信することとのために共通のアンテナ素子を使用し、携帯電話受信信号を受信すること（又は送受信すること）とＤＴＶの信号を受信することとのためにもう１つの共通のアンテナ素子を使用することにより、異なる３つの無線通信を同時に実行することが可能となる。【００８９】
以上説明したように、第３の実施形態の携帯無線通信装置１００Ｋ〜１００Ｍによれば、ＤＴＶの信号を受信するためのアンテナ素子と携帯電話送信信号を送信するためのアンテナ素子とを別のアンテナ素子とすることにより、送信される携帯電話送信信号がＤＴＶの高域周波数信号の受信特性を劣化させることなく通信できる。【００９０】
さらには、ＤＴＶの信号を受信するアンテナ素子と、携帯電話送信信号及び携帯電話受信信号を送受信するアンテナ素子及び携帯電話受信信号を受信するアンテナ素子とを共通にすることにより、アンテナ素子の数を増やすことなくＤＴＶの視聴が可能となる。【００９１】
第４の実施形態．
図１９は、本発明の第４の実施形態に係る携帯無線通信装置１００Ｎの無線通信回路１７０の構成を示すブロック図である。本実施形態の携帯無線通信装置１００Ｎは、携帯電話送信信号及び携帯電話受信信号の送受信機能とＤＴＶの受信機能とを備えるものである。第４の実施形態では、アンテナ素子１０１，１０２のいずれか一方をＤＴＶの信号を受信するための主アンテナ素子として使用するように予め設定し、ＤＴＶの受信信号レベルが低下したときに、ＤＴＶの信号を受信するために他方のアンテナ素子を用いるように切り換えることを特徴とする。第４の実施形態では、図１の携帯無線通信装置１００と同様に携帯電話送信信号及び携帯電話受信信号を送受信するために設けられたアンテナ素子１０１と、携帯電話受信信号を受信するために設けられたアンテナ素子１０２とのうちで、アンテナ素子１０１を主アンテナ素子として使用する第１の実施例（図１９を参照）と、アンテナ素子１０２を主アンテナ素子として使用する第２の実施例（図２０の変形例を参照）とについて説明する。【００９２】
図１９の実施形態では、携帯電話送信信号及び携帯電話受信信号を送受信するために設けられたアンテナ素子１０１を、ＤＴＶの信号を受信するための主アンテナ素子として使用する。ここで、例えば送信される携帯電話送信信号がＤＴＶの高域周波数信号の受信特性に影響することなどに起因して、ＤＴＶの受信信号強度ＲＳＳＩが所定のしきい値ＲＳＳＩ０より小さくなったとき、ＤＴＶの信号を受信するためにアンテナ素子１０２を使用するように切り換える。図１９の携帯無線通信装置１００Ｎにおいて、アンテナ素子１０１は、無線通信回路１７０上のインピーダンス整合回路１１１，１１２Ａに接続され、アンテナ素子１０２は、無線通信回路１７０上のインピーダンス整合回路１１３，１１４に接続される。インピーダンス整合回路１１１，１１２Ａ，１１３，１１４は、アンテナ素子１０１，１０２とその後段の構成要素とのインピーダンス整合のためにそれぞれ設けられ、インピーダンス整合回路１１１，１１２Ａはアンテナ素子１０１のための整合回路部１１０Ａとして機能し、インピーダンス整合回路１１３，１１４はアンテナ素子１０２のための整合回路部１１０Ｂとして機能する。インピーダンス整合回路１１１の後段には、図１の携帯無線通信装置１００と同様に、フィルタ１２１、サーキュレータ１３１、合成器１３２、及び携帯電話信号処理回路１５１が接続される。インピーダンス整合回路１１２Ａの後段にはフィルタ１２２Ａが接続され、インピーダンス整合回路１１２Ａは、ＤＴＶの低域周波数信号及び高域周波数信号を受信するために、アンテナ素子１０１と、フィルタ１２２Ａ（又はフィルタ１２２Ａを含むその後段の回路）とをインピーダンス整合させる。フィルタ１２２Ａは、受信されたＤＴＶの低域周波数信号及び高域周波数信号を通過させる帯域Ｂ２Ｌ及びＢ２Ｈのバンドパスフィルタである。インピーダンス整合回路１１３の後段には、図１の携帯無線通信装置１００と同様に、フィルタ１２３、合成器１３２、及び携帯電話信号処理回路１５１が接続される。インピーダンス整合回路１１４の後段にはフィルタ１２４が接続され、インピーダンス整合回路１１４は、ＤＴＶの高域周波数信号を受信するために、アンテナ素子１０２と、フィルタ１２４（又はフィルタ１２４を含むその後段の回路）とをインピーダンス整合させる。フィルタ１２４は、受信されたＤＴＶの高域周波数信号を通過させる帯域Ｂ２Ｈのバンドパスフィルタである。インピーダンス整合回路１１４はさらに、ＤＴＶの低域周波数信号を受信するために、アンテナ素子１０２と、フィルタ１２４（又はフィルタ１２４を含むその後段の回路）とをインピーダンス整合させてもよく、フィルタ１２４はさらに、受信されたＤＴＶの低域周波数信号を通過させてもよい。【００９３】
フィルタ１２２Ａ，１２４はスイッチ１４１に接続され、スイッチ１４１は、チューナコントローラ１６０Ｈの制御に従って、フィルタ１２２Ａ，１２４のいずれか一方の出力信号をＤＴＶチューナ１５２に送る。チューナコントローラ１６０Ｈは、スイッチ１４１の初期状態として、フィルタ１２２ＡをＤＴＶチューナ１５２に接続するように切り換える。アンテナ素子１０１で受信されたＤＴＶの受信信号は、インピーダンス整合回路１１２Ａ、フィルタ１２２Ａ及びスイッチ１４１を介してＤＴＶチューナ１５２に送られて、ＤＴＶチューナ１５２は、ＤＴＶの受信信号に対して復調などの信号処理を実行するとともに、ＤＴＶの受信信号強度ＲＳＳＩを取得し、取得されたＲＳＳＩをチューナコントローラ１６０Ｈに送る。チューナコントローラ１６０Ｈは、ＤＴＶの高域周波数信号を受信しているときは、ＲＳＳＩが高くなるようにスイッチ１４１を制御する。詳しくは、チューナコントローラ１６０Ｈは、ＤＴＶチューナ１５２により取得されたＤＴＶの信号のＲＳＳＩが、ＤＴＶの画像が乱れる限界値に等しい所定のしきい値ＲＳＳＩ０より小さくなったとき、スイッチ１４１の接続を切り換える。よって、チューナコントローラ１６０Ｈは、アンテナ素子１０１で受信されたＤＴＶの信号がＤＴＶチューナ１５２に入力されている場合においてＲＳＳＩがしきい値ＲＳＳＩ０より小さくなったときは、アンテナ素子１０２で受信されたＤＴＶの信号をＤＴＶチューナ１５２に入力するようにスイッチ１４１を切り換える。アンテナ素子１０２で受信されたＤＴＶの受信信号は、インピーダンス整合回路１１４、フィルタ１２４及びスイッチ１４１を介してＤＴＶチューナ１５２に送られて、ＤＴＶチューナ１５２は、ＤＴＶの受信信号に対して復調などの信号処理を実行するとともに、ＤＴＶの受信信号強度ＲＳＳＩを取得し、取得されたＲＳＳＩをチューナコントローラ１６０Ｈに送る。チューナコントローラ１６０Ｈは、逆に、アンテナ素子１０２で受信されたＤＴＶの信号がＤＴＶチューナ１５２に入力されている場合においてＲＳＳＩがしきい値ＲＳＳＩ０より小さくなったときは、アンテナ素子１０１で受信されたＤＴＶの信号をＤＴＶチューナ１５２に入力するようにスイッチ１４１を切り換える。【００９４】
また、チューナコントローラ１６０Ｈは、チャンネル情報を含む制御信号をコントローラ１８０から取得し、このチャンネル情報に参照してスイッチ１４１の接続を切り換えてもよい。この場合、アンテナ素子１０２で受信されたＤＴＶの信号がＤＴＶチューナ１５２に入力されている場合において、ＤＴＶの低域周波数帯に属するチャンネルが選局されたときは、チューナコントローラ１６０Ｈは、アンテナ素子１０１で受信されたＤＴＶの当該チャンネルの信号をＤＴＶチューナ１５２に入力するようにスイッチ１４１を切り換える。また、アンテナ素子１０１で受信されたＤＴＶの信号がＤＴＶチューナ１５２に入力されている場合において、ＤＴＶの高域周波数帯に属するチャンネルが選局されたときは、チューナコントローラ１６０Ｈは、アンテナ素子１０２で受信されたＤＴＶの当該チャンネルの信号をＤＴＶチューナ１５２に入力するようにスイッチ１４１を切り換える。なお、インピーダンス整合回路１１４及びフィルタ１２４がＤＴＶの低域周波数信号及び高域周波数信号の両方を受信するために使用可能である場合には、チューナコントローラ１６０Ｈは、ＤＴＶの低域周波数帯に属するチャンネルが選局されたときであっても、アンテナ素子１０１で受信されたＤＴＶの信号をＤＴＶチューナ１５２に入力するようにスイッチ１４１を切り換えなくてもよい。【００９５】
図２０は、本発明の第４の実施形態の第１の変形例に係る携帯無線通信装置１００Ｏの無線通信回路１７０の構成を示すブロック図である。図２０の変形例では、携帯電話受信信号を受信するために設けられたアンテナ素子１０２を、ＤＴＶの信号を受信するための主アンテナ素子として使用する。ここで、ＤＴＶの受信信号強度ＲＳＳＩが所定のしきい値ＲＳＳＩ０より小さくなったとき、ＤＴＶの信号を受信するためにアンテナ素子１０１を使用するように切り換える。この変形例の携帯無線通信装置１００Ｎにおいて、インピーダンス整合回路１１２は、ＤＴＶの低域周波数信号を受信するために（あるいは、それに代わって、ＤＴＶの低域周波数信号及び高域周波数信号を受信するために）、アンテナ素子１０１と、フィルタ１２２（又はフィルタ１２２を含むその後段の回路）とをインピーダンス整合させ、フィルタ１２２は、受信されたＤＴＶの低域周波数信号（あるいは、低域周波数信号及び高域周波数信号）を通過させる。インピーダンス整合回路１１４Ａは、ＤＴＶの低域周波数信号及び高域周波数信号を受信するために、アンテナ素子１０２と、フィルタ１２４Ａ（又はフィルタ１２４Ａを含むその後段の回路）とをインピーダンス整合させ、フィルタ１２４Ａは、受信されたＤＴＶの低域周波数信号及び高域周波数信号を通過させる。【００９６】
チューナコントローラ１６０Ｈは、スイッチ１４１の初期状態として、フィルタ１２４ＡをＤＴＶチューナ１５２に接続するように切り換える。チューナコントローラ１６０Ｈは、ＤＴＶの低域周波数信号を受信しているときは、ＲＳＳＩが高くなるようにスイッチ１４１を制御する。詳しくは、チューナコントローラ１６０Ｈは、ＤＴＶチューナ１５２により取得されたＤＴＶの受信信号強度ＲＳＳＩが、しきい値ＲＳＳＩ０より小さくなったとき、スイッチ１４１の接続を切り換える。よって、チューナコントローラ１６０Ｈは、アンテナ素子１０２で受信されたＤＴＶの信号がＤＴＶチューナ１５２に入力されている場合においてＲＳＳＩがしきい値ＲＳＳＩ０より小さくなったときは、アンテナ素子１０１で受信されたＤＴＶの信号をＤＴＶチューナ１５２に入力するようにスイッチ１４１を切り換える。チューナコントローラ１６０Ｈは、逆に、アンテナ素子１０１で受信されたＤＴＶの信号がＤＴＶチューナ１５２に入力されている場合においてＲＳＳＩがしきい値ＲＳＳＩ０より小さくなったときは、アンテナ素子１０２で受信されたＤＴＶの信号をＤＴＶチューナ１５２に入力するようにスイッチ１４１を切り換える。【００９７】
また、チューナコントローラ１６０Ｈは、チャンネル情報を含む制御信号をコントローラ１８０から取得し、このチャンネル情報に参照してスイッチ１４１の接続を切り換えてもよく、この場合、アンテナ素子１０２で受信されたＤＴＶの信号がＤＴＶチューナ１５２に入力されている場合において、ＤＴＶの低域周波数帯に属するチャンネルが選局されたとき、アンテナ素子１０１で受信されたＤＴＶの当該チャンネルの信号をＤＴＶチューナ１５２に入力するようにスイッチ１４１を切り換える。携帯無線通信装置１００Ｎを図２及び図３に示すように構成した場合、このように低域周波数信号を受信する際により大きなアンテナ素子１０１を使用することにより、より良好な受信特性を達成することができる。また、このとき、インピーダンス整合回路１１２及びフィルタ１２２を低域周波数用に設計するとよい。また、アンテナ素子１０１で受信されたＤＴＶの信号がＤＴＶチューナ１５２に入力されている場合において、ＤＴＶの高域周波数帯に属するチャンネルが選局されたときは、チューナコントローラ１６０Ｈは、アンテナ素子１０２で受信されるＤＴＶの当該チャンネルの信号をＤＴＶチューナ１５２に入力するようにスイッチ１４１を切り換える。【００９８】
本実施形態によれば、以上の構成により、ＤＴＶの受信信号レベルが低下したとき、特に図１９の実施形態で説明したように送信される携帯電話送信信号がＤＴＶの受信特性に影響したときであっても、アンテナ素子を切り換えることによりこの影響を抑圧することができる。【００９９】
図２１は、本発明の第４の実施形態の第２の変形例に係る携帯無線通信装置１００Ｐの無線通信回路１７０の構成を示すブロック図である。チューナコントローラ１６０Ｈは、スイッチ１４１がＤＴＶチューナ１５２をフィルタ１２２Ａ及びインピーダンス整合回路１１２Ａを介してアンテナ素子１０１に接続しているときに、ＤＴＶチューナ１５２によって受信されるＤＴＶの高域周波数信号及び低域周波数信号のＲＳＳＩがしきい値ＲＳＳＩ０よりも小さくなったときに、ＤＴＶチューナ１５２をフィルタ手段１２４Ａ及びインピーダンス整合回路１１４Ａを介してアンテナ素子１０２に接続するようにスイッチ１４１を制御する一方、スイッチ１４１がＤＴＶチューナ１５２をフィルタ１２４Ａ及びインピーダンス整合回路１１４Ａを介してアンテナ素子１０２に接続しているときに、ＤＴＶチューナ１５２によって受信されるＤＴＶの高域周波数信号及び低域周波数信号のＲＳＳＩがしきい値ＲＳＳＩ０よりも小さくなったときに、ＤＴＶチューナ１５２をフィルタ１２２Ａ及びインピーダンス整合回路１１２Ａを介してアンテナ素子１０１に接続するようにスイッチ１４１を制御してもよい。従って、ＤＴＶの高域周波数信号又は低域周波数信号のＲＳＳＩがしきい値ＲＳＳＩ０よりも小さくなったときに、アンテナ素子１０１の代わりにアンテナ素子１０２をＤＴＶチューナ１５２に接続したり、アンテナ素子１０２の代わりにアンテナ素子１０１をＤＴＶチューナ１５２に接続したりする。これにより、より大きな信号レベルを受信するアンテナ素子１０１又は１０２を利用できる。【０１００】
さらには、ＤＴＶの信号を受信するアンテナ素子と携帯電話送信信号及び携帯電話受信信号を送受信するアンテナ素子とを共通にすることにより、アンテナ素子の数を増やすことなくＤＴＶの視聴が可能となる。【０１０１】
さらには、アンテナ素子１０１，１０２が常に携帯電話信号処理回路１５１に接続され、アンテナ素子１０１，１０２のいずれか一方が常にＤＴＶチューナ１５２に接続された状態にあるので、電話機として通話しているときにＤＴＶの番組を録画するなど、携帯無線通信装置１００ＥをＤＴＶチューナとして動作させ、それと同時に電話機として動作させることが可能である。【０１０２】
また、ＤＴＶの信号を受信する際に選択ダイバーシチを実行できるので、良好な受信特性を達成することができる。【０１０３】
なお、本実施形態では、スイッチ１４１を切り換える基準としてＲＳＳＩを使用したが、これに限らず、Ｃ／Ｎ、ＢＥＲ又はＰＥＲなど、受信信号レベル又は受信特性の劣化が感知できる指標なら任意のもの使用可能である。【０１０４】
変形例．
なお、第１乃至第４の実施形態において、ＤＴＶの低域周波数帯と高域周波数帯をそれぞれ、４７０ＭＨｚ〜５５７ＭＨｚと５５７ＭＨｚ〜７７０ＭＨｚとしたが、これに限らず、送信される携帯電話送信信号の妨害の影響を抑えかつＤＴＶが良好な受信特性となるように設定することにより、他の周波数範囲を使用することも可能である。【０１０５】
また、ＤＴＶのように広帯域にわたって良好に受信可能な周波数特性が必要な無線通信に関して、本実施形態のように低域周波数信号の受信と高域周波数信号の受信とのためにアンテナ素子を別個に設けることにより、同様の効果を達成することができる。【０１０６】
第１乃至第４の実施形態においては、携帯電話送信信号及び携帯電話受信信号を送受信しかつＤＴＶの信号を受信する携帯無線通信装置に関して説明したが、これに限らず、互いに近接する周波数帯域をそれぞれ用いる複数の無線通信を実行する機能を有する携帯無線通信装置において、ある無線通信Ａに係る信号の送信周波数と他の無線通信Ｂに係る信号の受信周波数が近接していて妨害を及ぼす場合、本実施形態の携帯電話送信信号及び携帯電話受信信号を通信Ａの信号に置き換え、ＤＴＶの信号を通信Ｂの信号に置き換えることにより、同様の効果を達成することができる。【０１０７】
以下の表１に、本実施形態のＤＴＶに代えて使用可能な無線通信方式の例を示す。携帯無線通信装置は、８００ＭＨｚ帯、１．７ＧＨｚ帯、２．０ＧＨｚ帯及び２．５ＧＨｚ帯のうちの１つ又は複数を使用して携帯電話送信信号及び携帯電話受信信号を送受信するとともに、表１に示す無線通信方式に従う無線信号のうちの１つ又は複数を受信する。このとき、表１に示す無線通信方式に従う無線信号の受信周波数帯は、本実施形態と同様に２つ又はそれよりも多数の周波数帯に分割されてもよい。ここで、単位はＭＨｚである。【０１０８】
【表１】
2008032710.tif 000003
【０１０９】
また、例えば、携帯電話送信信号及び携帯電話受信信号を送受信することとＧＰＳの信号を受信することとのために共通のアンテナ素子を使用し、携帯電話受信信号を受信すること（又は送受信すること）とＤＴＶの信号を受信することとのためにもう１つの共通のアンテナ素子を使用することにより、異なる３つの無線通信を同時に実行することが可能となる。【０１１０】
図６乃至図２３に示す携帯無線通信装置の全体構成についても、図２及び図３に示したものと同様の構成を採用することができるが、これに限らず、他の構成を採用することもできる。例えば、アンテナ素子１０１，１０２の形状は、図２及び図３に示すような非対称なものではなく、互いに同一の構成であってもよく、あるいは別の異なる形状であってもよい。【０１１１】
また、図９、図１２及び図１５以外の図面に示した構成の携帯無線通信装置においても、図９に示した携帯無線通信装置１００Ｄと同様に、アンテナ素子１０１，１０２でそれぞれ受信された携帯電話受信信号に対して選択ダイバーシチを行うように構成してもよい。【０１１２】
実施形態の携帯無線通信装置の回路構成は、図面の各ブロック図に示したものに限定されるものではない。例えば、サーキュレータ１３１，１３４、合成器１３２、及び／又はデュプレクサ１３１Ａ，１３４Ａは、携帯電話信号処理回路１５１に内蔵されるように構成されてもよい。【０１１３】
なお、以上説明した第１乃至第４の実施形態でそれぞれ示した携帯無線通信装置はあくまで一例であって、これらの携帯無線通信装置の構成要素のうちで構造上可能なものは組み合わせて使用することも可能である。【０１１４】
実施形態の効果．
以上詳述したように、本発明に係る各実施形態によれば、携帯電話送信信号を送信するためのアンテナ素子と、例えば、高域周波数帯（ＵＨＦ帯）のデジタルテレビジョン放送（ＤＴＶ）など、送信される携帯電話送信信号と近い周波数で受信する他の無線通信のためのアンテナ素子とを分けることにより、送信される携帯電話送信信号が他の無線通信に与える影響を抑え、携帯電話送信信号及び携帯電話受信信号を送受信するためのアンテナ素子だけで複数の無線通信を実行可能な携帯無線通信装置を提供することができる。ここでは、ＤＴＶの高域周波数信号を受信するためのアンテナ素子と携帯電話送信信号を送信するためのアンテナ素子とを別のアンテナ素子にしたことにより、携帯無線通信装置から送信される携帯電話送信信号がＤＴＶの高域周波数信号の受信特性を劣化させることなく通信できる。本発明によれば、各アンテナ素子において、異なる無線通信毎に整合手段を設けたことにより、インピーダンスの適切な整合状態を達成することができる。【０１１５】
本発明によればまた、ＤＴＶの信号を受信するアンテナ素子と、携帯電話送信信号及び携帯電話受信信号を送受信するアンテナ素子及び／又は携帯電話受信信号を受信するアンテナ素子とを共通にすることにより、携帯無線通信装置におけるアンテナ素子の数を増やすことなくＤＴＶの視聴が可能となる。さらには、携帯電話送信信号及び携帯電話受信信号を送受信するためのアンテナ素子だけで、無線通信装置を電話機として動作させ、それと同時に、例えばデジタルテレビジョン放送など他の無線通信を実行する装置として動作させることができる。また、２つのアンテナ素子が常に携帯電話送信信号及び携帯電話受信信号を送受信するための無線信号処理手段に接続され、２つのアンテナ素子の少なくとも一方が常にＤＴＶの放送信号を受信するための無線信号処理手段に接続された状態にあるので、電話機として通話しているときにＤＴＶの番組を録画するなど、携帯無線通信装置をＤＴＶチューナとして動作させ、それと同時に電話機として動作させることが可能である。さらには、ＤＴＶの低域周波数信号と高域周波数信号とでチューナを分離することにより、低域周波数帯内のチャンネルを視聴しているときに高域周波数帯内のチャンネルを録画することが可能であり、又は、携帯無線通信装置１００Ａを電話機として使用しているときにＤＴＶの低域周波数帯から１つのチャンネルを録画し、ＤＴＶの高域周波数帯から１つのチャンネルを録画するように、携帯電話送信信号及び携帯電話受信信号のための無線信号処理手段と、ＤＴＶの低域周波数信号のための無線信号処理手段と、ＤＴＶの高域周波数信号のための無線信号処理手段とを同時に動作させることが可能である。【０１１６】
さらに、本発明によれば、ＤＴＶの信号を受信するためのアンテナ素子を低域周波数用と高域周波数用とに分けて使用することにより、１本のみのアンテナ素子を使用する場合よりも広帯域にわたってＤＴＶの受信特性を向上させることが可能である。さらには、ＤＴＶの低域周波数信号（使用する周波数が低い方）を受信するためのアンテナ素子として、２つのアンテナ素子のうちで、よりサイズが大きなアンテナ素子を選択すれば（図２及び図３を参照）、より良好な受信特性が得られる。【０１１７】
本発明によればまた、ＤＴＶの信号を受信しているときにおいても選択ダイバーシチを実行可能であるので、これにより良好な受信特性を維持することが可能となる。【０１１８】
なお、携帯電話送信信号及び携帯電話受信信号とＤＴＶに限らず、互いに近接する周波数帯域を用いる無線通信を実行する機能を有する携帯無線通信装置において、ある無線通信Ａに係る信号の送信周波数と他の無線通信Ｂに係る信号の受信周波数が近接していて妨害を及ぼす場合、本実施形態の携帯電話送信信号及び携帯電話受信信号を通信Ａの信号に置き換え、ＤＴＶの信号を通信Ｂの信号に置き換えることにより、同様の効果を達成することができる。【０１１９】
また、ＤＴＶのように広帯域にわたって良好に受信可能な周波数特性が必要な無線通信に関して、低域周波数信号の受信と高域周波数信号の受信とのためにアンテナ素子を別個に設けることにより、同様の効果を達成することができる。
【産業上の利用可能性】
【０１２０】
本発明は、所定の周波数帯域において第１の無線通信に係る無線信号（携帯電話送信信号及び携帯電話受信信号）を送信し、この周波数帯域に近接した他の周波数帯域において他の第２の無線通信に係る無線信号を受信する携帯無線通信装置において、送信される第１の無線通信に係る無線信号が第２の無線通信に係る無線信号に対する妨害となる状況を抑圧することができるので、第２の無線通信に係る無線信号の受信特性の劣化を防ぐことができ、携帯電話機をはじめ、あらゆる無線通信で用いる機器等に応用できる。
【図１】
2008032710.tif 000004
【図２】
2008032710.tif 000005
【図３】
2008032710.tif 000006
【図４】
2008032710.tif 000007
【図５】
2008032710.tif 000008
【図６】
2008032710.tif 000009
【図７】
2008032710.tif 000010
【図８】
2008032710.tif 000011
【図９】
2008032710.tif 000012
【図１０】
2008032710.tif 000013
【図１１】
2008032710.tif 000014
【図１２】
2008032710.tif 000015
【図１３】
2008032710.tif 000016
【図１４】
2008032710.tif 000017
【図１５】
2008032710.tif 000018
【図１６】
2008032710.tif 000019
【図１７】
2008032710.tif 000020
【図１８】
2008032710.tif 000021
【図１９】
2008032710.tif 000022
【図２０】
2008032710.tif 000023
【図２１】
2008032710.tif 000024
【図２２】
2008032710.tif 000025
【図２３】
2008032710.tif 000026
【図２４】
2008032710.tif 000027
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
第１の通信システムにおいて用いる第１の周波数帯域の第１の無線信号を送信しかつ上記第１の周波数帯域の第２の無線信号を受信するための第１のアンテナ素子と、
上記第２の無線信号を受信するための第２のアンテナ素子と、
上記第１の無線信号を発生し、第１のフィルタ手段及び第１の整合手段を介して上記第１のアンテナ素子から送信する送信手段と、
上記第１のアンテナ素子によって受信された第２の無線信号を上記第１の整合手段及び上記第１のフィルタ手段を介して受信する第１の受信処理と、上記第２のアンテナ素子によって受信された第２の無線信号を第２の整合手段及び第２のフィルタ手段を介して受信する第２の受信処理との少なくとも一方の受信処理を行う第１の受信手段と、
第２の通信システムにおいて用いられかつ上記第１の周波数帯域と近接した第２の周波数帯域の第３の無線信号と、上記第２の通信システムにおいて用いられかつ上記第１の周波数帯域と遠隔し上記第２の周波数帯域と異なる第３の周波数帯域の第４の無線信号とを受信する第２の受信手段とを備えた無線通信装置であって、
上記第１の整合手段は、上記第１の周波数帯域において、上記第１のアンテナ素子のインピーダンスを上記第１の周波数帯域の無線信号を通過させる第１のフィルタ手段のインピーダンスに整合させ、
上記第２の整合手段は、上記第１の周波数帯域において、上記第２のアンテナ素子のインピーダンスを上記第１の周波数帯域の無線信号を通過させる第２のフィルタ手段のインピーダンスに整合させ、
上記無線通信装置は、
上記第３の周波数帯域において、上記第１のアンテナ素子のインピーダンスを上記第３の周波数帯域の無線信号を通過させる第３のフィルタ手段のインピーダンスに整合させる第３の整合手段と、
上記第２の周波数帯域において、上記第２のアンテナ素子のインピーダンスを上記第２の周波数帯域の無線信号を通過させる第４のフィルタ手段のインピーダンスに整合させる第４の整合手段と、
上記送信手段が上記第１の無線信号を送信しているときに、上記第１のスイッチ手段が上記第３の無線信号を受信する第２の受信手段を、上記第４のフィルタ手段及び上記第４の整合手段を介して、上記第１の無線信号を送信していない第２のアンテナ素子に接続するように第１のスイッチ手段を制御する制御手段とを備えたことを特徴とする無線通信装置。
【請求項２】
上記制御手段は、上記送信手段が上記第１の無線信号を送信していないときに、上記第１のスイッチ手段が上記第２の受信手段を上記第３のフィルタ手段及び上記第３の整合手段を介して上記第１のアンテナ素子に接続し、もしくは上記第２の受信手段を上記第４のフィルタ手段及び上記第４の整合手段を介して上記第２のアンテナ素子に接続するように上記第１のスイッチ手段を制御することを特徴とする請求項１記載の無線通信装置。
【請求項３】
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１のスイッチ手段が上記第２の受信手段を上記第３のフィルタ手段及び上記第３の整合手段を介して上記第１のアンテナ素子に接続しているときに、上記第２の受信手段によって受信される第３の無線信号又は第４の無線信号の信号レベルが所定のしきい値よりも小さくなったときに、上記第２の受信手段を上記第４のフィルタ手段及び上記第４の整合手段を介して上記第２のアンテナ素子に接続するように上記第１のスイッチ手段を制御することを特徴とする請求項２記載の無線通信装置。
【請求項４】
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１のスイッチ手段が上記第２の受信手段を上記第４のフィルタ手段及び上記第４の整合手段を介して上記第２のアンテナ素子に接続しているときに、上記第２の受信手段によって受信される第３の無線信号又は第４の無線信号の信号レベルが所定のしきい値よりも小さくなったときに、上記第２の受信手段を上記第３のフィルタ手段及び上記第３の整合手段を介して上記第１のアンテナ素子に接続するように上記第１のスイッチ手段を制御することを特徴とする請求項２記載の無線通信装置。
【請求項５】
上記送信手段と上記第１のフィルタ手段との間及び上記送信手段と上記第２のフィルタ手段との間に挿入され、上記送信手段からの第１の無線信号を上記第１のフィルタ手段及び上記第１の整合手段を介して上記第１のアンテナ素子に出力する第１の場合と、上記送信手段からの第１の無線信号を上記第２のフィルタ手段及び第２の整合手段を介して上記第２のアンテナ素子に出力する第２の場合とを選択的に切り換える第２のスイッチ手段をさらに備え、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１の場合において、上記第１のスイッチ手段が上記第３の無線信号を受信する第２の受信手段を上記第４のフィルタ手段及び上記第４の整合手段を介して上記第２のアンテナ素子に接続するように上記第１のスイッチ手段を制御する一方、上記第２の場合において、上記第１のスイッチ手段が上記第３の無線信号を受信する第２の受信手段を上記第３のフィルタ手段及び上記第３の整合手段を介して上記第１のアンテナ素子に接続するように上記第１のスイッチ手段を制御することを特徴とする請求項１乃至４のうちのいずれか１つに記載の無線通信装置。
【請求項６】
上記送信手段と上記第１のフィルタ手段との間及び上記送信手段と上記第２のフィルタ手段との間に挿入され、上記送信手段からの第１の無線信号を上記第１のフィルタ手段及び上記第１の整合手段を介して上記第１のアンテナ素子に出力する第１の場合と、上記送信手段からの第１の無線信号を上記第２のフィルタ手段及び第２の整合手段を介して上記第２のアンテナ素子に出力する第２の場合とを選択的に切り換える第２のスイッチ手段をさらに備え、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記第２の受信手段は、上記第２の周波数帯域の第３の無線信号を受信する第１の受信部と、上記第３の周波数帯域の第４の無線信号を受信する第２の受信部とを備え、
上記制御手段は、上記第１の場合において、上記第１のスイッチ手段が上記第１の受信部を上記第４のフィルタ手段及び上記第４の整合手段を介して上記第２のアンテナ素子に接続するように上記第１のスイッチ手段を制御する一方、上記第２の場合において、上記第１のスイッチ手段が上記第１の受信部を上記第３のフィルタ手段及び上記第３の整合手段を介して上記第１のアンテナ素子に接続するように上記第１のスイッチ手段を制御することを特徴とする請求項１又は２記載の無線通信装置。
【請求項７】
第１の通信システムにおいて用いる第１の周波数帯域の第１の無線信号を送信しかつ上記第１の周波数帯域の第２の無線信号を受信し、第２の通信システムにおいて用いられかつ上記第１の周波数帯域と近接した第２の周波数帯域の第３の無線信号と、上記第２の通信システムにおいて用いられかつ上記第１の周波数帯域と遠隔し上記第２の周波数帯域と異なる第３の周波数帯域の第４の無線信号とを受信するための第１及び第２のアンテナ素子と、
上記第１のアンテナ素子と上記第２のアンテナ素子のうちのいずれか１つを接続する第１のスイッチ手段と、
第２のスイッチ手段と、
上記第１の無線信号を発生し、上記第２のスイッチ手段の第１の場合において、上記第２のスイッチ手段、第１のフィルタ手段及び第１の整合手段を介して上記第１のアンテナ素子から送信する一方、上記第２のスイッチ手段の第２の場合において、上記第２のスイッチ手段、第２のフィルタ手段及び第２の整合手段を介して上記第２のアンテナ素子から送信する送信手段と、
上記第１のアンテナ素子によって受信された第２の無線信号を上記第１の整合手段及び上記第１のフィルタ手段を介して受信する第１の受信処理と、上記第２のアンテナ素子によって受信された第２の無線信号を上記第２の整合手段及び上記第２のフィルタ手段を介して受信する第２の受信処理との少なくとも一方の受信処理を行う第１の受信手段と、
上記第２の周波数帯域の第３の無線信号と、上記第３の周波数帯域の第４の無線信号とを受信する第２の受信手段とを備えた無線通信装置であって、
上記第１の整合手段は、上記第１の周波数帯域において、上記第１のアンテナ素子のインピーダンスを上記第１の周波数帯域の無線信号を通過させる第１のフィルタ手段のインピーダンスに整合させ、
上記第２の整合手段は、上記第１の周波数帯域において、上記第２のアンテナ素子のインピーダンスを上記第１の周波数帯域の無線信号を通過させる第２のフィルタ手段のインピーダンスに整合させ、
上記無線通信装置は、
上記第２及び第３の周波数帯域において、上記第１のアンテナ素子のインピーダンスを上記第２及び第３の周波数帯域の無線信号を通過させる第３のフィルタ手段のインピーダンスに整合させる第３の整合手段と、
上記第２のスイッチ手段が上記送信手段を上記第１のフィルタ手段及び上記第１の整合手段を介して上記第１のアンテナ素子に接続されて、上記送信手段が上記第１の無線信号を上記第１のアンテナ素子を用いて送信しているとき、上記第２のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する一方、上記第２のスイッチ手段が上記送信手段を上記第２のフィルタ手段及び上記第２の整合手段を介して上記第２のアンテナ素子に接続されて、上記送信手段が上記第１の無線信号を上記第２のアンテナ素子を用いて送信しているとき、上記第１のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する制御手段とを備えたことを特徴とする無線通信装置。
【手続補正２】
【補正対象書類名】明細書
【補正対象項目名】全文
【補正方法】変更
【補正の内容】
【発明の詳細な説明】
【技術分野】
【０００１】
本発明は、主として複数の無線通信を実行可能な無線通信装置に関し、特に、携帯電話の基地局装置との間で電話呼に係る音声などを含む無線信号を送受信するとともに、ＶＨＦ帯乃至ＵＨＦ帯のＦＭ放送波、アナログテレビジョン放送波、及び／又はデジタルテレビジョン（ＤＴＶ）放送波などの複数の無線通信システムに係る無線信号であって、それぞれ異なる周波数帯を有する複数の無線信号を受信することが可能な携帯電話端末装置等の無線通信装置に関する。
【背景技術】
【０００２】
近年、携帯電話機等の携帯無線通信装置が急速に発達している。そのような携帯無線通信装置では、携帯電話の通話のための信号を携帯電話の基地局装置との間で送受信する（以下、携帯電話の基地局装置に送信される信号を「携帯電話送信信号」といい、携帯電話の基地局装置から受信される信号を「携帯電話受信信号」という。）。現在、市販されている携帯無線通信装置において、携帯電話送信信号及び携帯電話受信信号を送受信することに加えて、ＦＭ放送やテレビジョン放送など、他の無線通信に係る無線信号を受信しようとする場合、例えば特許文献１記載の複数放送波を受信可能な携帯電話機が存在する。
【０００３】
特許文献１の携帯電話機は、携帯電話機無線部を備えたことに加えて、ＦＭ放送及びテレビジョン放送の受信機能を提供するためのＴＶ／ＦＭ受信部と、受信可能な複数個の放送波（すなわち、ＵＨＦのテレビジョン放送、ＶＨＦ−Ｈｃｈのテレビジョン放送、ＶＨＦ−Ｌｃｈのテレビジョン放送、及びＦＭ放送）に応じてそれぞれ設けられた複数個のインピーダンス調整回路とを備えたことを特徴とする。この携帯電話機のアンテナで受信された受信信号は、周波数分配器を介して携帯電話機無線部及び帯域切換スイッチに送られ、帯域切換スイッチは、受信信号の周波数帯に応じてインピーダンス調整回路のうちのいずれかを選択するように切り換え、受信信号は選択されたインピーダンス調整回路を介してＴＶ／ＦＭ受信部に送られる。
【０００４】
【特許文献１】特開２００５−１５９８２７号公報。
【発明の開示】
【発明が解決しようとする課題】
【０００５】
携帯電話送信信号及び携帯電話受信信号を送受信するために使用される周波数帯域として８００ＭＨｚの帯域が使用されるとき、この帯域の周波数は、デジタルテレビジョン放送（以下、ＤＴＶという。）で使用される帯域（４７０ＭＨｚ〜７７０ＭＨｚ）のうちの高域側（ハイバンド）の周波数と非常に近くなる。従って、特許文献１に開示された携帯電話機では、当該携帯電話機から送信される携帯電話送信信号はＵＨＦ帯の高域側におけるテレビジョン放送の妨害波となり、このような妨害の影響を十分に抑圧できない。このように特許文献１では、携帯電話機から送信される携帯電話送信信号の周波数と近い周波数を有する他の無線通信に係る無線信号を受信する際には、その無線信号に関して良好な受信特性が得られない。
【０００６】
本発明の目的は、以上の問題点を解決し、複数の無線通信を実行する無線通信装置において異なる無線通信が互いに妨害することを防止して、同時に複数の無線通信を実行しながら、良好な受信特性を達成することができる無線通信装置を提供することにある。本発明は、特に、携帯電話送信信号及び携帯電話受信信号を送受信しながらデジタルテレビジョン放送を受信することが可能な携帯電話機等の携帯無線通信装置を提供することを目的とする。
【課題を解決するための手段】
【０００７】
本願の第１の発明に係る無線通信装置は、
第１の通信システムにおいて用いる第１の周波数帯域の第１の無線信号を送信しかつ上記第１の周波数帯域の第２の無線信号を受信するための第１のアンテナ素子と、
上記第２の無線信号を受信するための第２のアンテナ素子と、
上記第１の無線信号を発生し、第１のフィルタ手段及び第１の整合手段を介して上記第１のアンテナ素子から送信する送信手段と、
上記第１のアンテナ素子によって受信された第２の無線信号を上記第１の整合手段及び上記第１のフィルタ手段を介して受信する第１の受信処理と、上記第２のアンテナ素子によって受信された第２の無線信号を第２の整合手段及び第２のフィルタ手段を介して受信する第２の受信処理との少なくとも一方の受信処理を行う第１の受信手段と、
第２の通信システムにおいて用いられかつ上記第１の周波数帯域と近接した第２の周波数帯域の第３の無線信号と、上記第２の通信システムにおいて用いられかつ上記第１の周波数帯域と遠隔し上記第２の周波数帯域と異なる第３の周波数帯域の第４の無線信号とを受信する第２の受信手段とを備えた無線通信装置であって、
上記第１の整合手段は、上記第１の周波数帯域において、上記第１のアンテナ素子のインピーダンスを上記第１の周波数帯域の無線信号を通過させる第１のフィルタ手段のインピーダンスに整合させ、
上記第２の整合手段は、上記第１の周波数帯域において、上記第２のアンテナ素子のインピーダンスを上記第１の周波数帯域の無線信号を通過させる第２のフィルタ手段のインピーダンスに整合させ、
上記無線通信装置は、
上記第３の周波数帯域において、上記第１のアンテナ素子のインピーダンスを上記第３の周波数帯域の無線信号を通過させる第３のフィルタ手段のインピーダンスに整合させる第３の整合手段と、
上記第２の周波数帯域において、上記第２のアンテナ素子のインピーダンスを上記第２の周波数帯域の無線信号を通過させる第４のフィルタ手段のインピーダンスに整合させる第４の整合手段と、
上記送信手段が上記第１の無線信号を送信しているときに、上記第１のスイッチ手段が上記第３の無線信号を受信する第２の受信手段を、上記第４のフィルタ手段及び上記第４の整合手段を介して、上記第１の無線信号を送信していない第２のアンテナ素子に接続するように第１のスイッチ手段を制御する制御手段とを備えたことを特徴とする。
【０００８】
上記無線通信装置において、上記制御手段は、上記送信手段が上記第１の無線信号を送信していないときに、上記第１のスイッチ手段が上記第２の受信手段を上記第３のフィルタ手段及び上記第３の整合手段を介して上記第１のアンテナ素子に接続し、もしくは上記第２の受信手段を上記第４のフィルタ手段及び上記第４の整合手段を介して上記第２のアンテナ素子に接続するように上記第１のスイッチ手段を制御することを特徴とする。
【０００９】
また、上記無線通信装置において、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１のスイッチ手段が上記第２の受信手段を上記第３のフィルタ手段及び上記第３の整合手段を介して上記第１のアンテナ素子に接続しているときに、上記第２の受信手段によって受信される第３の無線信号又は第４の無線信号の信号レベルが所定のしきい値よりも小さくなったときに、上記第２の受信手段を上記第４のフィルタ手段及び上記第４の整合手段を介して上記第２のアンテナ素子に接続するように上記第１のスイッチ手段を制御することを特徴とする。
【００１０】
さらに、上記無線通信装置において、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１のスイッチ手段が上記第２の受信手段を上記第４のフィルタ手段及び上記第４の整合手段を介して上記第２のアンテナ素子に接続しているときに、上記第２の受信手段によって受信される第３の無線信号又は第４の無線信号の信号レベルが所定のしきい値よりも小さくなったときに、上記第２の受信手段を上記第３のフィルタ手段及び上記第３の整合手段を介して上記第１のアンテナ素子に接続するように上記第１のスイッチ手段を制御することを特徴とする。
【００１１】
また、上記無線通信装置は、上記送信手段と上記第１のフィルタ手段との間及び上記送信手段と上記第２のフィルタ手段との間に挿入され、上記送信手段からの第１の無線信号を上記第１のフィルタ手段及び上記第１の整合手段を介して上記第１のアンテナ素子に出力する第１の場合と、上記送信手段からの第１の無線信号を上記第２のフィルタ手段及び第２の整合手段を介して上記第２のアンテナ素子に出力する第２の場合とを選択的に切り換える第２のスイッチ手段をさらに備え、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記制御手段は、上記第１の場合において、上記第１のスイッチ手段が上記第３の無線信号を受信する第２の受信手段を上記第４のフィルタ手段及び上記第４の整合手段を介して上記第２のアンテナ素子に接続するように上記第１のスイッチ手段を制御する一方、上記第２の場合において、上記第１のスイッチ手段が上記第３の無線信号を受信する第２の受信手段を上記第３のフィルタ手段及び上記第３の整合手段を介して上記第１のアンテナ素子に接続するように上記第１のスイッチ手段を制御することを特徴とする。
【００１２】
さらに、上記無線通信装置は、上記送信手段と上記第１のフィルタ手段との間及び上記送信手段と上記第２のフィルタ手段との間に挿入され、上記送信手段からの第１の無線信号を上記第１のフィルタ手段及び上記第１の整合手段を介して上記第１のアンテナ素子に出力する第１の場合と、上記送信手段からの第１の無線信号を上記第２のフィルタ手段及び第２の整合手段を介して上記第２のアンテナ素子に出力する第２の場合とを選択的に切り換える第２のスイッチ手段をさらに備え、
上記第３の整合手段はさらに、上記第２の周波数帯域において、上記第１のアンテナ素子のインピーダンスを、上記第２の周波数帯域の無線信号をさらに通過させる第３のフィルタ手段のインピーダンスに整合させ、
上記第４の整合手段はさらに、上記第３の周波数帯域において、上記第２のアンテナ素子のインピーダンスを、上記第３の周波数帯域の無線信号をさらに通過させる第４のフィルタ手段のインピーダンスに整合させ、
上記第２の受信手段は、上記第２の周波数帯域の第３の無線信号を受信する第１の受信部と、上記第３の周波数帯域の第４の無線信号を受信する第２の受信部とを備え、
上記制御手段は、上記第１の場合において、上記第１のスイッチ手段が上記第１の受信部を上記第４のフィルタ手段及び上記第４の整合手段を介して上記第２のアンテナ素子に接続するように上記第１のスイッチ手段を制御する一方、上記第２の場合において、上記第１のスイッチ手段が上記第１の受信部を上記第３のフィルタ手段及び上記第３の整合手段を介して上記第１のアンテナ素子に接続するように上記第１のスイッチ手段を制御することを特徴とする。
【００１３】
本願の第２の発明に係る無線通信装置は、
第１の通信システムにおいて用いる第１の周波数帯域の第１の無線信号を送信しかつ上記第１の周波数帯域の第２の無線信号を受信し、第２の通信システムにおいて用いられかつ上記第１の周波数帯域と近接した第２の周波数帯域の第３の無線信号と、上記第２の通信システムにおいて用いられかつ上記第１の周波数帯域と遠隔し上記第２の周波数帯域と異なる第３の周波数帯域の第４の無線信号とを受信するための第１及び第２のアンテナ素子と、
上記第１のアンテナ素子と上記第２のアンテナ素子のうちのいずれか１つを接続する第１のスイッチ手段と、
第２のスイッチ手段と、
上記第１の無線信号を発生し、上記第２のスイッチ手段の第１の場合において、上記第２のスイッチ手段、第１のフィルタ手段及び第１の整合手段を介して上記第１のアンテナ素子から送信する一方、上記第２のスイッチ手段の第２の場合において、上記第２のスイッチ手段、第２のフィルタ手段及び第２の整合手段を介して上記第２のアンテナ素子から送信する送信手段と、
上記第１のアンテナ素子によって受信された第２の無線信号を上記第１の整合手段及び上記第１のフィルタ手段を介して受信する第１の受信処理と、上記第２のアンテナ素子によって受信された第２の無線信号を上記第２の整合手段及び上記第２のフィルタ手段を介して受信する第２の受信処理との少なくとも一方の受信処理を行う第１の受信手段と、
上記第２の周波数帯域の第３の無線信号と、上記第３の周波数帯域の第４の無線信号とを受信する第２の受信手段とを備えた無線通信装置であって、
上記第１の整合手段は、上記第１の周波数帯域において、上記第１のアンテナ素子のインピーダンスを上記第１の周波数帯域の無線信号を通過させる第１のフィルタ手段のインピーダンスに整合させ、
上記第２の整合手段は、上記第１の周波数帯域において、上記第２のアンテナ素子のインピーダンスを上記第１の周波数帯域の無線信号を通過させる第２のフィルタ手段のインピーダンスに整合させ、
上記無線通信装置は、
上記第２及び第３の周波数帯域において、上記第１のアンテナ素子のインピーダンスを上記第２及び第３の周波数帯域の無線信号を通過させる第３のフィルタ手段のインピーダンスに整合させる第３の整合手段と、
上記第２のスイッチ手段が上記送信手段を上記第１のフィルタ手段及び上記第１の整合手段を介して上記第１のアンテナ素子に接続されて、上記送信手段が上記第１の無線信号を上記第１のアンテナ素子を用いて送信しているとき、上記第２のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する一方、上記第２のスイッチ手段が上記送信手段を上記第２のフィルタ手段及び上記第２の整合手段を介して上記第２のアンテナ素子に接続されて、上記送信手段が上記第１の無線信号を上記第２のアンテナ素子を用いて送信しているとき、上記第１のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する制御手段とを備えたことを特徴とする。
【発明の効果】
【００１４】
第１の発明に係る無線通信装置によれば、上記送信手段が上記第１の無線信号を送信しているときに、上記第１のスイッチ手段が上記第３の無線信号を受信する第２の受信手段を、上記第４のフィルタ手段及び上記第４の整合手段を介して、上記第１の無線信号を送信していない第２のアンテナ素子に接続するように第１のスイッチ手段を制御する。従って、第１のアンテナ素子を用いて送信される第１の周波数帯域の第１の無線信号に妨害されずに、第２の周波数帯域の第３の無線信号を第２のアンテナ素子を用いて受信することができる。
【００１５】
また、上記第１のスイッチ手段が上記第２の受信手段を上記第３のフィルタ手段及び上記第３の整合手段を介して上記第１のアンテナ素子に接続しているときに、上記第２の受信手段によって受信される第３の無線信号又は第４の無線信号の信号レベルが所定のしきい値よりも小さくなったときに、上記第２の受信手段を上記第４のフィルタ手段及び上記第４の整合手段を介して上記第２のアンテナ素子に接続するように上記第１のスイッチ手段を制御する。従って、当該第３の無線信号又は第４の無線信号の信号レベルが所定のしきい値よりも小さくなったときに、上記第１のアンテナ素子の代わりに上記第２のアンテナ素子を上記第２の受信手段に接続する。これにより、より大きな信号レベルを受信する第２のアンテナ素子を利用できる。
【００１６】
さらに、上記第１のスイッチ手段が上記第２の受信手段を上記第４のフィルタ手段及び上記第４の整合手段を介して上記第２のアンテナ素子に接続しているときに、上記第２の受信手段によって受信される第３の無線信号又は第４の無線信号の信号レベルが所定のしきい値よりも小さくなったときに、上記第２の受信手段を上記第３のフィルタ手段及び上記第３の整合手段を介して上記第１のアンテナ素子に接続するように上記第１のスイッチ手段を制御する。従って、第２のアンテナ素子を用いて第３の無線信号又は第４の無線信号を受信しているときに、当該第３の無線信号又は第４の無線信号の信号レベルが所定のしきい値よりも小さくなったときに、上記第２のアンテナ素子の代わりに上記第１のアンテナ素子を上記第２の受信手段に接続する。これにより、より大きな信号レベルを受信する第１のアンテナ素子を利用できる。
【００１７】
また、上記第１の場合において、上記第１のスイッチ手段が上記第３の無線信号を受信する第２の受信手段を上記第４のフィルタ手段及び上記第４の整合手段を介して上記第２のアンテナ素子に接続するように上記第１のスイッチ手段を制御する一方、上記第２の場合において、上記第１のスイッチ手段が上記第３の無線信号を受信する第２の受信手段を上記第３のフィルタ手段及び上記第３の整合手段を介して上記第１のアンテナ素子に接続するように上記第１のスイッチ手段を制御する。従って、前者の第１の場合において、第１の無線信号が第１のアンテナ素子を用いて送信されるときに、第２の周波数帯域の第３の無線信号を第２のアンテナ素子を用いて、上記送信される第１の無線信号の妨害なしに受信できる。また、後者の第２の場合において、第１の無線信号が第２のアンテナ素子を用いて送信されるときに、第２の周波数帯域の第３の無線信号を第１のアンテナ素子を用いて、上記送信される第１の無線信号の妨害なしに受信できる。
【００１８】
さらに、上記第１の場合において、上記第１のスイッチ手段が上記第１の受信部を上記第４のフィルタ手段及び上記第４の整合手段を介して上記第２のアンテナ素子に接続するように上記第１のスイッチ手段を制御する一方、上記第２の場合において、上記第１のスイッチ手段が上記第１の受信部を上記第３のフィルタ手段及び上記第３の整合手段を介して上記第１のアンテナ素子に接続するように上記第１のスイッチ手段を制御する。従って、前者の第１の場合において、第１の無線信号が第１のアンテナ素子を用いて送信されるときに、第２の周波数帯域の第３の無線信号を第２のアンテナ素子を用いて第２の受信手段の第１の受信部により、上記送信される第１の無線信号の妨害なしに受信できる。また、後者の第２の場合において、第１の無線信号が第２のアンテナ素子を用いて送信されるときに、第２の周波数帯域の第３の無線信号を第１のアンテナ素子を用いて第２の受信手段の第１の受信部により、上記送信される第１の無線信号の妨害なしに受信できる。
【００１９】
第２の発明に係る無線通信装置によれば、上記第２のスイッチ手段が上記送信手段を上記第１のフィルタ手段及び上記第１の整合手段を介して上記第１のアンテナ素子に接続されて、上記送信手段が上記第１の無線信号を上記第１のアンテナ素子を用いて送信しているとき、上記第２のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する一方、上記第２のスイッチ手段が上記送信手段を上記第２のフィルタ手段及び上記第２の整合手段を介して上記第２のアンテナ素子に接続されて、上記送信手段が上記第１の無線信号を上記第２のアンテナ素子を用いて送信しているとき、上記第１のアンテナ素子によって受信された第３の無線信号を、上記第１のスイッチ手段、上記第３の整合手段及び上記第３のフィルタ手段を介して上記第２の受信手段により受信されるように上記第１のスイッチ手段を制御する。従って、前者の場合において、第１のアンテナ素子を用いて送信される第１の周波数帯域の第１の無線信号に妨害されずに、第３の無線信号を第２のアンテナ素子を用いて受信することができる。また、後者の場合において、第２のアンテナ素子を用いて送信される第１の周波数帯域の第１の無線信号に妨害されずに、第３の無線信号を第１のアンテナ素子を用いて受信することができる。
【発明を実施するための最良の形態】
【００２０】
以下、本発明の実施形態について、図面を参照しながら説明する。本発明の実施形態を説明するため図面の全体にわたり、同様の機能を有する構成要素は同一の符号を付与し、その繰り返しの説明は省略する。なお、本発明は下記の実施形態に限定されるものではない。
【００２１】
第１の実施形態．
図１は、本発明の第１の実施形態に係る携帯無線通信装置１００の無線通信回路１７０の構成を示すブロック図である。本実施形態の携帯無線通信装置１００は、互いに近接する周波数帯域をそれぞれ用いる複数の無線通信を実行し、具体的には、第１の無線通信として携帯電話送信信号及び携帯電話受信信号の送受信を実行する機能と、第２の無線通信としてＤＴＶの信号を受信する機能とを備えるものである。
【００２２】
図１に示す無線通信回路１７０は、携帯無線通信装置１００の無線周波領域の処理を実行し、携帯電話送信信号及び携帯電話受信信号を送受信するために携帯電話信号処理回路１５１を備え、ＤＴＶの信号を受信するためにＤＴＶチューナ１５２を備える。携帯電話信号処理回路１５１は送信回路１５１ａ及び受信回路１５１ｂを備え、送信回路１５１ａは、送信される携帯電話送信信号に対する、例えば増幅、Ｄ／Ａ変換及び変調などを含む無線周波領域の処理を実行し、受信回路１５１ｂは、受信される携帯電話受信信号に対する、例えば増幅、Ａ／Ｄ変換及び復調などを含む無線周波領域の処理を実行する。ＤＴＶチューナ１５２は、受信されたＤＴＶの信号に対して増幅及び復調などの無線周波領域の処理を実行する。また、図１では、図示の簡単化のために、携帯無線通信装置１００における無線周波領域の処理以外の他の処理を実行するための構成要素を、無線通信回路１７０の外部に接続されたコントローラ１８０によって代表させている。
【００２３】
携帯電話送信信号及び携帯電話受信信号を送受信するために使用する周波数帯域は、例えば８００ＭＨｚ帯、１．７ＧＨｚ帯、２．０ＧＨｚ帯及び２．５ＧＨｚ帯のうちの１つ又は複数を含み、本実施形態では８００ＭＨｚ帯が使用される。以下の説明では、この帯域をＢ１と表記する。なお、携帯電話送信信号及び携帯電話受信信号を送受信するために使用する周波数帯域は、これに限るものではない。また、ＤＴＶの周波数帯域は、携帯電話送信信号及び携帯電話受信信号の周波数帯に近接した第１の周波数帯域部分である５５７ＭＨｚ〜７７０ＭＨｚの範囲と、この第１の周波数帯域部分よりも携帯電話送信信号及び携帯電話受信信号の周波数帯から遠隔した第２の周波数帯域部分である４７０ＭＨｚ〜５５７ＭＨｚの範囲とを含み、本明細書では、これらを、それぞれ「高域周波数帯」（又は「高域」もしくはＢ２Ｈ）及び「低域周波数帯」（又は「低域」もしくはＢ２Ｌ）という。
【００２４】
図１において、携帯無線通信装置１００は２つのアンテナ素子１０１，１０２を備え、アンテナ素子１０１は、無線通信回路１７０上のインピーダンス整合回路１１１，１１２に接続され、アンテナ素子１０２は、無線通信回路１７０上のインピーダンス整合回路１１３，１１４に接続される（各図面では「整合回路」と表記する。）。インピーダンス整合回路１１１，１１２，１１３，１１４は、アンテナ素子１０１，１０２と後段の構成要素とのインピーダンス整合のためにそれぞれ設けられ、インピーダンス整合回路１１１，１１２はアンテナ素子１０１のための整合回路部１１０Ａとして機能し、インピーダンス整合回路１１３，１１４はアンテナ素子１０２のための整合回路部１１０Ｂとして機能する。インピーダンス整合回路１１１の後段にはフィルタ１２１が接続され、インピーダンス整合回路１１１は、帯域Ｂ１の携帯電話送信信号及び携帯電話受信信号を送受信するために、アンテナ素子１０１と、フィルタ１２１（又はフィルタ１２１を含むその後段の回路）とをインピーダンス整合させる。フィルタ１２１は、送受信される携帯電話送信信号及び携帯電話受信信号を通過させる帯域Ｂ１のバンドパスフィルタである。インピーダンス整合回路１１２の後段にはフィルタ１２２が接続され、インピーダンス整合回路１１２は、帯域Ｂ２ＬのＤＴＶの低域周波数信号を受信するために、アンテナ素子１０１と、フィルタ１２２（又はフィルタ１２２を含むその後段の回路）とをインピーダンス整合させる。フィルタ１２２は、受信されたＤＴＶの低域周波数信号を通過させる帯域Ｂ２Ｌのバンドパスフィルタである。インピーダンス整合回路１１３の後段にはフィルタ１２３が接続され、インピーダンス整合回路１１３は、帯域Ｂ１の携帯電話受信信号を受信するために、アンテナ素子１０２と、フィルタ１２３（又はフィルタ１２３を含むその後段の回路）とをインピーダンス整合させる。フィルタ１２３は、受信された携帯電話受信信号を通過させる帯域Ｂ１のバンドパスフィルタである。また、インピーダンス整合回路１１４の後段にはフィルタ１２４が接続され、インピーダンス整合回路１１４は、帯域Ｂ２ＨのＤＴＶの高域周波数信号を受信するために、アンテナ素子１０２と、フィルタ１２４又は（フィルタ１２４を含むその後段の回路）とをインピーダンス整合させる。フィルタ１２４は、受信されたＤＴＶの高域周波数信号を通過させる帯域Ｂ２Ｈのバンドパスフィルタである。
【００２５】
フィルタ１２１は、サーキュレータ１３１を介して、携帯電話信号処理回路１５１内の送信回路１５１ａに接続され、送信回路１５１ａで生成された送信すべき携帯電話送信信号は、サーキュレータ１３１、フィルタ１２１及びインピーダンス整合回路１１１を介してアンテナ素子１０１に送られ、アンテナ素子１０１から携帯電話の基地局装置（図示せず。）に向けて放射される。フィルタ１２１はさらに、サーキュレータ１３１を介して合成器１３２の１つの入力側端子に接続される。合成器１３２のもう１つの入力側端子にはフィルタ１２３が接続され、合成器１３２は、アンテナ素子１０１で受信されてインピーダンス整合回路１１１、フィルタ１２１及びサーキュレータ１３１とを介して入力された携帯電話受信信号と、アンテナ素子１０２で受信されてインピーダンス整合回路１１３及びフィルタ１２３を介して入力された携帯電話受信信号とに対して合成ダイバーシチを行って、合成後の携帯電話受信信号を携帯電話信号処理回路１５１内の受信回路１５１ｂへ出力する。サーキュレータ１３１は、送信回路１５１ａから入力された送信すべき携帯電話送信信号をフィルタ１２１のみに送り、また、フィルタ１２１から入力された携帯電話受信信号を合成器１３２のみに送る。携帯電話信号処理回路１５１は、送受信される携帯電話送信信号及び携帯電話受信信号のさらなる処理のために無線通信回路１７０の外部のコントローラ１８０及び／又は他の音声処理回路など（図示せず。）に接続され、そのような外部の回路は、例えば、携帯電話送信信号及び携帯電話受信信号が電話呼の信号である場合には、音声信号の符号化及び復号化やＡ／Ｄ変換及びＤ／Ａ変換などを実行し、携帯電話送信信号及び携帯電話受信信号が電子メールである場合には、テキストデータの処理などを実行する。
【００２６】
一方、フィルタ１２２，１２４は、周波数帯域を切り換えるためのスイッチ１４１に接続され、スイッチ１４１は、チューナコントローラ１６０の制御に従って、フィルタ１２２，１２４のいずれか一方の出力信号をＤＴＶチューナ１５２に送る。チューナコントローラ１６０は、図２のキーボード２０７を介したユーザ入力などにより選局されたチャンネル情報などを含むコントローラ１８０からの制御信号に基づいて、スイッチ１４１の接続を切り換えるとともに、ＤＴＶチューナ１５２の復調動作を制御する。ここで、選局されるチャンネルが低域周波数帯Ｂ２Ｌに属する周波数を有する場合には、チューナコントローラ１６０は、アンテナ素子１０１で受信されてインピーダンス整合回路１１２及びフィルタ１２２を介して送られたＤＴＶの低域周波数信号をＤＴＶチューナ１５２に入力するようにスイッチ１４１を制御するとともに、入力された低域周波数信号の復調動作を実行するようにＤＴＶチューナ１５２を制御する。その一方、選局されるチャンネルが高域周波数帯Ｂ２Ｈに属する周波数を有する場合には、チューナコントローラ１６０は、アンテナ素子１０２で受信されてインピーダンス整合回路１１４及びフィルタ１２４を介して送られたＤＴＶの高域周波数信号をＤＴＶチューナ１５２に入力するようにスイッチ１４１を制御するとともに、入力された高域周波数信号の復調動作を実行するようにＤＴＶチューナ１５２を制御する。ＤＴＶチューナ１５２で復調された信号は、映像及び音声の再生などを含むさらなる処理のために、無線通信回路１７０の外部のコントローラ１８０及び／又は他の再生回路など（図示せず。）に送られる。
【００２７】
チューナコントローラ１６０はまた、送信回路１５１ａが携帯電話送信信号を送信しているときに、スイッチ１４１がＤＴＶの高域周波数信号を受信するＤＴＶチューナ１５２を、フィルタ１２４及びインピーダンス整合回路１１４を介して、携帯電話送信信号を送信していないアンテナ素子１０２に接続するようにスイッチ１４１を制御する一方、送信回路１５１ａが携帯電話送信信号を送信していないときに、スイッチ１４１がＤＴＶチューナ１５２をフィルタ１２２及びインピーダンス整合回路１１２を介してアンテナ素子１０１に接続するか、もしくはＤＴＶチューナ１５２をフィルタ１２４及びインピーダンス整合回路１１４を介してアンテナ素子１０２に接続するようにスイッチ１４１を制御してもよい。これにより、アンテナ素子１０１を用いて送信される帯域Ｂ１の携帯電話送信信号に妨害されずに、帯域Ｂ２ＨのＤＴＶの高域周波数信号をアンテナ素子１０２を用いて受信することができる。
【００２８】
図２及び図３は、本実施形態の携帯無線通信装置１００の全体構成をそれぞれ正面及び側面から概略的に示す透視図である。図２及び図３において、本実施形態の携帯無線通信装置１００は、ほぼ直方体形状の上部筐体２０１と下部筐体２０２とを備え、これらがヒンジ部２０３により連結された折りたたみ型の携帯電話機として構成されている。図２及び図３では、携帯無線通信装置１００を開いた状態で示す。上部筐体２０１は、一部あるいは全部がマグネシウムや亜鉛等の導電性材料で構成され、内側上部筐体として設けられるアンテナ素子１０１と、外側上部筐体２０１ａとで構成されている。ここで、携帯無線通信装置１００を電話機として通話のために使用する際にユーザの頭部に近接する側を携帯無線通信装置１００の「内側」といい、ユーザの頭部から離れた側を携帯無線通信装置１００の「外側」という。内側上部筐体の一部分のみがアンテナ素子１０１として動作するように構成してもよい。内側上部筐体（すなわちアンテナ素子１０１）と外側上部筐体２０１ａとは、内側上部筐体の下端部（すなわちヒンジ部２０３に近接した側）において、内側上部筐体から外側上部筐体２０１ａに貫通するように設けられたネジ２１１，２１２により固定される。例えば、ネジ２１１は、図３に示すように、外側上部筐体２０１ａのネジ受け部２１３に螺嵌することによって固定される。図示を省略するが、ネジ２１２も同様に固定される。内側上部筐体上には、ＤＴＶの映像及び他の情報を表示するディスプレイ２０４が設けられ、ディスプレイ２０４の上方（すなわち、内側上部筐体上において、ヒンジ部２０３から遠隔した側）には、通話の相手の音声を再生し、さらにＤＴＶの視聴時にその音声を再生するスピーカ２０５が設けられる。ＤＴＶの音声を再生するためのスピーカは、スピーカ２０５とは別個に設けてもよい。下部筐体２０２の内側上には、ＤＴＶの選局などを含むユーザ入力を取得するためのキーボード２０７が設けられ、下部筐体２０２の下端部付近（すなわちヒンジ部２０３から遠隔した側）には、通話時にユーザの音声を取得するマイクロホン２０６が設けられる。下部筐体２０２内にはさらに、図１の無線通信回路１７０とコントローラ１８０（図２及び図３には図示せず。）を含む回路基板２０８が設けられ、また、下部筐体２０２の外側に近接するように充電池２０９が設けられる。さらに、ヒンジ部２０３内には、ストリップ状の導体にてなるアンテナ素子１０２が設けられる。アンテナ素子１０１は、給電線２２１を介して無線通信回路１７０に接続され、給電線２２１の一端は、円形の貫通孔となるように構成され、その貫通孔を通るネジ２１１とネジ受部２１３とによりアンテナ素子１０１と電気的に接続されるようにネジ止めされ、給電線２２１の他端は無線通信回路１７０上の端子２２３に電気的に接続される。アンテナ素子１０２は、給電線２２２を介して無線通信回路１７０に接続され、給電線２２２の一端は、アンテナ素子１０２の一端に設けられた給電点２２５に電気的に接続され、給電線２２２の他端は無線通信回路１７０上の端子２２４に電気的に接続される。以上の構成により、図１の携帯無線通信装置１００を携帯電話機として実装することができる。
【００２９】
図４は、図１のアンテナ素子１０１及び整合回路部１１０ＡのＶＳＷＲ（Ｖｏｌｔａｇｅ  Ｓｔａｎｄｉｎｇ  Ｗａｖｅ  Ｒａｔｉｏ：電圧定在波比）特性を示すグラフであり、図５は、図１のアンテナ素子１０２及び整合回路部１１０ＢのＶＳＷＲ特性を示すグラフである。図４を参照すると、アンテナ素子１０１を介して帯域Ｂ１の携帯電話送信信号及び携帯電話受信信号を送受信する際のＶＳＷＲ特性と、帯域Ｂ２ＬのＤＴＶの低域周波数信号を受信する際のＶＳＷＲ特性とがわかる。図４では、携帯電話送信信号及び携帯電話受信信号の周波数とＤＴＶの低域周波数信号の周波数とは、妨害が生じない程度に離隔していることがわかり、また、このとき、アンテナ素子１０１に接続された整合回路部１１０Ａによって、携帯電話送信信号及び携帯電話受信信号を送受信するための適切なインピーダンス整合状態と、ＤＴＶの低域周波数信号を受信するための適切なインピーダンス整合状態とが達成されている。図５を参照すると、アンテナ素子１０２を介して帯域Ｂ１の携帯電話受信信号を受信する際のＶＳＷＲ特性と、帯域Ｂ２ＨのＤＴＶの高域周波数信号を受信する際のＶＳＷＲ特性とがわかる。図５では、携帯電話受信信号の周波数とＤＴＶの高域周波数信号の周波数とは近接しているが、両方とも受信動作であるので妨害は発生せず、また、このとき、アンテナ素子１０２に接続された整合回路部１１０Ｂによって、携帯電話受信信号を受信するための適切なインピーダンス整合状態と、ＤＴＶの高域周波数信号を受信するための適切なインピーダンス整合状態とが達成されている。図４及び図５より、携帯電話送信信号を送信するためのアンテナ素子１０１とＤＴＶの高域周波数信号を受信するためのアンテナ素子１０２とを分離することにより、送信される携帯電話送信信号がＤＴＶの高域周波数信号の受信特性に与える影響を抑圧可能であることがわかる。
【００３０】
図６は、本実施形態の第１の変形例に係る携帯無線通信装置１００Ａの無線通信回路１７０の構成を示すブロック図である。この携帯無線通信装置１００Ａは、図１のスイッチ１４１、ＤＴＶチューナ１５２及びチューナコントローラ１６０に代えて、低域周波数信号と高域周波数信号を復調するためにそれぞれ設けられたＤＴＶ低域チューナ１５２ＡとＤＴＶ高域チューナ１５２Ｂとを備えたことを特徴とする。ここで、フィルタ１２２から出力される低域周波数信号はＤＴＶ低域チューナ１５２Ａに入力され、フィルタ１２４から出力される高域周波数信号はＤＴＶ高域チューナ１５２Ｂに入力される。ＤＴＶ低域チューナ１５２Ａ及びＤＴＶ高域チューナ１５２Ｂで復調された信号は、映像及び音声の再生などを含むさらなる処理のために、無線通信回路１７０の外部のコントローラ１８０に送られる。携帯無線通信装置１００Ａは、ＤＴＶ低域チューナ１５２Ａ及びＤＴＶ高域チューナ１５２Ｂによる復調処理を制御するコントローラをさらに備えてもよい。このようにＤＴＶの低域周波数信号と高域周波数信号とでチューナを分離することにより、低域周波数帯内のチャンネルを視聴しているときに高域周波数帯内のチャンネルを録画することが可能であり、又は、携帯無線通信装置１００Ａを電話機として使用しているときにＤＴＶの低域周波数帯から１つのチャンネルを録画し、ＤＴＶの高域周波数帯から１つのチャンネルを録画するように、携帯電話信号処理回路１５１、ＤＴＶ低域チューナ１５２Ａ及びＤＴＶ高域チューナ１５２Ｂを同時に動作させることが可能である。
【００３１】
図７は、本実施形態の第２の変形例に係る携帯無線通信装置１００Ｂの無線通信回路１７０の構成を示すブロック図である。図１に示した実施形態では、携帯無線通信装置１００は２つのアンテナ素子１０１，１０２を備えていたが、これに限らず３つ以上のアンテナ素子を備えていてもよい。図７の携帯無線通信装置１００Ｂは３つのアンテナ素子１０１，１０２，１０３を備えた変形例を示す。
【００３２】
追加のアンテナ素子１０３は、アンテナ素子１０３とその後段の構成要素とのインピーダンス整合のために設けられたインピーダンス整合回路１１５に接続され、インピーダンス整合回路１１５はフィルタ１２５を介して合成器１３３に接続される。インピーダンス整合回路１１５は、帯域Ｂ１の携帯電話受信信号を受信するために、アンテナ素子１０３と、フィルタ１２５（又はフィルタ１２５を含むその後段の回路）とをインピーダンス整合させる。フィルタ１２５は、受信される携帯電話受信信号を通過させる帯域Ｂ１のバンドパスフィルタである。合成器１３３は、アンテナ素子１０１で受信されてインピーダンス整合回路１１１、フィルタ１２１及びサーキュレータ１３１とを介して入力された携帯電話受信信号と、アンテナ素子１０２で受信されてインピーダンス整合回路１１３及びフィルタ１２３を介して入力された携帯電話受信信号と、アンテナ素子１０３で受信されてインピーダンス整合回路１１５及びフィルタ１２５を介して入力された携帯電話受信信号とに対して合成ダイバーシチを行って、合成後の携帯電話受信信号を携帯電話信号処理回路１５１内の受信回路１５１ｂへ出力する。３つのアンテナ素子１０１，１０２，１０３で受信された携帯電話受信信号の合成ダイバーシチを実行することにより、携帯電話受信信号の受信性能は向上する。図７に示す変形例の場合では、３つのアンテナ素子１０１，１０２，１０３のうちの任意の２つのみ（すなわち、アンテナ素子１０１，１０２）がＤＴＶの高域周波数信号及び低域周波数信号の受信のためにそれぞれ使用される。チューナコントローラ１６０によるスイッチ１４１の制御は、図１の場合と同様である。
【００３３】
図８は、本実施形態の第３の変形例に係る携帯無線通信装置１００Ｃの無線通信回路１７０の構成を示すブロック図である。この変形例の携帯無線通信装置１００Ｃは、図７の変形例と同様に３つのアンテナ素子１０１，１０２，１０３を備えたことに加えて、ＤＴＶの周波数帯域を低域周波数帯と中域周波数帯（図８では「Ｂ２Ｍ」と表記する。）と高域周波数帯との３つに分割し、３つのアンテナ素子１０１，１０２，１０３のすべてを、携帯電話送信信号及び携帯電話受信信号とＤＴＶの信号とのために共用させること、すなわち、携帯電話送信信号及び携帯電話受信信号を送受信しかつＤＴＶの低域周波数信号を受信するためにアンテナ素子１０１を使用し、携帯電話受信信号を受信しかつＤＴＶの中域周波数信号を受信するためにアンテナ素子１０３を使用し、携帯電話受信信号を受信しかつＤＴＶの高域周波数信号を受信するためにアンテナ素子１０２を使用することを特徴とする。
【００３４】
図８において、アンテナ素子１０３は、図７の変形例と同様にインピーダンス整合回路１１５及びフィルタ１２５を介して合成器１３３に接続されたことに加えて、アンテナ素子１０３とその後段の構成要素とのインピーダンス整合のために設けられたインピーダンス整合回路１１６に接続される。インピーダンス整合回路１１５，１１６はアンテナ素子１０３のための整合回路部１１０Ｃとして機能する。インピーダンス整合回路１１６の後段にはフィルタ１２６が接続され、インピーダンス整合回路１１６は、帯域Ｂ２ＭのＤＴＶの中域周波数信号を受信するために、アンテナ素子１０３と、フィルタ１２６（又はフィルタ１２６を含むその後段の回路）とをインピーダンス整合させる。フィルタ１２６は、受信されるＤＴＶの中域周波数信号を通過させる帯域Ｂ２Ｍのバンドパスフィルタである。図８の携帯無線通信装置１００Ｃは、図７のスイッチ１４１に代えてスイッチ１４２を備え、フィルタ１２２，１２４，１２６はそれぞれスイッチ１４２に接続される。スイッチ１４２は、チューナコントローラ１６０Ａの制御に従って、フィルタ１２２から出力される低域周波数信号、フィルタ１２６から出力される中域周波数信号、及びフィルタ１２４から出力される高域周波数信号のいずれか１つをＤＴＶチューナ１５２に送る。
【００３５】
この携帯無線通信装置１００Ｃはさらに、３つよりも多くのアンテナ素子を備えてもよく、また、ＤＴＶの周波数帯域を３つよりも多くの帯域に分割し、分割された各帯域に属する周波数を有する信号をそれぞれ異なるアンテナ素子で受信し、受信された各信号のいずれか１つをＤＴＶチューナ１５２に入力するように構成してもよい。さらに、それぞれ異なる周波数帯域のＤＴＶの信号を受信する３つよりも多くのＤＴＶチューナを備え、異なるアンテナ素子で受信されたＤＴＶの信号を異なるＤＴＶチューナで復調するように構成してもよい。
【００３６】
図８の構成により、携帯無線通信装置１００Ｃ等から送信される携帯電話送信信号がＤＴＶの中域周波数信号及び高域周波数信号の受信特性を劣化させることなく通信でき、さらに、ＤＴＶの信号の周波数帯域に応じて、アンテナ素子１０１，１０２，１０３のうちで当該周波数帯域におけるＤＴＶの信号を受信するために適切なアンテナ素子を選択することができる。
【００３７】
図９は、本発明の第１の実施形態の第４の変形例に係る携帯無線通信装置１００Ｄの無線通信回路１７０の構成を示すブロック図である。この変形例の携帯無線通信装置１００Ｄは、図１の合成器１３２に代えて、アンテナ素子１０１，１０２でそれぞれ受信された携帯電話受信信号に対する選択ダイバーシチを行うためのスイッチ１４３を備えたことを特徴とする。
【００３８】
スイッチ１４３は、アンテナ素子１０１で受信されてインピーダンス整合回路１１１、フィルタ１２１及びサーキュレータ１３１とを介して入力された携帯電話受信信号と、アンテナ素子１０２で受信されてインピーダンス整合回路１１３及びフィルタ１２３を介して入力された携帯電話受信信号との一方を携帯電話信号処理回路１５１に送るように切り換える。携帯電話信号処理回路１５１は、図１の受信回路１５１ｂに代えて受信回路１５１ｃを備え、受信回路１５１ｃは、携帯電話受信信号の復調処理を実行するとともに、スイッチ１４３から送られた携帯電話受信信号のＲＳＳＩ（Ｒｅｃｅｉｖｅｄ  Ｓｉｇｎａｌ  Ｓｔｒｅｎｇｔｈ  Ｉｄｅｎｔｉｆｉｃａｔｉｏｎ：受信信号強度）を取得し、このＲＳＳＩが高くなるようにスイッチ１４３の切り換えを行う。詳しくは、受信回路１５１ｃは、アンテナ素子１０１で受信された携帯電話受信信号が当該受信回路１５１ｃに入力されている場合においてＲＳＳＩが所定のしきい値ＲＳＳＩ０より小さくなったときは、アンテナ素子１０２で受信された携帯電話受信信号を当該受信回路１５１ｃに入力するようにスイッチ１４３を切り換え、逆に、アンテナ素子１０２で受信された携帯電話受信信号が当該受信回路１５１ｃに入力されている場合においてＲＳＳＩがしきい値ＲＳＳＩ０より小さくなったときは、アンテナ素子１０１で受信された携帯電話受信信号を当該受信回路１５１ｃに入力するようにスイッチ１４３を切り換える。なお、以上の説明では、スイッチ１４３を切り換える基準として受信信号強度（ＲＳＳＩ）を使用したが、これに限らず、Ｃ／Ｎ（雑音電力に対する搬送波電力）、ＢＥＲ（Ｂｉｔ  Ｅｒｒｏｒ  Ｒａｔｅ）又はＰＥＲ（Ｐａｃｋｅｔ  Ｅｒｒｏｒ  Ｒａｔｅ）など、受信信号レベル又は受信特性の劣化が感知できる指標なら任意のもの使用可能である。このように、携帯無線通信装置１００Ｄは、受信時の無線環境の低下が検出された場合に、携帯電話受信信号を受信するアンテナ素子を切り換える選択ダイバーシチを実行し、それにより、ＲＳＳＩ等の受信信号レベルが高くなるようにスイッチ１４３を制御して、アンテナ素子１０１，１０２でそれぞれ受信された携帯電話受信信号のいずれか一方を携帯電話信号処理回路１５１に入力することができる。また、図４及び図５に示したような３つ以上のアンテナ素子を備えた携帯無線通信装置において、３つ以上のアンテナ素子でそれぞれ受信された携帯電話受信信号に対して選択ダイバーシチを実行するように構成してもよい。
【００３９】
図２２は、本発明の第１の実施形態の第５の変形例に係る携帯無線通信装置１００Ｑの無線通信回路１７０の構成を示すブロック図である。アンテナ素子１０１を介して携帯電話送信信号の送信と携帯電話受信信号の受信とを両立するために、サーキュレータ１３１に代えて他の回路要素を用いてもよい。図２２の無線通信回路１７０は、図１のフィルタ１２１及びサーキュレータ１３１に代えてデュプレクサ（アンテナ共用器）１３１Ａを備えて構成される。デュプレクサ１３１Ａは、その内部構成要素としてフィルタ１３１Ａａ，１３１Ａｂを含み、フィルタ１３１Ａａは、送信される携帯電話送信信号を通過させる帯域Ｂ１のバンドパスフィルタであり、フィルタ１３１Ａｂは、受信される携帯電話受信信号を通過させる帯域Ｂ１のバンドパスフィルタである。インピーダンス整合回路１１１は、帯域Ｂ１の携帯電話送信信号及び携帯電話受信信号を送受信するために、アンテナ素子１０１と、デュプレクサ１３１Ａの各フィルタ１３１Ａａ，１３１Ａｂ（又はデュプレクサ１３１Ａを含むその後段の回路）とをインピーダンス整合させる。この構成により、本変形例においても、図１の場合と同様にアンテナ素子１０１を介して携帯電話送信信号及び携帯電話受信信号を送受信することができる。図２２の変形例の構成は、本実施形態の第１乃至第４の変形例の構成、また後述する第４の実施形態の構成に適用されてもよい。
【００４０】
以上説明したように、本実施形態の携帯無線通信装置１００及びその変形例１００Ａ〜１００Ｄ，１００Ｑによれば、ＤＴＶの高域周波数信号を受信するためのアンテナ素子１０２と携帯電話送信信号を送信するためのアンテナ素子１０１とを別のアンテナ素子とすることにより、携帯無線通信装置１００等から送信される携帯電話送信信号がＤＴＶの高域周波数信号の受信特性を劣化させることなく通信できる。これにより、互いに近接した周波数帯を用いる複数の無線通信を実行可能な携帯無線通信装置１００を提供することができる。
【００４１】
さらには、ＤＴＶの信号を受信するアンテナ素子と、携帯電話送信信号及び携帯電話受信信号を送受信するアンテナ素子及び／又は携帯電話受信信号を受信するアンテナ素子とを共通にすることにより、携帯無線通信装置におけるアンテナ素子の数を増やすことなくＤＴＶの視聴が可能となる。また、アンテナ素子１０１に接続された整合回路部１１０Ａによって、携帯電話送信信号及び携帯電話受信信号を送受信するための適切なインピーダンス整合状態と、ＤＴＶの低域周波数信号を受信するための適切なインピーダンス整合状態とが達成され、アンテナ素子１０２に接続された整合回路部１１０Ｂによって、携帯電話受信信号を受信するための適切なインピーダンス整合状態と、ＤＴＶの高域周波数信号を受信するための適切なインピーダンス整合状態とが達成されている。
【００４２】
さらには、アンテナ素子１０１，１０２が常に携帯電話信号処理回路１５１に接続され、アンテナ素子１０１，１０２のいずれか一方が常にＤＴＶチューナ１５２に接続された状態にあるので、電話機として通話しているときにＤＴＶの番組を録画するなど、携帯無線通信装置１００等をＤＴＶチューナとして動作させ、それと同時に電話機として動作させることが可能である。
【００４３】
さらには、ＤＴＶの信号を受信するためのアンテナ素子を低域周波数用と高域周波数用とに分けて使用することにより、１本のみのアンテナ素子を使用する場合よりも広帯域にわたってＤＴＶの受信特性を向上させることが可能である。
【００４４】
さらには、図２及び図３に示すように、ＤＴＶの低域周波数信号（使用する周波数が低い方）を受信するためのアンテナ素子として、アンテナ素子１０２ではなく、アンテナ素子１０２よりサイズが大きなアンテナ素子１０１を選択したことにより、より良好な受信特性が得られる。
【００４５】
なお、本実施形態において、携帯無線通信装置１００の構成を図２及び図３に示したが、これに限るものではない。
【００４６】
第２の実施形態．
図１０は、本発明の第２の実施形態に係る携帯無線通信装置１００Ｅの無線通信回路１７０の構成を示すブロック図である。本実施形態の携帯無線通信装置１００Ｅは、携帯電話送信信号及び携帯電話受信信号の送受信機能とＤＴＶの受信機能とを備えるものである。本実施形態の携帯無線通信装置１００Ｅは、第１の実施形態と同様に携帯無線通信装置１００Ｅから送信される携帯電話送信信号がＤＴＶの高域周波数信号への妨害となることを防止するとともに、携帯電話送信信号を送信するためにアンテナ素子１０１，１０２のいずれかを選択して使用する選択ダイバーシチを実行することを特徴とする。
【００４７】
図１０において、アンテナ素子１０１は、無線通信回路１７０上のインピーダンス整合回路１１１，１１２Ａに接続され、アンテナ素子１０２は、無線通信回路１７０上のインピーダンス整合回路１１３Ａ，１１４Ａに接続される。インピーダンス整合回路１１１，１１２Ａ，１１３Ａ，１１４Ａは、アンテナ素子１０１，１０２とその後段の構成要素とのインピーダンス整合のためにそれぞれ設けられ、インピーダンス整合回路１１１，１１２Ａはアンテナ素子１０１のための整合回路部１１０Ａとして機能し、インピーダンス整合回路１１３Ａ，１１４Ａはアンテナ素子１０２のための整合回路部１１０Ｂとして機能する。インピーダンス整合回路１１１の後段には、図１の携帯無線通信装置１００と同様にフィルタ１２１が接続され、インピーダンス整合回路１１１は、帯域Ｂ１の携帯電話送信信号及び携帯電話受信信号を送受信するために、アンテナ素子１０１と、フィルタ１２１（又はフィルタ１２１を含むその後段の回路）とをインピーダンス整合させる。インピーダンス整合回路１１２Ａの後段には、スイッチ１４１を介してフィルタ１２７が接続され、インピーダンス整合回路１１２Ａは、帯域Ｂ２Ｌ及びＢ２ＨのＤＴＶの信号を受信するために、アンテナ素子１０１と、スイッチ１４１及びフィルタ１２７（又はスイッチ１４１及びフィルタ１２７を含むその後段の回路）とをインピーダンス整合させる。図１０の携帯無線通信装置１００Ｅでは、簡単化のために、ＤＴＶの周波数帯域を高域周波数帯Ｂ２Ｈと低域周波数帯Ｂ２Ｌとに分割せず、携帯無線通信装置１００Ｅのインピーダンス整合回路１１２Ａ，１１４Ａ及びフィルタ１２７は、４７０ＭＨｚ〜７７０ＭＨｚの単一の周波数帯域にわたってＤＴＶの信号を処理する。インピーダンス整合回路１１３Ａの後段にはフィルタ１２３Ａが接続され、インピーダンス整合回路１１３Ａは、帯域Ｂ１の携帯電話送信信号及び携帯電話受信信号を送受信するために、アンテナ素子１０２と、フィルタ１２３Ａ（又はフィルタ１２３Ａを含むその後段の回路）とをインピーダンス整合させる。フィルタ１２３Ａは、送受信される携帯電話送信信号及び携帯電話受信信号を通過させる帯域Ｂ１のバンドパスフィルタである。また、インピーダンス整合回路１１４Ａの後段には、スイッチ１４１を介してフィルタ１２７が接続され、インピーダンス整合回路１１４Ａは、帯域Ｂ２Ｌ及びＢ２ＨのＤＴＶの信号を受信するために、アンテナ素子１０２と、スイッチ１４１及びフィルタ１２７（又はスイッチ１４１及びフィルタ１２７を含むその後段の回路）とをインピーダンス整合させる。
【００４８】
フィルタ１２１は、サーキュレータ１３１を介してスイッチ１４４に接続され、また、フィルタ１２３Ａは、サーキュレータ１３４を介してスイッチ１４４に接続される。スイッチ１４４は、チューナコントローラ１６０Ｂの制御に従って、サーキュレータ１３１，１３４のいずれか一方を携帯電話信号処理回路１５１内の送信回路１５１ａに接続するように切り換える。よって、送信回路１５１ａで生成された送信すべき携帯電話送信信号は、スイッチ１４４の接続状態に応じて、サーキュレータ１３１、フィルタ１２１及びインピーダンス整合回路１１１を介してアンテナ素子１０１に送られるか、あるいは、サーキュレータ１３４、フィルタ１２３Ａ及びインピーダンス整合回路１１３Ａを介してアンテナ素子１０２に送られる。スイッチ１４４の切り換えにより、送信すべき携帯電話送信信号をアンテナ素子１０１，１０２のいずれか一方から携帯電話の基地局装置（図示せず。）に向けて放射する選択ダイバーシチを行うことができる。フィルタ１２１はさらに、サーキュレータ１３１を介して合成器１３２の１つの入力側端子に接続され、また、フィルタ１２３Ａはさらに、サーキュレータ１３４を介して合成器１３２のもう１つの入力側端子に接続される。合成器１３２は、アンテナ素子１０１で受信されてインピーダンス整合回路１１１、フィルタ１２１及びサーキュレータ１３１とを介して入力された携帯電話受信信号と、アンテナ素子１０２で受信されてインピーダンス整合回路１１３Ａ、フィルタ１２３Ａ及びサーキュレータ１３４を介して入力された携帯電話受信信号とに対して合成ダイバーシチを行って、合成後の携帯電話受信信号を携帯電話信号処理回路１５１内の受信回路１５１ｂへ出力する。サーキュレータ１３１は、送信回路１５１ａからスイッチ１４４を介して入力された送信すべき携帯電話送信信号をフィルタ１２１のみに送り、また、フィルタ１２１から入力された携帯電話受信信号を合成器１３２のみに送る。同様に、サーキュレータ１３４は、送信回路１５１ａからスイッチ１４４を介して入力された送信すべき携帯電話送信信号をフィルタ１２３Ａのみに送り、また、フィルタ１２３Ａから入力された携帯電話受信信号を合成器１３２のみに送る。
【００４９】
一方、スイッチ１４１は、チューナコントローラ１６０Ｂの制御に従って、インピーダンス整合回路１１２Ａ，１１４Ａのいずれか一方の出力信号をフィルタ１２７を介してＤＴＶチューナ１５２に送る。フィルタ１２７は、ＤＴＶの受信信号を通過させる帯域Ｂ２Ｌ及びＢ２Ｈのバンドパスフィルタである。
【００５０】
コントローラ１８０は、携帯電話送信信号を携帯電話の基地局装置（図示せず。）に送信してから所定時間が経過した後になっても基地局装置からの応答信号が受信されなかったときなど、送信時の無線環境の低下が検出された場合に、送信のための選択ダイバーシチの実行を指示する制御信号をチューナコントローラ１６０Ｂに送る。コントローラ１８０は、ＤＴＶの信号の受信信号レベルが低下したときなどに、送信のための選択ダイバーシチの実行を指示する制御信号をチューナコントローラ１６０Ｂに送ってもよい。チューナコントローラ１６０Ｂは、この制御信号に従って、以下の２つの場合のいずれかの状態となるようにスイッチ１４１，１４４を連動させて切り換える。第１の場合では、図１０に示すように、スイッチ１４４は、送信回路１５１ａをサーキュレータ１３１（すなわち、アンテナ素子１０１に接続された側のサーキュレータ）に接続し、その一方、スイッチ１４１は、フィルタ１２７をインピーダンス整合回路１１４Ａ（すなわち、アンテナ素子１０２に接続された側のインピーダンス整合回路）に接続する。一方、第２の場合では、スイッチ１４４は、送信回路１５１ａをサーキュレータ１３４（すなわち、アンテナ素子１０２に接続された側のサーキュレータ）に接続し、その一方、スイッチ１４１は、フィルタ１２７をインピーダンス整合回路１１２Ａ（すなわち、アンテナ素子１０１に接続された側のインピーダンス整合回路）に接続する。従って、第１の場合では、送信回路１５１ａで生成された送信すべき携帯電話送信信号は、スイッチ１４４、サーキュレータ１３１、フィルタ１２１及びインピーダンス整合回路１１１を介してアンテナ素子１０１に送られて、アンテナ素子１０１から携帯電話の基地局装置に向けて放射され、その一方、アンテナ素子１０２で受信したＤＴＶの信号は、インピーダンス整合回路１１４Ａ、スイッチ１４１、フィルタ１２７を介してＤＴＶチューナ１５２に送られて、復調などの信号処理が実行される。第２の場合では、送信回路１５１ａで生成された送信すべき携帯電話送信信号は、スイッチ１４４、サーキュレータ１３４、フィルタ１２３Ａ及びインピーダンス整合回路１１３Ａを介してアンテナ素子１０２に送られて、アンテナ素子１０２から携帯電話の基地局装置に向けて放射され、その一方、アンテナ素子１０１で受信したＤＴＶの信号は、インピーダンス整合回路１１２Ａ、スイッチ１４１、フィルタ１２７を介してＤＴＶチューナ１５２に送られて、復調などの信号処理が実行される。コントローラ１８０からチューナコントローラ１６０Ｂに送られる制御信号は、さらに、キーボード２０７を介したユーザ入力などにより選局されたチャンネル情報などを含み、チューナコントローラ１６０Ｂは、このチャンネル情報などに基づいてＤＴＶチューナ１５２の復調動作を制御する。
【００５１】
本実施形態の携帯無線通信装置１００Ｅによれば、アンテナ素子１０１，１０２が常に携帯電話信号処理回路１５１に接続され、アンテナ素子１０１，１０２のいずれか一方が常にＤＴＶチューナ１５２に接続された状態にあるので、電話機として通話しているときにＤＴＶの番組を録画するなど、携帯無線通信装置１００ＥをＤＴＶチューナとして動作させ、それと同時に電話機として動作させることが可能である。
【００５２】
図１１は、本発明の第２の実施形態の第１の変形例に係る携帯無線通信装置１００Ｆの無線通信回路１７０の構成を示すブロック図である。この変形例は、図１０の携帯無線通信装置１００Ｅにおいてスイッチ１４１の後段に設けられたフィルタ１２７を、スイッチ１４１の前段に移動させた構成を有することを特徴とする。この変形例では、図１０におけるスイッチ１４１及びＤＴＶチューナ１５２の間に設けられたフィルタ１２７に代えて、インピーダンス整合回路１１２Ａ及びスイッチ１４１の間に設けられたフィルタ１２２Ａと、インピーダンス整合回路１１４Ａ及びスイッチ１４１の間に設けられたフィルタ１２４Ａとを備えている。インピーダンス整合回路１１２Ａは、ＤＴＶの信号を受信するために、アンテナ素子１０１と、スイッチ１４１及びフィルタ１２２Ａ（又はスイッチ１４１及びフィルタ１２２Ａを含むその後段の回路）とをインピーダンス整合させ、インピーダンス整合回路１１４Ａは、ＤＴＶの信号を受信するために、アンテナ素子１０２と、スイッチ１４１及びフィルタ１２４Ａ（又はスイッチ１４１及びフィルタ１２４Ａを含むその後段の回路）とをインピーダンス整合させる。フィルタ１２２Ａ，１２４Ａは、フィルタ１２７と同様に、ＤＴＶの受信信号を通過させる帯域Ｂ２Ｌ，Ｂ２Ｈのバンドパスフィルタである。
【００５３】
チューナコントローラ１６０Ｂはまた、送信回路１５１ａがサーキュレータ１３１（すなわち、アンテナ素子１０１に接続された側のサーキュレータ）に接続されている場合、スイッチ１４１がＤＴＶの高域周波数信号を受信するＤＴＶチューナ１５２をフィルタ１２４Ａ及びインピーダンス整合回路１１４Ａを介してアンテナ素子１０２に接続するようにスイッチ１４１を制御する一方、送信回路１５１ａがサーキュレータ１３４（すなわち、アンテナ素子１０２に接続された側のサーキュレータ）に接続されている場合、スイッチ１４１がＤＴＶの高域周波数信号を受信するＤＴＶチューナ１５２をフィルタ１２２Ａ及びインピーダンス整合回路１１２Ａを介してアンテナ素子１０１に接続するようにスイッチ１４１を制御してもよい。従って、前者の場合において、帯域Ｂ１の携帯電話送信信号がアンテナ素子１０１を用いて送信されるときに、帯域Ｂ２ＨのＤＴＶの高域周波数信号をアンテナ素子１０２を用いて、上記携帯電話送信信号の妨害なしに受信できる。また、後者の場合において、帯域Ｂ１の携帯電話送信信号がアンテナ素子１０２を用いて送信されるときに、帯域Ｂ２ＨのＤＴＶの高域周波数信号をアンテナ素子１０１を用いて、上記携帯電話送信信号の妨害なしに受信できる。
【００５４】
図１２は、本実施形態の第２の変形例に係る携帯無線通信装置１００Ｇの無線通信回路１７０の構成を示すブロック図である。この変形例では、図１１の携帯無線通信装置１００Ｆの構成に加えて、図９に示した携帯無線通信装置１００Ｄと同様に、アンテナ素子１０１，１０２でそれぞれ受信された携帯電話受信信号に対して選択ダイバーシチを行うためのスイッチ１４３及び受信回路１５１ｃを備えたことを特徴とする。これにより、携帯無線通信装置１００Ｇは、受信時の無線環境の低下が検出された場合に、携帯電話受信信号を受信するアンテナ素子を切り換える選択ダイバーシチを実行し、それにより、ＲＳＳＩ等の受信信号レベルが高くなるようにスイッチ１４３を制御して、アンテナ素子１０１，１０２でそれぞれ受信された携帯電話受信信号のいずれか一方を携帯電話信号処理回路１５１に入力することができる。
【００５５】
図１３は、本実施形態の第３の変形例に係る携帯無線通信装置１００Ｈの無線通信回路１７０の構成を示すブロック図である。この変形例は、図１１の携帯無線通信装置１００Ｆの構成に加えて、ＤＴＶの低域周波数信号（すなわち、４７０ＭＨｚ〜５５７ＭＨｚの周波数範囲に属する信号）を受信しているときに限って、アンテナ素子１０１，１０２でそれぞれ受信されたＤＴＶの信号に対する選択ダイバーシチを実行するようにスイッチ１４１を切り換えることを特徴とする。
【００５６】
図１３において、携帯無線通信装置１００Ｈのチューナコントローラ１６０Ｃは、ＤＴＶの高域周波数信号（すなわち、５５７ＭＨｚ〜７７０ＭＨｚの周波数範囲に属する信号）を受信しているときは、図１０及び図１１と同様にスイッチ１４１，１４４を連動させて制御する。しかしながら、チューナコントローラ１６０Ｃは、ＤＴＶの低域周波数信号を受信しているときは、ＤＴＶの受信信号強度ＲＳＳＩをＤＴＶチューナ１５２によって取得する。チューナコントローラ１６０Ｃは、ＤＴＶの低域周波数信号を受信中に取得したＲＳＳＩが、ＤＴＶの画像が乱れる限界値に等しい所定のしきい値ＲＳＳＩ０より小さくなったとき、スイッチ１４４の接続状態は変化させることなく、ＤＴＶの受信信号のＲＳＳＩが高くなるようにスイッチ１４１の接続を切り換える。詳しくは、チューナコントローラ１６０Ｃは、アンテナ素子１０１で受信されたＤＴＶの低域周波数信号がＤＴＶチューナ１５２に入力されている場合においてＲＳＳＩがしきい値ＲＳＳＩ０より小さくなったときは、アンテナ素子１０２で受信されたＤＴＶの低域周波数信号をＤＴＶチューナ１５２に入力するようにスイッチ１４１を切り換え、逆に、アンテナ素子１０２で受信されたＤＴＶの低域周波数信号がＤＴＶチューナ１５２に入力されている場合においてＲＳＳＩがしきい値ＲＳＳＩ０より小さくなったときは、アンテナ素子１０１で受信されたＤＴＶの低域周波数信号をＤＴＶチューナ１５２に入力するようにスイッチ１４１を切り換える。なお、本実施形態では、スイッチ１４１を切り換える基準としてＲＳＳＩを使用したが、これに限らず、Ｃ／Ｎ、ＢＥＲ又はＰＥＲなど、受信信号レベル又は受信特性の劣化が感知できる指標なら任意のもの使用可能である。
【００５７】
これにより、携帯無線通信装置１００Ｈは、受信時の無線環境の低下が検出された場合に、ＤＴＶの低域周波数信号を受信するアンテナ素子を切り換える選択ダイバーシチを実行し、それにより、ＲＳＳＩ等の受信信号レベルが高くなるようにスイッチ１４１を制御して、アンテナ素子１０１，１０２でそれぞれ受信されたＤＴＶの低域周波数信号のいずれか一方をＤＴＶチューナ１５２に入力することができる。
【００５８】
チューナコントローラ１６０Ｃはまた、スイッチ１４１がＤＴＶチューナ１５２をフィルタ１２２Ａ及びインピーダンス整合回路１１２Ａを介してアンテナ素子１０１に接続しているときに、ＤＴＶチューナ１５２によって受信されるＤＴＶの高域周波数信号及び低域周波数信号のＲＳＳＩがしきい値ＲＳＳＩ０よりも小さくなったときに、ＤＴＶチューナ１５２をフィルタ１２４Ａ及びインピーダンス整合回路１１４Ａを介してアンテナ素子１０２に接続するようにスイッチ１４１を制御する一方、スイッチ１４１がＤＴＶチューナ１５２をフィルタ１２４Ａ及びインピーダンス整合回路１１４Ａを介してアンテナ素子１０２に接続しているときに、ＤＴＶチューナ１５２によって受信されるＤＴＶの高域周波数信号及び低域周波数信号のＲＳＳＩがしきい値ＲＳＳＩ０よりも小さくなったときに、ＤＴＶチューナ１５２をフィルタ１２２Ａ及びインピーダンス整合回路１１２Ａを介してアンテナ素子１０１に接続するようにスイッチ１４１を制御してもよい。従って、ＤＴＶの高域周波数信号又は低域周波数信号のＲＳＳＩがしきい値ＲＳＳＩ０よりも小さくなったときに、アンテナ素子１０１の代わりにアンテナ素子１０２をＤＴＶチューナ１５２に接続したり、アンテナ素子１０２の代わりにアンテナ素子１０１をＤＴＶチューナ１５２に接続したりする。これにより、より大きな信号レベルを受信するアンテナ素子１０１又は１０２を利用できる。
【００５９】
図１４は、本実施形態の第４の変形例に係る携帯無線通信装置１００Ｉの無線通信回路１７０の構成を示すブロック図である。この変形例の携帯無線通信装置１００Ｉは、図１０の携帯無線通信装置１００Ｅと同様に送信される携帯電話送信信号のための選択ダイバーシチを実行することに加えて、低域周波数信号と高域周波数信号を復調するためにそれぞれ設けられたＤＴＶ低域チューナ１５２ＡとＤＴＶ高域チューナ１５２Ｂとを備え、携帯電話送信信号及び携帯電話受信信号の送受信に使用されるアンテナ素子によりＤＴＶの低域周波数信号を受信するとともに、携帯電話受信信号の受信のみに使用されるアンテナ素子によりＤＴＶの高域周波数信号を受信することを特徴とする。ＤＴＶの周波数帯域は、第１の実施形態と同様に、４７０ＭＨｚ〜５５７ＭＨｚの低域周波数帯と、５５７ＭＨｚ〜７７０ＭＨｚの高域周波数帯とに分割される。
【００６０】
図１４において、アンテナ素子１０１は、無線通信回路１７０上のインピーダンス整合回路１１１，１１２Ｂに接続され、アンテナ素子１０２は、無線通信回路１７０上のインピーダンス整合回路１１３Ａ，１１４Ｂに接続される。インピーダンス整合回路１１１，１１２Ｂ，１１３Ａ，１１４Ｂは、アンテナ素子１０１，１０２とその後段の構成要素とのインピーダンス整合のためにそれぞれ設けられ、インピーダンス整合回路１１１，１１２Ｂはアンテナ素子１０１のための整合回路部１１０Ａとして機能し、インピーダンス整合回路１１３Ａ，１１４Ｂはアンテナ素子１０２のための整合回路部１１０Ｂとして機能する。インピーダンス整合回路１１１の後段には、図１０の携帯無線通信装置１００Ｅと同様に、フィルタ１２１、サーキュレータ１３１、スイッチ１４４、合成器１３２、及び携帯電話信号処理回路１５１が接続される。インピーダンス整合回路１１２Ｂの後段には、スイッチ回路１４５を介してフィルタ１２８，１２９のいずれかが接続され、インピーダンス整合回路１１２Ｂは、スイッチ回路１４５を介してフィルタ１２８に接続されているときは、ＤＴＶの低域周波数信号を受信するために、アンテナ素子１０１と、スイッチ回路１４５及びフィルタ１２８（又はスイッチ回路１４５及びフィルタ１２８を含むその後段の回路）とをインピーダンス整合させ、スイッチ回路１４５を介してフィルタ１２９に接続されているときは、ＤＴＶの高域周波数信号を受信するために、アンテナ素子１０１と、スイッチ回路１４５及びフィルタ１２９（又はスイッチ回路１４５及びフィルタ１２９を含むその後段の回路）とをインピーダンス整合させる。フィルタ１２８は、受信されたＤＴＶの低域周波数信号を通過させる帯域Ｂ２Ｌのバンドパスフィルタであり、フィルタ１２９は、受信されたＤＴＶの高域周波数信号を通過させる帯域Ｂ２Ｈのバンドパスフィルタである。インピーダンス整合回路１１３Ａの後段には、図１０の携帯無線通信装置１００Ｅと同様に、フィルタ１２３Ａ、サーキュレータ１３４、スイッチ１４４、合成器１３２、及び携帯電話信号処理回路１５１が接続される。また、インピーダンス整合回路１１４Ｂの後段には、スイッチ回路１４５を介してフィルタ１２８，１２９のいずれかが接続され、インピーダンス整合回路１１４Ｂは、スイッチ回路１４５を介してフィルタ１２８に接続されているときは、ＤＴＶの低域周波数信号を受信するために、アンテナ素子１０２と、スイッチ回路１４５及びフィルタ１２８（又はスイッチ回路１４５及びフィルタ１２８を含むその後段の回路）とをインピーダンス整合させ、スイッチ回路１４５を介してフィルタ１２９に接続されているときは、ＤＴＶの高域周波数信号を受信するために、アンテナ素子１０２と、スイッチ回路１４５及びフィルタ１２９（又はスイッチ回路１４５及びフィルタ１２９を含むその後段の回路）とをインピーダンス整合させる。
【００６１】
スイッチ回路１４５は、図１４に示すように、フィルタ１２８に接続されたスイッチ１４５ａと、フィルタ１２９に接続されたスイッチ１４５ｂとを備え、チューナコントローラ１６０Ｄの制御に従って、インピーダンス整合回路１１２Ｂ，１１４Ｂの出力信号のうちの一方の出力信号をフィルタ１２８を介してＤＴＶ低域チューナ１５２Ａに送り、他方の出力信号をフィルタ１２９を介してＤＴＶ高域チューナ１５２Ｂに送るように切り換える。
【００６２】
チューナコントローラ１６０Ｄは、図１０に示した携帯無線通信装置１００Ｅの場合と同様に、送信のための選択ダイバーシチの実行を指示するコントローラ１８０からの制御信号に従って、以下の２つの場合のいずれかの状態となるようにスイッチ１４４，１４５を連動させて切り換える。第１の場合では、図１４に示すように、スイッチ１４４は、送信回路１５１ａをサーキュレータ１３１（すなわち、アンテナ素子１０１に接続された側のサーキュレータ）に接続し、その一方、スイッチ回路１４５は、フィルタ１２８をインピーダンス整合回路１１２Ｂ（すなわち、アンテナ素子１０１に接続された側のインピーダンス整合回路）に接続し、フィルタ１２９をインピーダンス整合回路１１４Ｂ（すなわち、アンテナ素子１０２に接続された側のインピーダンス整合回路）に接続する。一方、第２の場合では、スイッチ１４４は、送信回路１５１ａをサーキュレータ１３４（すなわち、アンテナ素子１０２に接続された側のサーキュレータ）に接続し、その一方、スイッチ回路１４５は、フィルタ１２８をインピーダンス整合回路１１４Ｂ（すなわち、アンテナ素子１０２に接続された側のインピーダンス整合回路）に接続し、フィルタ１２９をインピーダンス整合回路１１２Ｂ（すなわち、アンテナ素子１０１に接続された側のインピーダンス整合回路）に接続する。従って、第１の場合では、送信回路１５１ａで生成された送信すべき携帯電話送信信号は、スイッチ１４４、サーキュレータ１３１、フィルタ１２１及びインピーダンス整合回路１１１を介してアンテナ素子１０１に送られ、アンテナ素子１０１から携帯電話の基地局装置に向けて放射され、その一方、アンテナ素子１０１で受信したＤＴＶの低域周波数信号は、インピーダンス整合回路１１２Ｂ、スイッチ回路１４５、フィルタ１２８を介してＤＴＶ低域チューナ１５２Ａに送られて、復調などの信号処理が実行され、アンテナ素子１０２で受信したＤＴＶの高域周波数信号は、インピーダンス整合回路１１４Ｂ、スイッチ回路１４５、フィルタ１２９を介してＤＴＶ高域チューナ１５２Ｂに送られて、復調などの信号処理が実行される。第２の場合では、送信回路１５１ａで生成された送信すべき携帯電話送信信号は、スイッチ１４４、サーキュレータ１３４、フィルタ１２３Ａ及びインピーダンス整合回路１１３Ａを介してアンテナ素子１０２に送られ、アンテナ素子１０２から携帯電話の基地局装置に向けて放射され、その一方、アンテナ素子１０１で受信したＤＴＶの高域周波数信号は、インピーダンス整合回路１１２Ｂ、スイッチ回路１４５、フィルタ１２９を介してＤＴＶ高域チューナ１５２Ｂに送られて、復調などの信号処理が実行され、アンテナ素子１０２で受信したＤＴＶの低域周波数信号は、インピーダンス整合回路１１４Ｂ、スイッチ回路１４５、フィルタ１２８を介してＤＴＶ低域チューナ１５２Ａに送られて、復調などの信号処理が実行される。
【００６３】
ＤＴＶ低域チューナ１５２Ａ及びＤＴＶ高域チューナ１５２Ｂで復調された信号は、映像及び音声の再生などを含むさらなる処理のために、無線通信回路１７０の外部のコントローラ１８０及び／又は他の再生回路など（図示せず。）に送られる。チューナコントローラ１６０Ｄはさらに、ＤＴＶ低域チューナ１５２Ａ及びＤＴＶ高域チューナ１５２Ｂによる復調処理を制御してもよい。
【００６４】
図１４の携帯無線通信装置１００Ｉによれば、アンテナ素子１０１，１０２が常に携帯電話信号処理回路１５１に接続されるとともに、常にＤＴＶ低域チューナ１５２Ａ及びＤＴＶ高域チューナ１５２Ｂに接続された状態にあるので、電話機として通話しているときにＤＴＶの番組を録画するなど、携帯無線通信装置１００ＩをＤＴＶチューナとして動作させ、それと同時に電話機として動作させることが可能である。
【００６５】
また、ＤＴＶの低域周波数信号と高域周波数信号とでチューナを分離したことにより、図６の携帯無線通信装置１００Ａの場合と同様に、低域周波数帯内のチャンネルを視聴しているときに高域周波数帯内のチャンネルを録画することが可能であり、又は、携帯無線通信装置１００Ｉを電話機として使用しているときにＤＴＶの低域周波数帯から１つのチャンネルを録画し、ＤＴＶの高域周波数帯から１つのチャンネルを録画するように、携帯電話信号処理回路１５１、ＤＴＶ低域チューナ１５２Ａ及びＤＴＶ高域チューナ１５２Ｂを同時に動作させることが可能である。
【００６６】
従って、帯域Ｂ１の携帯電話送信信号がアンテナ素子１０１を用いて送信されるときに、帯域Ｂ２ＨのＤＴＶの高域周波数信号をアンテナ素子１０２を用いてＤＴＶ高域チューナ１５２Ｂにより、上記携帯電話送信信号の妨害なしに受信できる。また、帯域Ｂ１の携帯電話送信信号がアンテナ素子１０２を用いて送信されるときに、帯域Ｂ２ＨのＤＴＶの高域周波数信号をアンテナ素子１０１を用いてＤＴＶ高域チューナ１５２Ｂにより、上記携帯電話送信信号の妨害なしに受信できる。
【００６７】
図１５は、本実施形態の第５の変形例に係る携帯無線通信装置１００Ｊの無線通信回路１７０の構成を示すブロック図である。この変形例では、図１４の携帯無線通信装置１００Ｉの構成に加えて、図９に示した携帯無線通信装置１００Ｄと同様に、アンテナ素子１０１，１０２でそれぞれ受信された携帯電話受信信号に対して選択ダイバーシチを行うためのスイッチ１４３及び受信回路１５１ｃを備えたことを特徴とする。このように、携帯無線通信装置１００Ｊは、受信時の無線環境の低下が検出された場合に、携帯電話受信信号を受信するアンテナ素子を切り換える選択ダイバーシチを実行し、それにより、ＲＳＳＩ等の受信信号レベルが高くなるようにスイッチ１４３を制御して、アンテナ素子１０１，１０２でそれぞれ受信された携帯電話受信信号のいずれか一方を携帯電話信号処理回路１５１に入力することができる。
【００６８】
図２３は、本発明の第２の実施形態の第６の変形例に係る携帯無線通信装置１００Ｒの無線通信回路１７０の構成を示すブロック図である。この変形例では、図１４の無線通信回路１７０でスイッチ回路１４５の後段に設けられたフィルタ１２８，１２９に代えて、図１１の構成と同様にインピーダンス整合回路１１２Ｂ，１１４Ｂの直後に設けられたフィルタ１２２Ａ，１２４Ａを備えたことを特徴とする。チューナコントローラ１６０Ｄは、送信回路１５１ａがサーキュレータ１３１（すなわち、アンテナ素子１０１に接続された側のサーキュレータ）に接続されている場合、スイッチ回路１４５がＤＴＶ高域チューナ１５２Ｂをフィルタ１２４Ａ及びインピーダンス整合回路１１４Ｂを介してアンテナ素子１０２に接続するようにスイッチ回路１４５を制御する一方、送信回路１５１ａがサーキュレータ１３４（すなわち、アンテナ素子１０２に接続された側のサーキュレータ）に接続されている場合、スイッチ回路１４５がＤＴＶ高域チューナ１５２Ｂをフィルタ１２２Ａ及びインピーダンス整合回路１１２Ｂを介してアンテナ素子１０１に接続するようにスイッチ回路１４５を制御する。
【００６９】
図２４は、本発明の第２の実施形態の第７の変形例に係る携帯無線通信装置１００Ｓの無線通信回路１７０の構成を示すブロック図である。第１の実施形態の第５の変形例（図２２を参照）と同様に、アンテナ素子１０２を介して携帯電話送信信号の送信と携帯電話受信信号の受信とを両立するために、サーキュレータ１３１，１３４に代えて他の回路要素を用いてもよい。図２４の無線通信回路１７０は、図１１のフィルタ１２１及びサーキュレータ１３１に代えてデュプレクサ１３１Ａを備え、フィルタ１２３Ａ及びサーキュレータ１３４に代えてデュプレクサ１３４Ａを備えて構成される。デュプレクサ１３１Ａは図２２の場合と同様に構成される。デュプレクサ１３４Ａは、その内部構成要素としてフィルタ１３４Ａａ，１３４Ａｂを含み、フィルタ１３４Ａａは、送信される携帯電話送信信号を通過させる帯域Ｂ１のバンドパスフィルタであり、フィルタ１３４Ａｂは、受信される携帯電話受信信号を通過させる帯域Ｂ１のバンドパスフィルタである。インピーダンス整合回路１１３Ａは、帯域Ｂ１の携帯電話送信信号及び携帯電話受信信号を送受信するために、アンテナ素子１０２と、デュプレクサ１３４Ａの各フィルタ１３４Ａａ，１３４Ａｂ（又はデュプレクサ１３４Ａを含むその後段の回路）とをインピーダンス整合させる。この構成により、本変形例においても、図１１の場合と同様にアンテナ素子１０１，１０２を介して携帯電話送信信号及び携帯電話受信信号を送受信することができる。図２４の変形例の構成は、本実施形態の第１乃至第５の変形例の構成、また後述する第３の実施形態の構成に適用されてもよい。
【００７０】
以上説明したように、第２の実施形態の携帯無線通信装置１００Ｅ〜１００Ｊ，１００Ｓによれば、ＤＴＶの信号を受信するためのアンテナ素子と携帯電話送信信号を送信するためのアンテナ素子とを別のアンテナ素子とすることにより、送信される携帯電話送信信号がＤＴＶの高域周波数信号の受信特性を劣化させることなく通信できる。
【００７１】
さらには、ＤＴＶの信号を受信するアンテナ素子と、携帯電話送信信号及び携帯電話受信信号を送受信するアンテナ素子及び携帯電話受信信号を受信するアンテナ素子とを共通にすることにより、アンテナ素子の数を増やすことなくＤＴＶの視聴が可能となる。
【００７２】
第３の実施形態．
図１６は、本発明の第３の実施形態に係る携帯無線通信装置１００Ｋの無線通信回路１７０の構成を示すブロック図である。本実施形態の携帯無線通信装置１００Ｋは、携帯電話送信信号及び携帯電話受信信号の送受信機能とＤＴＶの受信機能とを備えるものである。本実施形態の携帯無線通信装置１００Ｋは、図１０に示した携帯無線通信装置１００Ｅと同様に携帯電話送信信号を送信するためのアンテナ素子を選択する選択ダイバーシチを実行するように構成され、このとき、アンテナ素子１０１，１０２でそれぞれ受信されたＤＴＶの信号のいずれかを選択するためにインピーダンス整合回路の後段に設けられたスイッチ１４１に代えて、インピーダンス整合回路の前段に設けられたスイッチ１４６を備えたことを特徴とする。
【００７３】
図１６において、アンテナ素子１０１は、無線通信回路１７０上のインピーダンス整合回路３１１に接続されるとともに、無線通信回路１７０上のスイッチ１４６を介してインピーダンス整合回路３１２に接続され、アンテナ素子１０２は、無線通信回路１７０上のインピーダンス整合回路３１３に接続されるとともに、無線通信回路１７０上のスイッチ１４６を介してインピーダンス整合回路３１２に接続される。スイッチ１４６は、詳細後述するようにチューナコントローラ１６０Ｅの制御に従って、アンテナ素子１０１，１０２のいずれか一方をインピーダンス整合回路３１２に接続する。インピーダンス整合回路３１１，３１２，３１３は、アンテナ素子１０１，１０２とその後段の構成要素とのインピーダンス整合のためにそれぞれ設けられる。スイッチ１４６がアンテナ素子１０１をインピーダンス整合回路３１２に接続しているとき、インピーダンス整合回路３１１，３１２はアンテナ素子１０１のための整合回路部１１０Ａａとして機能し、インピーダンス整合回路３１３のみがアンテナ素子１０２のためのインピーダンス整合回路として機能し、一方、スイッチ１４６がアンテナ素子１０２をインピーダンス整合回路３１２に接続しているとき、インピーダンス整合回路３１１のみがアンテナ素子１０１のためのインピーダンス整合回路として機能し、インピーダンス整合回路３１２，３１３はアンテナ素子１０２のための整合回路部１１０Ｂａとして機能する。インピーダンス整合回路３１１の後段にはフィルタ３２１が接続され、インピーダンス整合回路３１１及びフィルタ３２１は、図１０の携帯無線通信装置１００Ｅのインピーダンス整合回路１１１及びフィルタ１２１と同様に構成され、フィルタ３２１の後段には、図１０の携帯無線通信装置１００Ｅと同様に、サーキュレータ１３１、スイッチ１４４、合成器１３２、及び携帯電話信号処理回路１５１が接続される。インピーダンス整合回路３１２の後段にはフィルタ３２２が接続され、インピーダンス整合回路３１２は、スイッチ１４６がアンテナ素子１０１をインピーダンス整合回路３１２に接続しているとき、ＤＴＶの信号を受信するために、スイッチ１４６を介して接続されたアンテナ素子１０１と、フィルタ３２２（又はフィルタ３２２を含むその後段の回路）とをインピーダンス整合させ、スイッチ１４６がアンテナ素子１０２をインピーダンス整合回路３１２に接続しているとき、帯域Ｂ２Ｌ，Ｂ２ＨのＤＴＶの信号を受信するために、スイッチ１４６を介して接続されたアンテナ素子１０２と、フィルタ３２２（又はフィルタ３２２を含むその後段の回路）とをインピーダンス整合させる。フィルタ３２２は、ＤＴＶの受信信号を通過させる帯域Ｂ２Ｌ，Ｂ２Ｈのバンドパスフィルタである。図１６の携帯無線通信装置１００Ｋでは、簡単化のために、ＤＴＶの周波数帯域を高域周波数帯Ｂ２Ｈと低域周波数帯Ｂ２Ｌとに分割せず、携帯無線通信装置１００Ｋのインピーダンス整合回路３１２及びフィルタ３２２は、４７０ＭＨｚ〜７７０ＭＨｚの単一の周波数帯域にわたってＤＴＶの信号を受信する。インピーダンス整合回路３１３の後段にはフィルタ３２３が接続され、インピーダンス整合回路３１３及びフィルタ３２３は、図１０の携帯無線通信装置１００Ｅのインピーダンス整合回路１１３Ａ及びフィルタ１２３Ａと同様に構成され、フィルタ３２３の後段には、図１０の携帯無線通信装置１００Ｅと同様に、サーキュレータ１３４、スイッチ１４４、合成器１３２、及び携帯電話信号処理回路１５１が接続される。
【００７４】
チューナコントローラ１６０Ｅは、図１０に示した携帯無線通信装置１００Ｅの場合と同様に、送信のための選択ダイバーシチの実行を指示するコントローラ１８０からの制御信号に従って、以下の２つの場合のいずれかの状態となるようにスイッチ１４４，１４６を連動させて切り換える。第１の場合では、図１６に示すように、スイッチ１４４は、送信回路１５１ａをサーキュレータ１３１（すなわち、アンテナ素子１０１に接続された側のサーキュレータ）に接続し、その一方、スイッチ１４６は、アンテナ素子１０２をインピーダンス整合回路３１２に接続する。一方、第２の場合では、スイッチ１４４は、送信回路１５１ａをサーキュレータ１３４（すなわち、アンテナ素子１０２に接続された側のサーキュレータ）に接続し、その一方、スイッチ１４６は、アンテナ素子１０１をインピーダンス整合回路３１２に接続する。従って、第１の場合では、送信回路１５１ａで生成された送信すべき携帯電話送信信号は、スイッチ１４４、サーキュレータ１３１、フィルタ３２１及びインピーダンス整合回路３１１を介してアンテナ素子１０１に送られ、アンテナ素子１０１から携帯電話の基地局装置に向けて放射され、その一方、アンテナ素子１０２で受信したＤＴＶの信号は、スイッチ１４６、インピーダンス整合回路３１２、及びフィルタ３２２を介してＤＴＶチューナ１５２に送られて、復調などの信号処理が実行される。第２の場合では、送信回路１５１ａで生成された送信すべき携帯電話送信信号は、スイッチ１４４、サーキュレータ１３４、フィルタ３２３及びインピーダンス整合回路３１３を介してアンテナ素子１０２に送られ、アンテナ素子１０２から携帯電話の基地局装置に向けて放射され、その一方、アンテナ素子１０１で受信したＤＴＶの信号は、スイッチ１４６、インピーダンス整合回路３１２、及びフィルタ３２２を介してＤＴＶチューナ１５２に送られて、復調などの信号処理が実行される。
【００７５】
チューナコントローラ１６０Ｅはまた、スイッチ１４４が送信回路１５１ａをフィルタ３２１及びインピーダンス整合回路３１１を介してアンテナ素子１０１に接続されて、送信回路１５１ａが携帯電話送信信号をアンテナ素子１０１を用いて送信しているとき、アンテナ素子１０２によって受信されたＤＴＶの高域周波数信号を、スイッチ１４６、インピーダンス整合回路３１２及びフィルタ３２２を介してＤＴＶチューナ１５２により受信されるようにスイッチ１４６を制御する一方、スイッチ１４４が送信回路１５１ａをフィルタ３２３及びインピーダンス整合回路３１３を介してアンテナ素子１０２に接続されて、送信回路１５１ａが携帯電話送信信号をアンテナ素子１０２を用いて送信しているとき、アンテナ素子１０１によって受信されたＤＴＶの高域周波数信号を、スイッチ１４６、インピーダンス整合回路３１２及びフィルタ３２２を介してＤＴＶチューナ１５２により受信されるようにスイッチ１４６を制御してもよい。これによれば、前者の場合において、アンテナ素子１０１を用いて送信される帯域Ｂ１の携帯電話送信信号に妨害されずに、帯域Ｂ２ＨのＤＴＶの高域周波数信号をアンテナ素子１０２を用いて受信することができる。また、後者の場合において、アンテナ素子１０２を用いて送信される帯域Ｂ１の携帯電話送信信号に妨害されずに、帯域Ｂ２ＨのＤＴＶの高域周波数信号をアンテナ素子１０１を用いて受信することができる。
【００７６】
本実施形態の携帯無線通信装置１００Ｋによれば、アンテナ素子１０１，１０２が常に携帯電話信号処理回路１５１に接続され、アンテナ素子１０１，１０２のいずれか一方が常にＤＴＶチューナ１５２に接続された状態にあるので、電話機として通話しているときにＤＴＶの番組を録画するなど、携帯無線通信装置１００ＫをＤＴＶチューナとして動作させ、それと同時に電話機として動作させることが可能である。
【００７７】
図１７は、本発明の第３の実施形態の第１の変形例に係る携帯無線通信装置１００Ｌの無線通信回路１７０の構成を示すブロック図である。この変形例は、図１３の携帯無線通信装置１００Ｈと同様に、図１６の携帯無線通信装置１００Ｋの構成に加えて、ＤＴＶの低域周波数信号（すなわち、４７０ＭＨｚ〜５５７ＭＨｚの周波数範囲に属する信号）を受信しているときに限って、アンテナ素子１０１，１０２でそれぞれ受信されたＤＴＶの信号に対する選択ダイバーシチを実行するようにスイッチ１４６を切り換えることを特徴とする。
【００７８】
図１７において、携帯無線通信装置１００Ｌのチューナコントローラ１６０Ｆは、ＤＴＶの高域周波数信号（すなわち、５５７ＭＨｚ〜７７０ＭＨｚの周波数範囲に属する信号）を受信しているときは、図１６の携帯無線通信装置１００Ｋと同様にスイッチ１４４，１４６を連動させて制御する。しかしながら、チューナコントローラ１６０Ｆは、ＤＴＶの低域周波数信号を受信しているときは、ＤＴＶの受信信号の信号強度ＲＳＳＩをＤＴＶチューナ１５２によって取得する。チューナコントローラ１６０Ｆは、ＤＴＶの低域周波数信号を受信中に取得したＲＳＳＩが、ＤＴＶの画像が乱れる限界値に等しい所定のしきい値ＲＳＳＩ０より小さくなったとき、スイッチ１４４の接続状態は変化させることなく、ＤＴＶの受信信号のＲＳＳＩが高くなるようにスイッチ１４６の接続を切り換える。詳しくは、チューナコントローラ１６０Ｆは、アンテナ素子１０１で受信されたＤＴＶの低域周波数信号がＤＴＶチューナ１５２に入力されている場合においてＲＳＳＩがしきい値ＲＳＳＩ０より小さくなったときは、アンテナ素子１０２で受信されたＤＴＶの低域周波数信号をＤＴＶチューナ１５２に入力するようにスイッチ１４６を切り換え、逆に、アンテナ素子１０２で受信されたＤＴＶの低域周波数信号がＤＴＶチューナ１５２に入力されている場合においてＲＳＳＩがしきい値ＲＳＳＩ０より小さくなったときは、アンテナ素子１０１で受信されたＤＴＶの低域周波数信号をＤＴＶチューナ１５２に入力するようにスイッチ１４６を切り換える。なお、本実施形態では、スイッチ１４６を切り換える基準としてＲＳＳＩを使用したが、これに限らず、Ｃ／Ｎ、ＢＥＲ又はＰＥＲなど、受信信号レベル又は受信特性の劣化が感知できる指標なら任意のもの使用可能である。
【００７９】
これにより、携帯無線通信装置１００Ｌは、受信時の無線環境の低下が検出された場合に、ＤＴＶの低域周波数信号を受信するアンテナ素子を切り換える選択ダイバーシチを実行し、それにより、ＲＳＳＩ等の受信信号レベルが高くなるようにスイッチ１４６を制御して、アンテナ素子１０１，１０２でそれぞれ受信されたＤＴＶの低域周波数信号のいずれか一方をＤＴＶチューナ１５２に入力することができる。
【００８０】
図１８は、本発明の第３の実施形態の第２の変形例に係る携帯無線通信装置１００Ｍの無線通信回路１７０の構成を示すブロック図である。この変形例の携帯無線通信装置１００Ｍは、図１６の携帯無線通信装置１００Ｋと同様に送信される携帯電話送信信号のための選択ダイバーシチを実行することに加えて、低域周波数信号と高域周波数信号を復調するためにそれぞれ設けられたＤＴＶ低域チューナ１５２ＡとＤＴＶ高域チューナ１５２Ｂとを備え、携帯電話送信信号及び携帯電話受信信号の送受信に使用されるアンテナ素子によりＤＴＶの低域周波数信号を受信するとともに、携帯電話受信信号の受信のみに使用されるアンテナ素子によりＤＴＶの高域周波数信号を受信することを特徴とする。ＤＴＶの周波数帯域は、第１の実施形態と同様に、４７０ＭＨｚ〜５５７ＭＨｚの低域周波数帯と、５５７ＭＨｚ〜７７０ＭＨｚの高域周波数帯とに分割される。
【００８１】
図１８において、アンテナ素子１０１は、無線通信回路１７０上のインピーダンス整合回路１１１に接続されるとともに、無線通信回路１７０上のスイッチ回路１４７を介してインピーダンス整合回路３１４，３１５のいずれか一方に接続され、アンテナ素子１０２は、無線通信回路１７０上のインピーダンス整合回路１１３Ａに接続されるとともに、無線通信回路１７０上のスイッチ回路１４７を介してインピーダンス整合回路３１４，３１５のいずれか一方に接続される。スイッチ回路１４７は、図１８に示すように、インピーダンス整合回路３１４に接続されたスイッチ１４７ａと、インピーダンス整合回路３１５に接続されたスイッチ１４７ｂとを備え、詳細後述するようにチューナコントローラ１６０Ｇの制御に従って、アンテナ素子１０１，１０２のうちの一方をインピーダンス整合回路３１４に接続し、アンテナ素子１０１，１０２のうちの他方をインピーダンス整合回路３１５に接続するように切り換える。インピーダンス整合回路１１１，３１４，３１５，１１３Ａは、アンテナ素子１０１，１０２とその後段の構成要素とのインピーダンス整合のためにそれぞれ設けられる。スイッチ回路１４７がアンテナ素子１０１をインピーダンス整合回路３１４に接続し、アンテナ素子１０２をインピーダンス整合回路３１５に接続しているとき、インピーダンス整合回路１１１，３１４はアンテナ素子１０１のための整合回路部１１０Ａとして機能し、インピーダンス整合回路３１５，１１３Ａはアンテナ素子１０２のための整合回路部１１０Ｂとして機能する。一方、スイッチ回路１４７がアンテナ素子１０１をインピーダンス整合回路３１５に接続し、アンテナ素子１０２をインピーダンス整合回路３１４に接続しているとき、インピーダンス整合回路１１１，３１５はアンテナ素子１０１のための整合回路部１１０Ａｂとして機能し、インピーダンス整合回路３１４，１１３Ａはアンテナ素子１０２のための整合回路部１１０Ｂｂとして機能する。インピーダンス整合回路１１１の後段には、図１０の携帯無線通信装置１００Ｅと同様に、フィルタ１２１、サーキュレータ１３１、スイッチ１４４、合成器１３２、及び携帯電話信号処理回路１５１が接続される。インピーダンス整合回路３１４の後段にはフィルタ３２４を介してＤＴＶ低域チューナ１５２Ａが接続され、インピーダンス整合回路３１４は、スイッチ回路１４７を介してアンテナ素子１０１に接続されているときは、ＤＴＶの低域周波数信号を受信するために、スイッチ回路１４７を介して接続されたアンテナ素子１０１と、フィルタ３２４（又はフィルタ３２４を含むその後段の回路）とをインピーダンス整合させ、スイッチ回路１４７を介してアンテナ素子１０２に接続されているときは、ＤＴＶの低域周波数信号を受信するために、スイッチ回路１４７を介して接続されたアンテナ素子１０２と、フィルタ３２４（又はフィルタ３２４を含むその後段の回路）とをインピーダンス整合させる。フィルタ３２４は、受信されたＤＴＶの低域周波数信号を通過させる帯域Ｂ２Ｌのバンドパスフィルタである。また、インピーダンス整合回路３１５の後段にはフィルタ３２５を介してＤＴＶ高域チューナ１５２Ｂが接続され、インピーダンス整合回路３１５は、スイッチ回路１４７を介してアンテナ素子１０１に接続されているときは、ＤＴＶの高域周波数信号を受信するために、アンテナ素子１０１及びスイッチ回路１４７と、フィルタ３２５（又はフィルタ３２５を含むその後段の回路）とをインピーダンス整合させ、スイッチ回路１４７を介してアンテナ素子１０２に接続されているときは、ＤＴＶの高域周波数信号を受信するために、アンテナ素子１０２及びスイッチ回路１４７と、フィルタ３２５（又はフィルタ３２５を含むその後段の回路）とをインピーダンス整合させる。フィルタ３２５は、受信されたＤＴＶの高域周波数信号を通過させる帯域Ｂ２Ｈのバンドパスフィルタである。インピーダンス整合回路１１３Ａの後段には、図１０の携帯無線通信装置１００Ｅと同様に、フィルタ１２３、サーキュレータ１３４、スイッチ１４４、合成器１３２、及び携帯電話信号処理回路１５１が接続される。
【００８２】
チューナコントローラ１６０Ｇは、図１０に示した携帯無線通信装置１００Ｅの場合と同様に、送信のための選択ダイバーシチの実行を指示するコントローラ１８０からの制御信号に従って、以下の２つの場合のいずれかの状態となるようにスイッチ１４４，１４７を連動させて切り換える。第１の場合では、図１８に示すように、スイッチ１４４は、送信回路１５１ａをサーキュレータ１３１（すなわち、アンテナ素子１０１に接続された側のサーキュレータ）に接続し、その一方、スイッチ回路１４７は、アンテナ素子１０１をインピーダンス整合回路３１４に接続し、アンテナ素子１０２をインピーダンス整合回路３１５に接続する。一方、第２の場合では、スイッチ１４４は、送信回路１５１ａをサーキュレータ１３４（すなわち、アンテナ素子１０２に接続された側のサーキュレータ）に接続し、その一方、スイッチ回路１４７は、アンテナ素子１０１をインピーダンス整合回路３１５に接続し、アンテナ素子１０２をインピーダンス整合回路３１４に接続する。従って、第１の場合では、送信回路１５１ａで生成された送信すべき携帯電話送信信号は、スイッチ１４４、サーキュレータ１３１、フィルタ１２１及びインピーダンス整合回路１１１を介してアンテナ素子１０１に送られ、アンテナ素子１０１から携帯電話の基地局装置に向けて放射され、その一方、アンテナ素子１０１で受信したＤＴＶの低域周波数信号は、スイッチ回路１４７、インピーダンス整合回路３１４、フィルタ３２４を介してＤＴＶ低域チューナ１５２Ａに送られて、復調などの信号処理が実行され、アンテナ素子１０２で受信したＤＴＶの高域周波数信号は、スイッチ回路１４７、インピーダンス整合回路３１５、フィルタ３２５を介してＤＴＶ高域チューナ１５２Ｂに送られて、復調などの信号処理が実行される。第２の場合では、送信回路１５１ａで生成された送信すべき携帯電話送信信号は、スイッチ１４４、サーキュレータ１３４、フィルタ１２３Ａ及びインピーダンス整合回路１１３Ａを介してアンテナ素子１０２に送られ、アンテナ素子１０２から携帯電話の基地局装置に向けて放射され、その一方、アンテナ素子１０１で受信したＤＴＶの高域周波数信号は、スイッチ回路１４７、インピーダンス整合回路３１５、フィルタ３２５を介してＤＴＶ高域チューナ１５２Ｂに送られて、復調などの信号処理が実行され、アンテナ素子１０２で受信したＤＴＶの低域周波数信号は、スイッチ回路１４７、インピーダンス整合回路３１４、フィルタ３２４を介してＤＴＶ低域チューナ１５２Ａに送られて、復調などの信号処理が実行される。ＤＴＶ低域チューナ１５２Ａ及びＤＴＶ高域チューナ１５２Ｂで復調された信号は、映像及び音声の再生などを含むさらなる処理のために、無線通信回路１７０の外部のコントローラ１８０及び／又は他の再生回路など（図示せず。）に送られる。
【００８３】
図１８の携帯無線通信装置１００Ｍによれば、アンテナ素子１０１，１０２が常に携帯電話信号処理回路１５１に接続されるとともに、常にＤＴＶ低域チューナ１５２Ａ及びＤＴＶ高域チューナ１５２Ｂに接続された状態にあるので、電話機として通話しているときにＤＴＶの番組を録画するなど、携帯無線通信装置１００ＭをＤＴＶチューナとして動作させ、それと同時に電話機として動作させることが可能である。
【００８４】
さらには、ＤＴＶの信号を受信するためのアンテナ素子を低域周波数用と高域周波数用とに分けて使用することにより、１本のみのアンテナ素子を使用する場合よりも広帯域にわたってＤＴＶの受信特性を向上させることが可能である。
【００８５】
また、ＤＴＶの低域周波数信号と高域周波数信号とでチューナを分離したことにより、図６の携帯無線通信装置１００Ａの場合と同様に、低域周波数帯内のチャンネルを視聴しているときに高域周波数帯内のチャンネルを録画することが可能であり、又は、携帯無線通信装置１００Ｍを電話機として使用しているときにＤＴＶの低域周波数帯から１つのチャンネルを録画し、ＤＴＶの高域周波数帯から１つのチャンネルを録画するように、携帯電話信号処理回路１５１、ＤＴＶ低域チューナ１５２Ａ及びＤＴＶ高域チューナ１５２Ｂを同時に動作させることが可能である。
【００８６】
また、例えば、携帯電話送信信号及び携帯電話受信信号を送受信することとＧＰＳの信号を受信することとのために共通のアンテナ素子を使用し、携帯電話受信信号を受信すること（又は送受信すること）とＤＴＶの信号を受信することとのためにもう１つの共通のアンテナ素子を使用することにより、異なる３つの無線通信を同時に実行することが可能となる。
【００８７】
以上説明したように、第３の実施形態の携帯無線通信装置１００Ｋ〜１００Ｍによれば、ＤＴＶの信号を受信するためのアンテナ素子と携帯電話送信信号を送信するためのアンテナ素子とを別のアンテナ素子とすることにより、送信される携帯電話送信信号がＤＴＶの高域周波数信号の受信特性を劣化させることなく通信できる。
【００８８】
さらには、ＤＴＶの信号を受信するアンテナ素子と、携帯電話送信信号及び携帯電話受信信号を送受信するアンテナ素子及び携帯電話受信信号を受信するアンテナ素子とを共通にすることにより、アンテナ素子の数を増やすことなくＤＴＶの視聴が可能となる。
【００８９】
第４の実施形態．
図１９は、本発明の第４の実施形態に係る携帯無線通信装置１００Ｎの無線通信回路１７０の構成を示すブロック図である。本実施形態の携帯無線通信装置１００Ｎは、携帯電話送信信号及び携帯電話受信信号の送受信機能とＤＴＶの受信機能とを備えるものである。第４の実施形態では、アンテナ素子１０１，１０２のいずれか一方をＤＴＶの信号を受信するための主アンテナ素子として使用するように予め設定し、ＤＴＶの受信信号レベルが低下したときに、ＤＴＶの信号を受信するために他方のアンテナ素子を用いるように切り換えることを特徴とする。第４の実施形態では、図１の携帯無線通信装置１００と同様に携帯電話送信信号及び携帯電話受信信号を送受信するために設けられたアンテナ素子１０１と、携帯電話受信信号を受信するために設けられたアンテナ素子１０２とのうちで、アンテナ素子１０１を主アンテナ素子として使用する第１の実施例（図１９を参照）と、アンテナ素子１０２を主アンテナ素子として使用する第２の実施例（図２０の変形例を参照）とについて説明する。
【００９０】
図１９の実施形態では、携帯電話送信信号及び携帯電話受信信号を送受信するために設けられたアンテナ素子１０１を、ＤＴＶの信号を受信するための主アンテナ素子として使用する。ここで、例えば送信される携帯電話送信信号がＤＴＶの高域周波数信号の受信特性に影響することなどに起因して、ＤＴＶの受信信号強度ＲＳＳＩが所定のしきい値ＲＳＳＩ０より小さくなったとき、ＤＴＶの信号を受信するためにアンテナ素子１０２を使用するように切り換える。図１９の携帯無線通信装置１００Ｎにおいて、アンテナ素子１０１は、無線通信回路１７０上のインピーダンス整合回路１１１，１１２Ａに接続され、アンテナ素子１０２は、無線通信回路１７０上のインピーダンス整合回路１１３，１１４に接続される。インピーダンス整合回路１１１，１１２Ａ，１１３，１１４は、アンテナ素子１０１，１０２とその後段の構成要素とのインピーダンス整合のためにそれぞれ設けられ、インピーダンス整合回路１１１，１１２Ａはアンテナ素子１０１のための整合回路部１１０Ａとして機能し、インピーダンス整合回路１１３，１１４はアンテナ素子１０２のための整合回路部１１０Ｂとして機能する。インピーダンス整合回路１１１の後段には、図１の携帯無線通信装置１００と同様に、フィルタ１２１、サーキュレータ１３１、合成器１３２、及び携帯電話信号処理回路１５１が接続される。インピーダンス整合回路１１２Ａの後段にはフィルタ１２２Ａが接続され、インピーダンス整合回路１１２Ａは、ＤＴＶの低域周波数信号及び高域周波数信号を受信するために、アンテナ素子１０１と、フィルタ１２２Ａ（又はフィルタ１２２Ａを含むその後段の回路）とをインピーダンス整合させる。フィルタ１２２Ａは、受信されたＤＴＶの低域周波数信号及び高域周波数信号を通過させる帯域Ｂ２Ｌ及びＢ２Ｈのバンドパスフィルタである。インピーダンス整合回路１１３の後段には、図１の携帯無線通信装置１００と同様に、フィルタ１２３、合成器１３２、及び携帯電話信号処理回路１５１が接続される。インピーダンス整合回路１１４の後段にはフィルタ１２４が接続され、インピーダンス整合回路１１４は、ＤＴＶの高域周波数信号を受信するために、アンテナ素子１０２と、フィルタ１２４（又はフィルタ１２４を含むその後段の回路）とをインピーダンス整合させる。フィルタ１２４は、受信されたＤＴＶの高域周波数信号を通過させる帯域Ｂ２Ｈのバンドパスフィルタである。インピーダンス整合回路１１４はさらに、ＤＴＶの低域周波数信号を受信するために、アンテナ素子１０２と、フィルタ１２４（又はフィルタ１２４を含むその後段の回路）とをインピーダンス整合させてもよく、フィルタ１２４はさらに、受信されたＤＴＶの低域周波数信号を通過させてもよい。
【００９１】
フィルタ１２２Ａ，１２４はスイッチ１４１に接続され、スイッチ１４１は、チューナコントローラ１６０Ｈの制御に従って、フィルタ１２２Ａ，１２４のいずれか一方の出力信号をＤＴＶチューナ１５２に送る。チューナコントローラ１６０Ｈは、スイッチ１４１の初期状態として、フィルタ１２２ＡをＤＴＶチューナ１５２に接続するように切り換える。アンテナ素子１０１で受信されたＤＴＶの受信信号は、インピーダンス整合回路１１２Ａ、フィルタ１２２Ａ及びスイッチ１４１を介してＤＴＶチューナ１５２に送られて、ＤＴＶチューナ１５２は、ＤＴＶの受信信号に対して復調などの信号処理を実行するとともに、ＤＴＶの受信信号強度ＲＳＳＩを取得し、取得されたＲＳＳＩをチューナコントローラ１６０Ｈに送る。チューナコントローラ１６０Ｈは、ＤＴＶの高域周波数信号を受信しているときは、ＲＳＳＩが高くなるようにスイッチ１４１を制御する。詳しくは、チューナコントローラ１６０Ｈは、ＤＴＶチューナ１５２により取得されたＤＴＶの信号のＲＳＳＩが、ＤＴＶの画像が乱れる限界値に等しい所定のしきい値ＲＳＳＩ０より小さくなったとき、スイッチ１４１の接続を切り換える。よって、チューナコントローラ１６０Ｈは、アンテナ素子１０１で受信されたＤＴＶの信号がＤＴＶチューナ１５２に入力されている場合においてＲＳＳＩがしきい値ＲＳＳＩ０より小さくなったときは、アンテナ素子１０２で受信されたＤＴＶの信号をＤＴＶチューナ１５２に入力するようにスイッチ１４１を切り換える。アンテナ素子１０２で受信されたＤＴＶの受信信号は、インピーダンス整合回路１１４、フィルタ１２４及びスイッチ１４１を介してＤＴＶチューナ１５２に送られて、ＤＴＶチューナ１５２は、ＤＴＶの受信信号に対して復調などの信号処理を実行するとともに、ＤＴＶの受信信号強度ＲＳＳＩを取得し、取得されたＲＳＳＩをチューナコントローラ１６０Ｈに送る。チューナコントローラ１６０Ｈは、逆に、アンテナ素子１０２で受信されたＤＴＶの信号がＤＴＶチューナ１５２に入力されている場合においてＲＳＳＩがしきい値ＲＳＳＩ０より小さくなったときは、アンテナ素子１０１で受信されたＤＴＶの信号をＤＴＶチューナ１５２に入力するようにスイッチ１４１を切り換える。
【００９２】
また、チューナコントローラ１６０Ｈは、チャンネル情報を含む制御信号をコントローラ１８０から取得し、このチャンネル情報に参照してスイッチ１４１の接続を切り換えてもよい。この場合、アンテナ素子１０２で受信されたＤＴＶの信号がＤＴＶチューナ１５２に入力されている場合において、ＤＴＶの低域周波数帯に属するチャンネルが選局されたときは、チューナコントローラ１６０Ｈは、アンテナ素子１０１で受信されたＤＴＶの当該チャンネルの信号をＤＴＶチューナ１５２に入力するようにスイッチ１４１を切り換える。また、アンテナ素子１０１で受信されたＤＴＶの信号がＤＴＶチューナ１５２に入力されている場合において、ＤＴＶの高域周波数帯に属するチャンネルが選局されたときは、チューナコントローラ１６０Ｈは、アンテナ素子１０２で受信されたＤＴＶの当該チャンネルの信号をＤＴＶチューナ１５２に入力するようにスイッチ１４１を切り換える。なお、インピーダンス整合回路１１４及びフィルタ１２４がＤＴＶの低域周波数信号及び高域周波数信号の両方を受信するために使用可能である場合には、チューナコントローラ１６０Ｈは、ＤＴＶの低域周波数帯に属するチャンネルが選局されたときであっても、アンテナ素子１０１で受信されたＤＴＶの信号をＤＴＶチューナ１５２に入力するようにスイッチ１４１を切り換えなくてもよい。
【００９３】
図２０は、本発明の第４の実施形態の第１の変形例に係る携帯無線通信装置１００Ｏの無線通信回路１７０の構成を示すブロック図である。図２０の変形例では、携帯電話受信信号を受信するために設けられたアンテナ素子１０２を、ＤＴＶの信号を受信するための主アンテナ素子として使用する。ここで、ＤＴＶの受信信号強度ＲＳＳＩが所定のしきい値ＲＳＳＩ０より小さくなったとき、ＤＴＶの信号を受信するためにアンテナ素子１０１を使用するように切り換える。この変形例の携帯無線通信装置１００Ｏにおいて、インピーダンス整合回路１１２は、ＤＴＶの低域周波数信号を受信するために（あるいは、それに代わって、ＤＴＶの低域周波数信号及び高域周波数信号を受信するために）、アンテナ素子１０１と、フィルタ１２２（又はフィルタ１２２を含むその後段の回路）とをインピーダンス整合させ、フィルタ１２２は、受信されたＤＴＶの低域周波数信号（あるいは、低域周波数信号及び高域周波数信号）を通過させる。インピーダンス整合回路１１４Ａは、ＤＴＶの低域周波数信号及び高域周波数信号を受信するために、アンテナ素子１０２と、フィルタ１２４Ａ（又はフィルタ１２４Ａを含むその後段の回路）とをインピーダンス整合させ、フィルタ１２４Ａは、受信されたＤＴＶの低域周波数信号及び高域周波数信号を通過させる。
【００９４】
チューナコントローラ１６０Ｈは、スイッチ１４１の初期状態として、フィルタ１２４ＡをＤＴＶチューナ１５２に接続するように切り換える。チューナコントローラ１６０Ｈは、ＤＴＶの低域周波数信号を受信しているときは、ＲＳＳＩが高くなるようにスイッチ１４１を制御する。詳しくは、チューナコントローラ１６０Ｈは、ＤＴＶチューナ１５２により取得されたＤＴＶの受信信号強度ＲＳＳＩが、しきい値ＲＳＳＩ０より小さくなったとき、スイッチ１４１の接続を切り換える。よって、チューナコントローラ１６０Ｈは、アンテナ素子１０２で受信されたＤＴＶの信号がＤＴＶチューナ１５２に入力されている場合においてＲＳＳＩがしきい値ＲＳＳＩ０より小さくなったときは、アンテナ素子１０１で受信されたＤＴＶの信号をＤＴＶチューナ１５２に入力するようにスイッチ１４１を切り換える。チューナコントローラ１６０Ｈは、逆に、アンテナ素子１０１で受信されたＤＴＶの信号がＤＴＶチューナ１５２に入力されている場合においてＲＳＳＩがしきい値ＲＳＳＩ０より小さくなったときは、アンテナ素子１０２で受信されたＤＴＶの信号をＤＴＶチューナ１５２に入力するようにスイッチ１４１を切り換える。
【００９５】
また、チューナコントローラ１６０Ｈは、チャンネル情報を含む制御信号をコントローラ１８０から取得し、このチャンネル情報に参照してスイッチ１４１の接続を切り換えてもよく、この場合、アンテナ素子１０２で受信されたＤＴＶの信号がＤＴＶチューナ１５２に入力されている場合において、ＤＴＶの低域周波数帯に属するチャンネルが選局されたとき、アンテナ素子１０１で受信されたＤＴＶの当該チャンネルの信号をＤＴＶチューナ１５２に入力するようにスイッチ１４１を切り換える。携帯無線通信装置１００Ｏを図２及び図３に示すように構成した場合、このように低域周波数信号を受信する際により大きなアンテナ素子１０１を使用することにより、より良好な受信特性を達成することができる。また、このとき、インピーダンス整合回路１１２及びフィルタ１２２を低域周波数用に設計するとよい。また、アンテナ素子１０１で受信されたＤＴＶの信号がＤＴＶチューナ１５２に入力されている場合において、ＤＴＶの高域周波数帯に属するチャンネルが選局されたときは、チューナコントローラ１６０Ｈは、アンテナ素子１０２で受信されるＤＴＶの当該チャンネルの信号をＤＴＶチューナ１５２に入力するようにスイッチ１４１を切り換える。
【００９６】
本実施形態によれば、以上の構成により、ＤＴＶの受信信号レベルが低下したとき、特に図１９の実施形態で説明したように送信される携帯電話送信信号がＤＴＶの受信特性に影響したときであっても、アンテナ素子を切り換えることによりこの影響を抑圧することができる。
【００９７】
図２１は、本発明の第４の実施形態の第２の変形例に係る携帯無線通信装置１００Ｐの無線通信回路１７０の構成を示すブロック図である。チューナコントローラ１６０Ｈは、スイッチ１４１がＤＴＶチューナ１５２をフィルタ１２２Ａ及びインピーダンス整合回路１１２Ａを介してアンテナ素子１０１に接続しているときに、ＤＴＶチューナ１５２によって受信されるＤＴＶの高域周波数信号及び低域周波数信号のＲＳＳＩがしきい値ＲＳＳＩ０よりも小さくなったときに、ＤＴＶチューナ１５２をフィルタ１２４Ａ及びインピーダンス整合回路１１４Ａを介してアンテナ素子１０２に接続するようにスイッチ１４１を制御する一方、スイッチ１４１がＤＴＶチューナ１５２をフィルタ１２４Ａ及びインピーダンス整合回路１１４Ａを介してアンテナ素子１０２に接続しているときに、ＤＴＶチューナ１５２によって受信されるＤＴＶの高域周波数信号及び低域周波数信号のＲＳＳＩがしきい値ＲＳＳＩ０よりも小さくなったときに、ＤＴＶチューナ１５２をフィルタ１２２Ａ及びインピーダンス整合回路１１２Ａを介してアンテナ素子１０１に接続するようにスイッチ１４１を制御してもよい。従って、ＤＴＶの高域周波数信号又は低域周波数信号のＲＳＳＩがしきい値ＲＳＳＩ０よりも小さくなったときに、アンテナ素子１０１の代わりにアンテナ素子１０２をＤＴＶチューナ１５２に接続したり、アンテナ素子１０２の代わりにアンテナ素子１０１をＤＴＶチューナ１５２に接続したりする。これにより、より大きな信号レベルを受信するアンテナ素子１０１又は１０２を利用できる。
【００９８】
さらには、ＤＴＶの信号を受信するアンテナ素子と携帯電話送信信号及び携帯電話受信信号を送受信するアンテナ素子とを共通にすることにより、アンテナ素子の数を増やすことなくＤＴＶの視聴が可能となる。
【００９９】
さらには、アンテナ素子１０１，１０２が常に携帯電話信号処理回路１５１に接続され、アンテナ素子１０１，１０２のいずれか一方が常にＤＴＶチューナ１５２に接続された状態にあるので、電話機として通話しているときにＤＴＶの番組を録画するなど、携帯無線通信装置１００ＰをＤＴＶチューナとして動作させ、それと同時に電話機として動作させることが可能である。
【０１００】
また、ＤＴＶの信号を受信する際に選択ダイバーシチを実行できるので、良好な受信特性を達成することができる。
【０１０１】
なお、本実施形態では、スイッチ１４１を切り換える基準としてＲＳＳＩを使用したが、これに限らず、Ｃ／Ｎ、ＢＥＲ又はＰＥＲなど、受信信号レベル又は受信特性の劣化が感知できる指標なら任意のもの使用可能である。
【０１０２】
変形例．
なお、第１乃至第４の実施形態において、ＤＴＶの低域周波数帯と高域周波数帯をそれぞれ、４７０ＭＨｚ〜５５７ＭＨｚと５５７ＭＨｚ〜７７０ＭＨｚとしたが、これに限らず、送信される携帯電話送信信号の妨害の影響を抑えかつＤＴＶが良好な受信特性となるように設定することにより、他の周波数範囲を使用することも可能である。
【０１０３】
また、ＤＴＶのように広帯域にわたって良好に受信可能な周波数特性が必要な無線通信に関して、本実施形態のように低域周波数信号の受信と高域周波数信号の受信とのためにアンテナ素子を別個に設けることにより、同様の効果を達成することができる。
【０１０４】
第１乃至第４の実施形態においては、携帯電話送信信号及び携帯電話受信信号を送受信しかつＤＴＶの信号を受信する携帯無線通信装置に関して説明したが、これに限らず、互いに近接する周波数帯域をそれぞれ用いる複数の無線通信を実行する機能を有する携帯無線通信装置において、ある無線通信Ａに係る信号の送信周波数と他の無線通信Ｂに係る信号の受信周波数が近接していて妨害を及ぼす場合、本実施形態の携帯電話送信信号及び携帯電話受信信号を通信Ａの信号に置き換え、ＤＴＶの信号を通信Ｂの信号に置き換えることにより、同様の効果を達成することができる。
【０１０５】
以下の表１に、本実施形態のＤＴＶに代えて使用可能な無線通信方式の例を示す。携帯無線通信装置は、８００ＭＨｚ帯、１．７ＧＨｚ帯、２．０ＧＨｚ帯及び２．５ＧＨｚ帯のうちの１つ又は複数を使用して携帯電話送信信号及び携帯電話受信信号を送受信するとともに、表１に示す無線通信方式に従う無線信号のうちの１つ又は複数を受信する。このとき、表１に示す無線通信方式に従う無線信号の受信周波数帯は、本実施形態と同様に２つ又はそれよりも多数の周波数帯に分割されてもよい。ここで、単位はＭＨｚである。
【０１０６】
【表１】
2008032710.tif 000028
【０１０７】
また、例えば、携帯電話送信信号及び携帯電話受信信号を送受信することとＧＰＳの信号を受信することとのために共通のアンテナ素子を使用し、携帯電話受信信号を受信すること（又は送受信すること）とＤＴＶの信号を受信することとのためにもう１つの共通のアンテナ素子を使用することにより、異なる３つの無線通信を同時に実行することが可能となる。
【０１０８】
図６乃至図２３に示す携帯無線通信装置の全体構成についても、図２及び図３に示したものと同様の構成を採用することができるが、これに限らず、他の構成を採用することもできる。例えば、アンテナ素子１０１，１０２の形状は、図２及び図３に示すような非対称なものではなく、互いに同一の構成であってもよく、あるいは別の異なる形状であってもよい。
【０１０９】
また、図９、図１２及び図１５以外の図面に示した構成の携帯無線通信装置においても、図９に示した携帯無線通信装置１００Ｄと同様に、アンテナ素子１０１，１０２でそれぞれ受信された携帯電話受信信号に対して選択ダイバーシチを行うように構成してもよい。
【０１１０】
実施形態の携帯無線通信装置の回路構成は、図面の各ブロック図に示したものに限定されるものではない。例えば、サーキュレータ１３１，１３４、合成器１３２、及び／又はデュプレクサ１３１Ａ，１３４Ａは、携帯電話信号処理回路１５１に内蔵されるように構成されてもよい。
【０１１１】
なお、以上説明した第１乃至第４の実施形態でそれぞれ示した携帯無線通信装置はあくまで一例であって、これらの携帯無線通信装置の構成要素のうちで構造上可能なものは組み合わせて使用することも可能である。
【０１１２】
実施形態の効果．
以上詳述したように、本発明に係る各実施形態によれば、携帯電話送信信号を送信するためのアンテナ素子と、例えば、高域周波数帯（ＵＨＦ帯）のデジタルテレビジョン放送（ＤＴＶ）など、送信される携帯電話送信信号と近い周波数で受信する他の無線通信のためのアンテナ素子とを分けることにより、送信される携帯電話送信信号が他の無線通信に与える影響を抑え、携帯電話送信信号及び携帯電話受信信号を送受信するためのアンテナ素子だけで複数の無線通信を実行可能な携帯無線通信装置を提供することができる。ここでは、ＤＴＶの高域周波数信号を受信するためのアンテナ素子と携帯電話送信信号を送信するためのアンテナ素子とを別のアンテナ素子にしたことにより、携帯無線通信装置から送信される携帯電話送信信号がＤＴＶの高域周波数信号の受信特性を劣化させることなく通信できる。本発明によれば、各アンテナ素子において、異なる無線通信毎に整合手段を設けたことにより、インピーダンスの適切な整合状態を達成することができる。
【０１１３】
本発明によればまた、ＤＴＶの信号を受信するアンテナ素子と、携帯電話送信信号及び携帯電話受信信号を送受信するアンテナ素子及び／又は携帯電話受信信号を受信するアンテナ素子とを共通にすることにより、携帯無線通信装置におけるアンテナ素子の数を増やすことなくＤＴＶの視聴が可能となる。さらには、携帯電話送信信号及び携帯電話受信信号を送受信するためのアンテナ素子だけで、無線通信装置を電話機として動作させ、それと同時に、例えばデジタルテレビジョン放送など他の無線通信を実行する装置として動作させることができる。また、２つのアンテナ素子が常に携帯電話送信信号及び携帯電話受信信号を送受信するための無線信号処理手段に接続され、２つのアンテナ素子の少なくとも一方が常にＤＴＶの放送信号を受信するための無線信号処理手段に接続された状態にあるので、電話機として通話しているときにＤＴＶの番組を録画するなど、携帯無線通信装置をＤＴＶチューナとして動作させ、それと同時に電話機として動作させることが可能である。さらには、ＤＴＶの低域周波数信号と高域周波数信号とでチューナを分離することにより、低域周波数帯内のチャンネルを視聴しているときに高域周波数帯内のチャンネルを録画することが可能であり、又は、携帯無線通信装置を電話機として使用しているときにＤＴＶの低域周波数帯から１つのチャンネルを録画し、ＤＴＶの高域周波数帯から１つのチャンネルを録画するように、携帯電話送信信号及び携帯電話受信信号のための無線信号処理手段と、ＤＴＶの低域周波数信号のための無線信号処理手段と、ＤＴＶの高域周波数信号のための無線信号処理手段とを同時に動作させることが可能である。
【０１１４】
さらに、本発明によれば、ＤＴＶの信号を受信するためのアンテナ素子を低域周波数用と高域周波数用とに分けて使用することにより、１本のみのアンテナ素子を使用する場合よりも広帯域にわたってＤＴＶの受信特性を向上させることが可能である。さらには、ＤＴＶの低域周波数信号（使用する周波数が低い方）を受信するためのアンテナ素子として、２つのアンテナ素子のうちで、よりサイズが大きなアンテナ素子を選択すれば（図２及び図３を参照）、より良好な受信特性が得られる。
【０１１５】
本発明によればまた、ＤＴＶの信号を受信しているときにおいても選択ダイバーシチを実行可能であるので、これにより良好な受信特性を維持することが可能となる。
【０１１６】
なお、携帯電話送信信号及び携帯電話受信信号とＤＴＶに限らず、互いに近接する周波数帯域を用いる無線通信を実行する機能を有する携帯無線通信装置において、ある無線通信Ａに係る信号の送信周波数と他の無線通信Ｂに係る信号の受信周波数が近接していて妨害を及ぼす場合、本実施形態の携帯電話送信信号及び携帯電話受信信号を通信Ａの信号に置き換え、ＤＴＶの信号を通信Ｂの信号に置き換えることにより、同様の効果を達成することができる。
【０１１７】
また、ＤＴＶのように広帯域にわたって良好に受信可能な周波数特性が必要な無線通信に関して、低域周波数信号の受信と高域周波数信号の受信とのためにアンテナ素子を別個に設けることにより、同様の効果を達成することができる。
【産業上の利用可能性】
【０１１８】
本発明は、所定の周波数帯域において第１の無線通信に係る無線信号（携帯電話送信信号及び携帯電話受信信号）を送信し、この周波数帯域に近接した他の周波数帯域において他の第２の無線通信に係る無線信号を受信する携帯無線通信装置において、送信される第１の無線通信に係る無線信号が第２の無線通信に係る無線信号に対する妨害となる状況を抑圧することができるので、第２の無線通信に係る無線信号の受信特性の劣化を防ぐことができ、携帯電話機をはじめ、あらゆる無線通信で用いる機器等に応用できる。
【図面の簡単な説明】
【０１１９】
【図１】本発明の第１の実施形態に係る携帯無線通信装置１００の無線通信回路１７０の構成を示すブロック図である。
【図２】本発明の第１の実施形態に係る携帯無線通信装置１００の全体構成を正面から概略的に示す透視図である。
【図３】本発明の第１の実施形態に係る携帯無線通信装置１００の全体構成を側面から概略的に示す透視図である。
【図４】図１のアンテナ素子１０１及び整合回路部１１０ＡのＶＳＷＲ特性を示すグラフである。
【図５】図１のアンテナ素子１０２及び整合回路部１１０ＢのＶＳＷＲ特性を示すグラフである。
【図６】本発明の第１の実施形態の第１の変形例に係る携帯無線通信装置１００Ａの無線通信回路１７０の構成を示すブロック図である。
【図７】本発明の第１の実施形態の第２の変形例に係る携帯無線通信装置１００Ｂの無線通信回路１７０の構成を示すブロック図である。
【図８】本発明の第１の実施形態の第３の変形例に係る携帯無線通信装置１００Ｃの無線通信回路１７０の構成を示すブロック図である。
【図９】本発明の第１の実施形態の第４の変形例に係る携帯無線通信装置１００Ｄの無線通信回路１７０の構成を示すブロック図である。
【図１０】本発明の第２の実施形態に係る携帯無線通信装置１００Ｅの無線通信回路１７０の構成を示すブロック図である。
【図１１】本発明の第２の実施形態の第１の変形例に係る携帯無線通信装置１００Ｆの無線通信回路１７０の構成を示すブロック図である。
【図１２】本発明の第２の実施形態の第２の変形例に係る携帯無線通信装置１００Ｇの無線通信回路１７０の構成を示すブロック図である。
【図１３】本発明の第２の実施形態の第３の変形例に係る携帯無線通信装置１００Ｈの無線通信回路１７０の構成を示すブロック図である。
【図１４】本発明の第２の実施形態の第４の変形例に係る携帯無線通信装置１００Ｉの無線通信回路１７０の構成を示すブロック図である。
【図１５】本発明の第２の実施形態の第５の変形例に係る携帯無線通信装置１００Ｊの無線通信回路１７０の構成を示すブロック図である。
【図１６】本発明の第３の実施形態に係る携帯無線通信装置１００Ｋの無線通信回路１７０の構成を示すブロック図である。
【図１７】本発明の第３の実施形態の第１の変形例に係る携帯無線通信装置１００Ｌの無線通信回路１７０の構成を示すブロック図である。
【図１８】本発明の第３の実施形態の第２の変形例に係る携帯無線通信装置１００Ｍの無線通信回路１７０の構成を示すブロック図である。
【図１９】本発明の第４の実施形態に係る携帯無線通信装置１００Ｎの無線通信回路１７０の構成を示すブロック図である。
【図２０】本発明の第４の実施形態の第１の変形例に係る携帯無線通信装置１００Ｏの無線通信回路１７０の構成を示すブロック図である。
【図２１】本発明の第４の実施形態の第２の変形例に係る携帯無線通信装置１００Ｐの無線通信回路１７０の構成を示すブロック図である。
【図２２】本発明の第１の実施形態の第５の変形例に係る携帯無線通信装置１００Ｑの無線通信回路１７０の構成を示すブロック図である。
【図２３】本発明の第２の実施形態の第６の変形例に係る携帯無線通信装置１００Ｒの無線通信回路１７０の構成を示すブロック図である。
【図２４】本発明の第２の実施形態の第７の変形例に係る携帯無線通信装置１００Ｓの無線通信回路１７０の構成を示すブロック図である。
【符号の説明】
【０１２０】
１００，１００Ａ〜１００Ｓ…携帯無線通信装置、
１０１，１０２，１０３…アンテナ素子、
１１０Ａ，１１０Ｂ，１１０Ｃ，１１０Ａａ，１１０Ｂａ，１１０Ａｂ，１１０Ｂｂ…整合回路部、
１１１，１１２，１１２Ａ，１１２Ｂ，１１３，１１３Ａ，１１４，１１４Ａ，１１４Ｂ，１１５，１１６，３１１，３１２，３１３，３１４，３１５…インピーダンス整合回路、
１２１，１２２，１２２Ａ，１２３，１２３Ａ，１２４，１２４Ａ，１２５，１２６，１２７，１２８，１２９，１３１Ａａ，１３１Ａｂ，１３４Ａａ，１３４Ａｂ，３２１，３２２，３２３，３２４，３２５…フィルタ、
１３１，１３４…サーキュレータ、
１３１Ａ，１３４Ａ…デュプレクサ、
１３２，１３３…合成器、
１４１，１４２，１４３，１４４，１４５ａ，１４５ｂ，１４７ａ，１４７ｂ…スイッチ、
１４５，１４７…スイッチ回路、
１５１…携帯電話信号処理回路、
１５１ａ…送信回路、
１５１ｂ…受信回路、
１５２…ＤＴＶチューナ、
１５２Ａ…ＤＴＶ低域チューナ、
１５２Ｂ…ＤＴＶ高域チューナ、
１６０，１６０Ａ〜１６０Ｈ…チューナコントローラ、
１７０…無線通信回路、
１８０…コントローラ、
２０１…上部筐体、
２０１ａ…外側上部筐体、
２０２…下部筐体、
２０３…ヒンジ部、
２０４…ディスプレイ、
２０５…スピーカ、
２０６…マイクロホン、
２０７…キーボード、
２０８…回路基板、
２０９…充電池、
２１１，２１２…ネジ、
２１３…ネジ受け部、
２２１，２２２…給電線、
２２３，２２４…端子、
２２５…給電点。
【手続補正３】
【補正対象書類名】図面
【補正対象項目名】全図
【補正方法】変更
【補正の内容】
【図１】
2008032710.tif 000029
【図２】
2008032710.tif 000030
【図３】
2008032710.tif 000031
【図４】
2008032710.tif 000032
【図５】
2008032710.tif 000033
【図６】
2008032710.tif 000034
【図７】
2008032710.tif 000035
【図８】
2008032710.tif 000036
【図９】
2008032710.tif 000037
【図１０】
2008032710.tif 000038
【図１１】
2008032710.tif 000039
【図１２】
2008032710.tif 000040
【図１３】
2008032710.tif 000041
【図１４】
2008032710.tif 000042
【図１５】
2008032710.tif 000043
【図１６】
2008032710.tif 000044
【図１７】
2008032710.tif 000045
【図１８】
2008032710.tif 000046
【図１９】
2008032710.tif 000047
【図２０】
2008032710.tif 000048
【図２１】
2008032710.tif 000049
【図２２】
2008032710.tif 000050
【図２３】
2008032710.tif 000051
【図２４】
2008032710.tif 000052
【国際調査報告】
2008032710.tif 000053
2008032710.tif 000054
2008032710.tif 000055
2008032710.tif 000056